(57)【要約】  本開示は、サーカムオーラル型及びスープラオーラル型のヘッドホン設計における使用に適切ないくつかの異なる特徴を含む。音響遮断性を改善するイヤパッドアセンブリを含む設計が論じられる。ユーザの頭部上のヘッドホンの向きを自動で検出することを含むユーザに利便な機能も議論される。様々な省電力機能、設計機能、センサ構成、及びユーザに快適な機能も議論される。
2021519014.tif 000002
【特許請求の範囲】
【請求項１】
左イヤピースと、
右イヤピースと、
前記左イヤピースと前記右イヤピースとの間に延びるヘッドバンドアセンブリであって、
中央開口部を画定し、左フレーム端部及び右フレーム端部、並びに前記左フレーム端部と前記右フレーム端部との間の、前記左フレーム端部及び前記右フレーム端部に対して持ち上げられた中央フレーム領域を有する、フレームと、
前記左イヤピースと前記右イヤピースとを電気的に結合し、前記フレームによって画定された内部容積を通って延びる、信号ケーブルと、
前記中央開口部にわたって延びるメッシュと、
を含む、ヘッドバンドアセンブリと、
を備える、ヘッドホン。
【請求項２】
前記メッシュは、前記中央フレーム領域の両側のセグメント間に延び、前記左フレーム端部と前記右フレーム端部との間にも延びる、請求項１に記載のヘッドホン。
【請求項３】
前記フレームは、第１のステム領域と接合されて、Ｙ字形形状を形成する、請求項２に記載のヘッドホン。
【請求項４】
前記メッシュは、メッシュ材料と、前記メッシュ材料の周辺部の周りに延びるロック特徴部とを含み、前記ロック特徴部は、前記フレームによって画定されたチャネル内に係合されている、請求項１に記載のヘッドホン。
【請求項５】
前記ロック特徴部は、前記中央開口部との前記メッシュの位置ずれを防止する位置合わせ特徴部を画定する、請求項４に記載のヘッドホン。
【請求項６】
前記メッシュ材料は、ナイロン、ＰＥＴ、単弾性織布、二弾性織布、又はポリエーテル−ポリウレアコポリマーのうちの少なくとも１つを含む、請求項４に記載のヘッドホン。
【請求項７】
前記メッシュ材料の中央領域の第１の密度は、前記メッシュ材料の周辺領域の第２の密度よりも低く、前記メッシュ材料は、前記中央開口部を閉じる、請求項４に記載のヘッドホン。
【請求項８】
前記中央領域と前記周辺領域との間の領域の密度は、前記中央領域よりも高く、前記周辺領域よりも低い、請求項７に記載のヘッドホン。
【請求項９】
前記メッシュの密度は、前記メッシュの中央領域から周辺領域まで漸進的に増加する、請求項１に記載のヘッドホン。
【請求項１０】
前記メッシュ材料の密度は、実質的に均一である、請求項４に記載のヘッドホン。
【請求項１１】
前記フレームの両側のセグメント間の距離は、前記フレームの両側のセグメントの断面厚さよりも実質的に大きい、請求項１に記載のヘッドホン。
【請求項１２】
中央開口部、及び前記中央開口部の周辺部の周りに配置されたチャネルを画定する、ヘッドバンドと、
メッシュアセンブリであって、
前記中央開口部を覆う可撓性メッシュ材料と、
前記可撓性メッシュ材料の周辺部の周りに延び、前記チャネル内に係合された、ロック特徴部と、
を含む、メッシュアセンブリと、
を備える、ポータブルリスニングデバイス。
【請求項１３】
前記ヘッドバンドは、前記中央開口部を画定するフレームを含む、請求項１２に記載のポータブルリスニングデバイス。
【請求項１４】
前記フレームの両側のセグメントは、実質的に平行である、請求項１３に記載のポータブルリスニングデバイス。
【請求項１５】
前記中央開口部を画定する前記ヘッドバンドの一部分のセグメントは、円形の断面形状を有する、請求項１２に記載のポータブルリスニングデバイス。
【請求項１６】
前記ロック特徴部は、前記チャネルへの前記ロック特徴部の挿入を容易にするテーパ形状を有する、請求項１２に記載のポータブルリスニングデバイス。
【請求項１７】
前記ヘッドバンドの第１の端部に結合された第１のイヤピースと、
前記第１の端部の反対側の前記ヘッドバンドの第２の端部に結合された第２のイヤピースと、
を更に備える、請求項１２に記載のポータブルリスニングデバイス。
【請求項１８】
左イヤピースと、
右イヤピースと、
前記左イヤピースを前記右イヤピースに結合するヘッドバンドであって、
中央開口部を画定し、左フレーム端部及び右フレーム端部、並びに前記左フレーム端部と前記右フレーム端部との間の中央フレーム領域を有する、フレームと、
前記フレームに結合されたメッシュであって、前記メッシュの中央領域が前記左フレーム端部及び前記右フレーム端部の上に、かつ前記中央フレーム領域の下に持ち上げられるように、曲線状プロファイルを形成する、メッシュと、
含む、ヘッドバンドと、
を備える、ヘッドホン。
【請求項１９】
前記メッシュは、メッシュ材料と、前記メッシュ材料の周辺部の周りに延びるロック特徴部とを含み、前記ロック特徴部は、前記フレームによって画定されたチャネル内に係合されている、請求項１８に記載のヘッドホン。
【請求項２０】
前記メッシュは、前記左フレーム端部及び前記右フレーム端部の取り付け領域に、かつ前記中央フレーム領域の取り付け領域に結合されている、請求項１９に記載のヘッドホン。
【発明の詳細な説明】
【技術分野】
【０００１】
（関連出願の相互参照）
本出願は、２０１８年４月２日に出願された米国特許仮出願第６２／６５１，６３４号に対する優先権を主張するものであり、その開示内容は、あらゆる目的のために参照によりその全体が本明細書に組み込まれる。
【０００２】
説明される実施形態は概して、様々なヘッドホン機能に関する。更に具体的には、様々な機能は、センサのアレイ及び新たな機械的機能をヘッドホンに組み込むことによって全体的なユーザ経験を改善することを支援する。
【背景技術】
【０００３】
１００年以上にわたりヘッドホンが現在まで使用されてきたが、ユーザの耳に対してイヤピースを保持するために使用される機械的なフレームの設計はどちらかというと変化がないままである。このため、オーバヘッド型ヘッドホンのなかには、使用しないときに、かさばるケースを使用するか、又は首周りに目立つように着用するかしなければ、簡単に運ぶことが難しいものがある。イヤピースとバンドとの間の従来の相互接続には、各々のイヤピースの周辺部を囲むヨークを使用することが多く、それが、各々のイヤピースを全体的にかさばらせている。更に、ヘッドホンのユーザは、ヘッドホンを使用したいときは常に、イヤピースが自分の耳に正確に位置合わせされるかを手動で検証する必要がある。したがって、上述した欠点を改善することが望ましい。
【発明の概要】
【０００４】
本開示は、サーカムオーラル型及びスープラオーラル型のヘッドホンフレーム設計に関するいくつかの改善を説明する。
【０００５】
ヘッドホンが開示され、ヘッドホンは、左イヤピースと、右イヤピースと、左イヤピースと右イヤピースとの間に延びるヘッドバンドアセンブリであって、中央開口部を画定し、左フレーム端部及び右フレーム端部、並びに左フレーム端部と右フレーム端部との間の、左フレーム端部及び右フレーム端部に対して持ち上げられた中央フレーム領域を有する、フレームと、左イヤピースと右イヤピースとを電気的に結合し、フレームによって画定された内部容積を通って延びる、信号ケーブルと、中央開口部にわたって延びるメッシュと、を含む、ヘッドバンドアセンブリと、を備える。
【０００６】
ポータブルリスニングデバイスが開示され、ポータブルリスニングデバイスは、中央開口部、及び中央開口部の周辺部の周りに配置されたチャネルを画定するヘッドバンドと、メッシュアセンブリであって、中央開口部を覆う可撓性メッシュ材料と、可撓性メッシュ材料の周辺部の周りに延び、チャネル内に係合された、ロック特徴部と、を含む、メッシュアセンブリと、を備える。
【０００７】
イヤピースが開示され、イヤピースは、ユーザの耳を収容するための空洞を画定する筐体と、筐体の外側から発生するノイズと弱め合うように干渉するアクティブノイズキャンセルシステムと、筐体の周辺部に取り付けられた環状イヤパッドと、環状イヤパッドの周囲に巻き付けられたテキスタイル層であって、テキスタイル層の他の領域よりも低い多孔率を有する熱処理領域を含む、テキスタイル層と、を備える。
【０００８】
ヘッドホンが開示され、ヘッドホンは、第１のイヤピースと、第２のイヤピースと、第１のイヤピースを第２のイヤピースに接合するヘッドバンドアセンブリと、第１のイヤピース内に配置され、ヘッドバンドアセンブリに対する第１のイヤピースの回転量を測定するように構成された歪みゲージと、プロセッサであって、歪みゲージから受信したセンサ読み取り値に基づいて、プロセッサがヘッドバンドアセンブリに対する第１のイヤピースの回転量が所定の閾値を上回ったと判定すると、ヘッドホンの動作状態を変更するように構成されたプロセッサと、を備える。
【０００９】
ヘッドホンが開示され、ヘッドホンは、第１のイヤピースと、第２のイヤピースと、第１のイヤピースを第２のイヤピースに結合する調節可能な長さのヘッドバンドアセンブリであって、調節可能な長さのヘッドバンドアセンブリは、複数のチャネルを画定する第１のステムセグメントと、第１のステムセグメント内に少なくとも部分的に配置された第２のステムセグメントと、を含み、第２のステムセグメントは、第１のステムセグメントによって画定されたチャネルと係合するスプリングフィンガを含み、チャネルは、第１のステムセグメントに対する第２のステムセグメントの動きの範囲を画定する、調節可能な長さのヘッドバンドアセンブリと、第１のステムセグメント及び第２のステムセグメントの両方を通って延びるデータ同期ケーブルであって、調節可能な長さのヘッドバンドアセンブリ内でコイル状にされている、データ同期ケーブルと、を備える。
【００１０】
ヘッドホンが開示され、ヘッドホンは、第１及び第２のイヤピースと、第１のイヤピースを第２のイヤピースに接合するヘッドバンドアセンブリであって、ヘッドバンドアセンブリは、第１のイヤピースに結合された剛性ケーブルと、剛性ケーブルの周りに螺旋形状に配置され、第１のイヤピースに電気的に結合された信号ケーブルと、を含み、剛性ケーブルは、信号ケーブルの伸張及び収縮を案内するように構成されている、ヘッドバンドアセンブリと、を備える。
【００１１】
ヘッドホンが開示され、ヘッドホンは、ユーザの耳の１つ以上の物理的特徴を検出するように構成された静電容量式センサアレイを含む、第１のイヤピースと、第２のイヤピースと、第１のイヤピースを第２のイヤピースに機械的かつ電気的に結合するヘッドバンドアセンブリと、静電容量式センサアレイによって検出された１つ以上の物理的特徴によって形成されたパターンを判定するように構成されたプロセッサと、を備える。
【００１２】
ヘッドホンが開示され、ヘッドホンは、第１のセンサを含む第１のイヤピースと、第１のセンサと協働して、ユーザの頭部の１つ以上の物理的特徴を検出するように構成された第２のセンサを含む、第２のイヤピースと、第１のイヤピースを第２のイヤピースに機械的かつ電気的に結合するヘッドバンドアセンブリと、１つ以上の検出された物理的特徴の位置又は向きを判定し、判定に基づいて、左及び右のオーディオチャネルを第１及び第２のイヤピースに割り当てるように構成されたプロセッサと、を備える。
【００１３】
ヘッドホンが開示され、ヘッドホンは、左イヤピースと、右イヤピースと、左イヤピースと右イヤピースを結合するヘッドバンドと、を備える。ヘッドバンドは、中央開口部を画定し、左フレーム端部及び右フレーム端部、並びに左フレーム端部と右フレーム端部との間の中央フレーム領域を有するフレームと、フレームに結合されたメッシュであって、メッシュの中央領域が左フレーム端部及び右フレーム端部の上に、かつ中央フレーム領域の下に持ち上げられるように、曲線状プロファイルを形成する、メッシュと、含む。
【００１４】
本発明の他の態様及び利点は、例として、説明される実施形態の原理を例示する、添付図面を併用して以下の詳細な説明から明らかになるであろう。
【図面の簡単な説明】
【００１５】
添付図面は同様の構造的要素を同様の参照番号によって指定しており、以下の詳細な説明と併せて、開示が容易に理解されよう。
【００１６】
【図１Ａ】オーバイヤ型又はオンイヤ型のヘッドホンの例示的なセットの正面図を示す。
【００１７】
【図１Ｂ】ヘッドバンドアセンブリから異なる距離を延びるヘッドホンステムを示す。
【００１８】
【図２Ａ】同期されたヘッドホンステムを有するヘッドホンの第１の側面の斜視図を示す。
【００１９】
【図２Ｂ】切断線Ａ−Ａに従って図２Ａに記述されたヘッドホンの断面図を示す。
【図２Ｃ】切断線Ｂ−Ｂに従って図２Ａに記述されたヘッドホンの断面図を示す。
【００２０】
【図２Ｄ】図２Ｄに記述されたヘッドホンの反対側面の斜視図を示す。
【００２１】
【図２Ｅ】切断線Ｃ−Ｃに従って図２Ｄに記述されたヘッドホンの断面図を示す。
【００２２】
【図２Ｆ】同期されたヘッドホンステム及び一体型バネバンドを有するヘッドホンの第２の側面の断面斜視図を示す。
【図２Ｇ】同期されたヘッドホンステム及び一体型バネバンドを有するヘッドホンの第２の側面の断面斜視図を示す。
【００２３】
【図２Ｈ】切断線Ｄ−Ｄに従って図２Ｆに記述されたヘッドホンの断面図を示す。
【図２Ｉ】切断線Ｅ−Ｅに従って図２Ｇに記述されたヘッドホンの断面図を示す。
【００２４】
【図３Ａ】イヤピースの位置の調節を同期するように構成されたヘッドバンドアセンブリを有するその例示的なヘッドホンを示す。
【００２５】
【図３Ｂ】ヘッドホンがその最大サイズに拡大するときのヘッドバンドアセンブリの断面図を示す。
【００２６】
【図３Ｃ】ヘッドホンがより小さいサイズに縮小するときのヘッドバンドアセンブリの断面図を示す。
【００２７】
【図３Ｄ】イヤピースの位置を同期するように構成されたヘッドバンドアセンブリの斜視図を示す。
【図３Ｅ】イヤピースの位置を同期するように構成されたヘッドバンドアセンブリの上面図を示す。
【図３Ｆ】イヤピースの位置を同期するように構成されたヘッドバンドアセンブリの断面図を示す。
【００２８】
【図３Ｇ】イヤピース同期アセンブリの上面図を示す。
【図３Ｈ】イヤピース同期アセンブリの上面図を示す。
【００２９】
【図３Ｉ】図３Ｇ〜図３Ｈに記述された１つに類似した別のイヤピース同期システムの平坦概略図を示す。
【図３Ｊ】図３Ｇ〜図３Ｈに記述された１つに類似した別のイヤピース同期システムの平坦概略図を示す。
【００３０】
【図３Ｋ】図３Ｇ〜図３Ｊに記述されたイヤピース同期システムのいずれか１つの組み込みに適切なヘッドホン３６０の断面図を示す。
【図３Ｌ】図３Ｇ〜図３Ｊに記述されたイヤピース同期システムのいずれか１つの組み込みに適切なヘッドホン３６０の断面図を示す。
【００３１】
【図３Ｍ】格納された位置にある図３Ｇ〜図３Ｈに記述されたイヤピース同期システムと共にデータ同期ケーブルの斜視図を示す。
【図３Ｎ】延長された位置にある図３Ｇ〜図３Ｈに記述されたイヤピース同期システムと共にデータ同期ケーブルの断面斜視図を示す。
【００３２】
【図３Ｏ】キャノピ構造の一部、及びそれが含むキャノピ構造の補強部材を通じてイヤピース同期システムをどのように経路指定することができるかを示す。
【００３３】
【図４Ａ】オフセンタ旋回イヤピースを有するヘッドホン４００の正面図を示す。
【図４Ｂ】オフセンタ旋回イヤピースを有するヘッドホン４００の正面図を示す。
【００３４】
【図５Ａ】ねじりバネを含む例示的な旋回機構を示す。
【００３５】
【図５Ｂ】イヤピースのクッションの背後に配置された、図５Ａに記述された旋回機構を示す。
【００３６】
【図６Ａ】リーフバネを含む別の旋回機構の斜視図を示す。
【００３７】
【図６Ｂ】図６Ａに記述された旋回機構を使用したイヤピースの動きの範囲を示す。
【図６Ｃ】図６Ａに記述された旋回機構を使用したイヤピースの動きの範囲を示す。
【図６Ｄ】図６Ａに記述された旋回機構を使用したイヤピースの動きの範囲を示す。
【００３８】
【図６Ｅ】図６Ａに記述された旋回機構の拡大図を示す。
【００３９】
【図６Ｆ】別の旋回機構の斜視図を示す。
【００４０】
【図６Ｇ】更なる別の旋回機構を示す。
【００４１】
【図６Ｈ】異なる位置にあるステム基部の回転を例示するために取り除かれた１つの側面を有する、図６Ｇに記述された旋回機構を示す。
【図６Ｉ】異なる位置にあるステム基部の回転を例示するために取り除かれた１つの側面を有する、図６Ｇに記述された旋回機構を示す。
【００４２】
【図６Ｊ】イヤピース筐体内に配置された図６Ｇの旋回アセンブリの切断斜視図を示す。
【００４３】
【図６Ｋ】弛緩状態にある螺旋バネを有するイヤピース筐体内に配置された旋回アセンブリの部分側断面図を示す。
【図６Ｌ】圧縮状態にある螺旋バネを有するイヤピース筐体内に配置された旋回アセンブリの部分側断面図を示す。
【００４４】
【図６Ｍ】その旋回アセンブリから分離されたステム基部の異なる２つの回転位置の側面図を示す。
【図６Ｎ】その旋回アセンブリから分離されたステム基部の異なる２つの回転位置の側面図を示す。
【００４５】
【図７Ａ】ヘッドバンドアセンブリにおける使用に適切なバネバンドの複数の位置を示す。
【００４６】
【図７Ｂ】図７Ａに記述されたバネバンドのずれに応じてバネ定数に基づいてバネ力がどのように変化するかを例示するグラフを示す。
【００４７】
【図８Ａ】ユーザの首周りを非常にきつく覆うヘッドホンにより生じる不快感を防止する解決策を示す。
【図８Ｂ】ユーザの首周りを非常にきつく覆うヘッドホンにより生じる不快感を防止する解決策を示す。
【００４８】
【図８Ｃ】バネバンドが中立位置に戻ることを防止するために、別々の及び異なるナックル部をバネバンドのより低い側面に沿ってどのように配置することができるかを示す。
【図８Ｄ】バネバンドが中立位置に戻ることを防止するために、別々の及び異なるナックル部をバネバンドのより低い側面に沿ってどのように配置することができるかを示す。
【００４９】
【図８Ｅ】ヘッドホンによってユーザに適用される力の実際の量を設定するために、ヘッドバンドアセンブリをイヤピースに連結するバネがバネバンド７００とどのように協働することができるかを示す。
【図８Ｆ】ヘッドホンによってユーザに適用される力の実際の量を設定するために、ヘッドバンドアセンブリをイヤピースに連結するバネがバネバンド７００とどのように協働することができるかを示す。
【００５０】
【図８Ｇ】低バネ定数バンドを使用してヘッドホンのペアの動きの範囲を制限する別の方式を示す。
【図８Ｈ】低バネ定数バンドを使用してヘッドホンのペアの動きの範囲を制限する別の方式を示す。
【００５１】
【図９Ａ】ユーザの耳の上に配置されたヘッドホンのイヤピースを示す。
【００５２】
【図９Ｂ】表面の下の、かつ耳に関連付けられた耳輪郭に近接した静電容量式センサの位置を示す。
【００５３】
【図１０Ａ】ヘッドホンを着用しているユーザの例示的な頭部の上面図を示す。
【００５４】
【図１０Ｂ】図１０Ａに記述されたヘッドホンの正面図を示す。
【００５５】
【図１０Ｃ】図１０Ａに記述されたヘッドホンの上面図を示す。
【図１０Ｄ】ヘッドホンのイヤピースがそれぞれのヨー軸の周りをどのように回転することが可能であるかを示す。
【００５６】
【図１０Ｅ】ヘッドバンドに対するイヤピースのロール及び／又はヨーが検出されるときに実行することができる制御方法を説明するフローチャートを示す。
【図１０Ｆ】ヘッドバンドに対するイヤピースのロール及び／又はヨーが検出されるときに実行することができる制御方法を説明するフローチャートを示す。
【００５７】
【図１０Ｇ】本明細書で説明される様々な構成要素を実装するために使用することができるコンピューティングデバイス１０７０のシステムレベルブロック図を示す。
【００５８】
【図１１Ａ】折り畳み可能ヘッドホンを示す。
【図１１Ｂ】折り畳み可能ヘッドホンを示す。
【図１１Ｃ】折り畳み可能ヘッドホンを示す。
【００５９】
【図１１Ｄ】折り畳み可能ヘッドホンのイヤピースを変形可能バンド領域の外向き面に向かってどのように折り畳むことができるかを示す。
【図１１Ｅ】折り畳み可能ヘッドホンのイヤピースを変形可能バンド領域の外向き面に向かってどのように折り畳むことができるかを示す。
【図１１Ｆ】折り畳み可能ヘッドホンのイヤピースを変形可能バンド領域の外向き面に向かってどのように折り畳むことができるかを示す。
【００６０】
【図１２Ａ】バネバンドの両側面を引っ張ることによって弓型状態から平坦化状態に遷移することができるヘッドホンの実施形態を示す。
【図１２Ｂ】バネバンドの反対側面を引っ張ることによって弓型状態から平坦化状態に遷移することができるヘッドホンの実施形態を示す。
【００６１】
【図１２Ｃ】平坦化状態にある折り畳み可能ステム領域の側面図を示す。
【図１２Ｄ】弓型状態にある折り畳み可能ステム領域の側面図を示す。
【００６２】
【図１２Ｅ】図１２Ｄに記述されたヘッドホンの１つの端の側面図を示す。
【００６３】
【図１３Ａ】弓型状態と平坦化状態との間で遷移するために軸外ケーブルを使用したヘッドホンの部分断面図を示す。
【図１３Ｂ】弓型状態と平坦化状態との間で遷移するために軸外ケーブルを使用したヘッドホンの部分断面図を示す。
【００６４】
【図１４Ａ】ヘッドホンのイヤピースの移動の第１の部分を通じて、少なくとも部分的に、ヘッドホンの平坦化を遅延させる伸長ピンによって、制約された折り畳み可能ステム領域を有するヘッドホンの部分断面図を示す。
【図１４Ｂ】ヘッドホンのイヤピースの移動の第１の部分を通じて、少なくとも部分的に、ヘッドホンの平坦化を遅延させる伸長ピンによって、制約された折り畳み可能ステム領域を有するヘッドホンの部分断面図を示す。
【図１４Ｃ】ヘッドホンのイヤピースの移動の第１の部分を通じて、少なくとも部分的に、ヘッドホンの平坦化を遅延させる伸長ピンによって、制約された折り畳み可能ステム領域を有するヘッドホンの部分断面図を示す。
【００６５】
【図１５Ａ】異なる角度から及び異なる状態にあるヘッドバンドアセンブリ１５００の様々な図を示す。
【図１５Ｂ】異なる角度から及び異なる状態にあるヘッドバンドアセンブリ１５００の様々な図を示す。
【図１５Ｃ】異なる角度から及び異なる状態にあるヘッドバンドアセンブリ１５００の様々な図を示す。
【図１５Ｄ】異なる角度から及び異なる状態にあるヘッドバンドアセンブリ１５００の様々な図を示す。
【図１５Ｅ】異なる角度から及び異なる状態にあるヘッドバンドアセンブリ１５００の様々な図を示す。
【図１５Ｆ】異なる角度から及び異なる状態にあるヘッドバンドアセンブリ１５００の様々な図を示す。
【００６６】
【図１６Ａ】弓型状態にあるヘッドバンドアセンブリを示す。
【図１６Ｂ】折り畳まれた状態にあるヘッドバンドアセンブリを示す。
【００６７】
【図１７Ａ】別の折り畳み可能ヘッドホンの実施形態の図を示す。
【図１７Ｂ】別の折り畳み可能ヘッドホンの実施形態の図を示す。
【００６８】
【図１８Ａ】ユーザによって着用されているヘッドホンの斜視図を示す。
【００６９】
【図１８Ｂ】切断線Ｆ−Ｆに従って図１８Ａに記述されたヘッドホンの側断面図を示す。
【００７０】
【図１８Ｃ】図１８Ａに示すヘッドホンの背面図を示す。
【００７１】
【図１９Ａ】図１８Ａ〜図１８Ｃに示すヘッドホンのキャノピ構造を構成する構成要素の様々な実施形態の斜視図を示す。
【図１９Ｂ】図１８Ａ〜図１８Ｃに示すヘッドホンのキャノピ構造を構成する構成要素の様々な実施形態の斜視図を示す。
【図１９Ｃ】図１８Ａ〜図１８Ｃに示すヘッドホンのキャノピ構造を構成する構成要素の様々な実施形態の斜視図を示す。
【図１９Ｄ】図１８Ａ〜図１８Ｃに示すヘッドホンのキャノピ構造を構成する構成要素の様々な実施形態の斜視図を示す。
【図１９Ｅ】図１８Ａ〜図１８Ｃに示すヘッドホンのキャノピ構造を構成する構成要素の様々な実施形態の斜視図を示す。
【図１９Ｆ】図１８Ａ〜図１８Ｃに示すヘッドホンのキャノピ構造を構成する構成要素の様々な実施形態の斜視図を示す。
【図１９Ｇ】図１８Ａ〜図１８Ｃに示すヘッドホンのキャノピ構造を構成する構成要素の様々な実施形態の斜視図を示す。
【００７２】
【図２０Ａ】ヘッドバンド筐体の片側、並びにヘッドバンド筐体の端部から延びる伸縮部材を示す。
【００７３】
【図２０Ｂ】図２０Ａに示すヘッドバンド筐体の側面の分解図を示す。
【００７４】
【図２０Ｃ】図２０Ｂに示す切断線Ｇ−Ｇに従った下部筐体構成要素の第１の端部の断面図を示す。
【００７５】
【図２０Ｄ】切断線Ｈ−Ｈに従った下部筐体構成要素の第２の端部の断面図を示す。
【００７６】
【図２０Ｅ】ブッシングの内向き面の周りに半径方向に離間配置された複数のフィンガチャネルを画定するブッシングの斜視図を示す。
【００７７】
【図２１Ａ】バネ部材及び伸縮部材の１つの端部の斜視図を示す。
【００７８】
【図２１Ｂ】伸縮部材の端部によって画定された開口部の第１の組内に係合したバネ部材のスプリングフィンガを示す。
【００７９】
【図２１Ｃ】スプリングフィンガが伸縮部材の端部によって画定された開口部の第２の組内に係合されるようにシフトされたバネ部材を示す。
【００８０】
【図２１Ｄ】伸縮式アセンブリが通って延びる下部筐体アセンブリによって画定された開口部に配置された様々なロック機構を示す。
【図２１Ｅ】伸縮式アセンブリが通って延びる下部筐体アセンブリによって画定された開口部に配置された様々なロック機構を示す。
【図２１Ｆ】伸縮式アセンブリが通って延びる下部筐体アセンブリによって画定された開口部に配置された様々なロック機構を示す。
【図２１Ｇ】伸縮式アセンブリが通って延びる下部筐体アセンブリによって画定された開口部に配置された様々なロック機構を示す。
【００８１】
【図２２Ａ】下部筐体構成要素内に配置された同期ケーブルの一部分のための様々な伸張コイル構成及び収縮コイル構成を示す。
【図２２Ｂ】下部筐体構成要素内に配置された同期ケーブルの一部分のための様々な伸張コイル構成及び収縮コイル構成を示す。
【図２２Ｃ】下部筐体構成要素内に配置された同期ケーブルの一部分のための様々な伸張コイル構成及び収縮コイル構成を示す。
【図２２Ｄ】下部筐体構成要素内に配置された同期ケーブルの一部分のための様々な伸張コイル構成及び収縮コイル構成を示す。
【図２２Ｅ】下部筐体構成要素内に配置された同期ケーブルの一部分のための様々な伸張コイル構成及び収縮コイル構成を示す。
【００８２】
【図２３Ａ】データプラグに関連付けられた構成要素の分解図を示す。
【００８３】
【図２３Ｂ】データプラグが確実に配置された状態を保つために、ねじ付き開口部内に完全に係合したねじ付き締結具で完全に組み立てられた伸縮部材を示す。
【００８４】
【図２３Ｃ】図２３Ｂの切断線Ｉ−Ｉに従った伸縮部材の断面図を示す。
【００８５】
【図２３Ｄ】複数の接着剤チャネルを有するデータプラグの一部分の斜視図を示す。
【００８６】
【図２３Ｅ】データプラグの一部分の側断面図を示し、データプラグの本体の両側に配置された複数の接着剤チャネルを示す。
【００８７】
【図２３Ｆ】ステム基部に接着されたデータプラグを示し、ステム基部は、次にイヤピースによって画定された凹部内に配置される。
【００８８】
【図２３Ｇ】ステム基部によって画定された凹部内に配置されたデータプラグの断面図を示し、ステム基部は、次にイヤピースの凹部内に配置される。
【００８９】
【図２４Ａ】イヤピース及びイヤパッドの斜視図を示す。
【００９０】
【図２４Ｂ】ユーザの快適性を犠牲にすることなく、どのようにヘッドホンのペアのイヤピースが薄いイヤパッドを有することができるかを示す。
【００９１】
【図２４Ｃ】どのように支柱がイヤパッドを支持する可撓性基板をイヤピースヨークに結合するかを示す。
【００９２】
【図２４Ｄ】イヤピースと、イヤパッドが屈曲してユーザの頭部の頭蓋輪郭に適合するように構成された回転軸とを示す。
【００９３】
【図２４Ｅ】ユーザの頭部の頭蓋輪郭を考慮するように設計された構成の別のイヤピースを示す。
【図２４Ｆ】ユーザの頭部の頭蓋輪郭を考慮するように設計された構成の別のイヤピースを示す。
【図２４Ｇ】ユーザの頭部の頭蓋輪郭を考慮するように設計された構成の別のイヤピースを示す。
【００９４】
【図２５Ａ】材料の複数の層から形成された別のイヤパッド構成の様々な図を示す。
【図２５Ｂ】材料の複数の層から形成された別のイヤパッド構成の様々な図を示す。
【図２５Ｃ】材料の複数の層から形成された別のイヤパッド構成の様々な図を示す。
【００９５】
【図２５Ｄ】ヘッドホンが実際に使用中のときに、どのようにテキスタイル層の熱処理領域がユーザの頭部の側面と直接接触しているかを示す。
【００９６】
【図２６Ａ】ある向きにあるイヤパッドの斜視図を示す。
【図２６Ｂ】図２６Ａとは異なる向きにあるイヤパッドの斜視図を示す。
【００９７】
【図２６Ｃ】発泡体のブロックからイヤパッドを形成するための様々な製造動作を示す。
【図２６Ｄ】発泡体のブロックからイヤパッドを形成するための様々な製造動作を示す。
【図２６Ｅ】発泡体のブロックからイヤパッドを形成するための様々な製造動作を示す。
【図２６Ｆ】発泡体のブロックからイヤパッドを形成するための様々な製造動作を示す。
【図２６Ｇ】発泡体のブロックからイヤパッドを形成するための様々な製造動作を示す。
【００９８】
【図２７Ａ】前述したイヤピースの多くで適用することができるイヤピース内の例示的な音響構成の側断面図を示す。
【００９９】
【図２７Ｂ】スピーカアセンブリに関連付けられた内部容積の形状及びサイズを示すために入力パネルが除去された状態のイヤピースの外側を示す。
【０１００】
【図２７Ｃ】イヤピース内に取り付けられたマイクロフォンを示す。
【０１０１】
【図２８】イヤピースの外向き面を形成することができる入力パネルを有するイヤピースを示す。
【０１０２】
【図２９Ａ】イヤピース内の分散型バッテリアセンブリの位置を示すイヤピースの輪郭の斜視図を示す。
【図２９Ｂ】イヤピース内の分散型バッテリアセンブリの位置を示すイヤピースの輪郭の断面図を示す。
【０１０３】
【図２９Ｃ】どのように３つ以上の別個のバッテリアセンブリを単一のイヤピース筐体内に組み込むことができるかを示す。
【０１０４】
【図３０Ａ】ヘッドバンドによって共に接合されたイヤピースを含む例示的なヘッドホンを示す。
【０１０５】
【図３０Ｂ】本明細書で論じられる、サーカムオーラル型及びスープラオーラル型のヘッドホン設計での使用によく適した例示的な搬送／保管ケースを示す。
【０１０６】
【図３０Ｃ】ケースの凹部内に配置されたヘッドホン３０００を示す。
【０１０７】
【図３０Ｄ】図３０Ｃの切断線Ｌ−Ｌに従ったイヤピースの断面図を示す。
【０１０８】
【図３０Ｅ】ヘッドホンが内部に配置された搬送ケースを示す。
【０１０９】
【図３１Ａ】記載されたヘッドホンと共に使用するのに好適な照明ボタンアセンブリを示す。
【図３１Ｂ】記載されたヘッドホンと共に使用するのに好適な照明ボタンアセンブリを示す。
【０１１０】
【図３１Ｃ】デバイス筐体内の非作動位置にある図３１Ａ〜図３１Ｂに示す照明ボタンアセンブリの側面図を示す。
【図３１Ｄ】デバイス筐体内の作動位置にある図３１Ａ〜図３１Ｂに示す照明ボタンアセンブリの側面図を示す。
【０１１１】
【図３１Ｅ】照明窓の斜視図を示す。
【０１１２】
【図３２Ａ】ヘッドホンバンドのステム基部によって係合された取り外し可能なイヤピースと関連付けられた旋回アセンブリの斜視図を示す。
【図３２Ｂ】ヘッドホンバンドのステム基部によって係合された取り外し可能なイヤピースと関連付けられた旋回アセンブリの斜視図を示す。
【０１１３】
【図３３Ａ】旋回アセンブリのラッチ機構の異なる図を示す。
【図３３Ｂ】旋回アセンブリのラッチ機構の異なる図を示す。
【図３３Ｃ】旋回アセンブリのラッチ機構の異なる図を示す。
【０１１４】
【図３４Ａ】ヘッドバンドアセンブリによって機械的に共に結合されたイヤピースを含むヘッドホンを示す。
【０１１５】
【図３４Ｂ】ヘッドバンドアセンブリのステム領域の拡大図を示す。
【０１１６】
【図３４Ｃ】伸縮構成要素の遠位端の拡大図を示す。
【０１１７】
【図３４Ｄ】図３４Ｂに示す切断線Ｍ−Ｍに従った伸縮構成要素の遠位端の断面図を示す。
【０１１８】
【図３４Ｅ】図３４Ｂに示す切断線Ｎ−Ｎに従った下部筐体構成要素の遠位端の断面図を示す。
【０１１９】
【図３４Ｆ】下部筐体構成要素と伸縮構成要素との間により大きい又はより小さい量の遊びが確立されることを可能にする、いくつかの代替的実施形態を示す。
【図３４Ｇ】下部筐体構成要素と伸縮構成要素との間により大きい又はより小さい量の遊びが確立されることを可能にする、いくつかの代替的実施形態を示す。
【図３４Ｈ】下部筐体構成要素と伸縮構成要素との間により大きい又はより小さい量の遊びが確立されることを可能にする、いくつかの代替的実施形態を示す。
【０１２０】
【図３４Ｉ】下部筐体構成要素によって画定された内部容積内に配置された伸縮構成要素を含む構成を示す。
【図３４Ｊ】下部筐体構成要素によって画定された内部容積内に配置された伸縮構成要素を含む構成を示す。
【発明を実施するための形態】
【０１２１】
本出願による方法及び装置の代表的な適用例を、本セクションで説明する。これらの例は、前後関係を追加し、説明する実施形態の理解を助けることのみを目的として提供される。それゆえ、説明する実施形態は、これらの具体的な詳細の一部又は全てを伴わずに実践することができる点が、当業者には明らかとなるであろう。他の実例では、説明する実施形態を不必要に不明瞭化することを回避するために、周知のプロセスステップは、詳細には説明されていない。他の適用例が可能であり、それゆえ以下の実施例は、限定的なものとして解釈されるべきではない。
【０１２２】
以下の「発明を実施するための形態」では、記載の一部を成し、説明する実施形態に係る具体的な実施形態が例示として示される添付の図面が参照される。これらの実施形態は、説明する実施形態を当業者が実施し得る程度に詳細に説明されるが、これらの実施例は限定するものとして理解されず、したがって、他の実施形態を使用してもよく、説明する実施形態の趣旨及び範囲から逸脱することなく変更を行ってもよい。
【０１２３】
ヘッドホンが長年製造されてきているが、多数の設計の問題が残っている。例えば、ヘッドホンと関連付けられたヘッドバンドの機能性は概して、ユーザの耳の上のヘッドホンのイヤピースを維持し、イヤピースの間の電気的接続を提供するためにのみ機能する機械的接続に制限されている。ヘッドバンドは、ヘッドホンを実質的にかさばらせる傾向にあり、それによって、ヘッドホンの格納を問題のあるものにする。ユーザの耳に対するイヤピースの方位の調節に適合するように設計された、ヘッドバンドをイヤピースに接続するステムもヘッドホンをかさばらせる。ヘッドバンドの伸長に適合する、ヘッドバンドをイヤピースに接続するステムによって、ヘッドバンドの中心部分がユーザの頭部の１つの側面にシフトすることが全体的に可能になる。このシフトされた構成は、多少奇妙に見えることがあり、ヘッドホンの設計によっては、ヘッドホンを着用するのにあまり快適にさせないこともある。
【０１２４】
ヘッドホンへの媒体コンテンツの無線配信などのいくつかの改善が、コードの絡みの問題を軽減してきているものの、このタイプの技術は、それ自体の一群の問題をもたらす。例えば、無線ヘッドホンが動作するのにバッテリ電力を必要とするため、無線ヘッドホンをターンオンにしたままにするユーザは、無線ヘッドホンのバッテリを意図せずに使い果たすことがあり、新たなバッテリを取り付けることができるまで、又はデバイスを再充電するためにそれらが使用不可能になる。多くのヘッドホンによる別の設計の問題は、左の音声チャネルが右耳に提示され、右の音声チャネルが左耳に提示される状況を防止するために、どのイヤピースがどちらの耳に対応するかをユーザが全体的に把握しなければならないことである。
【０１２５】
イヤピースの同期されていない位置付けの解決策は、イヤピースとヘッドバンドのそれぞれの端との間の距離を同期するヘッドバンド内に配置された機械的機構の形式をとる、イヤピース同期構成要素を組み込むことである。このタイプの同期は、複数の方式において実行されることがある。いくつかの実施形態では、イヤピース同期構成要素は、イヤピースの移動を同期するように構成することができる、両方のステムとの間で延びるケーブルとすることができる。ケーブルは、ループ内に配置されてもよく、ループの異なる側面は、イヤピースのそれぞれのステムに取り付けられ、その結果、ヘッドバンドから離れる１つのイヤピースの動きによって、他のイヤピースがヘッドバンドの反対端から同一の距離を離れて移動する。同様に、ヘッドバンドの１つの側面に向かって１つのイヤピースを押し出すことによって、ヘッドバンドの反対側面に向かって同一の距離で他のイヤピースを転移させる。いくつかの実施形態では、イヤピース同期構成要素は、各々のステムの歯に係合して、同期されたイヤピースを維持するように構成することができるヘッドバンド内に埋め込まれた回転ギアとすることができる。
【０１２６】
ヘッドホンステムとイヤピースとの間の従来のかさばる接続への１つの解決策は、バンドに対するイヤピースの動きを制御するためにバネ駆動旋回機構を使用することである。バネ駆動旋回機構は、イヤピースの最上部の近くに配置されてもよく、それによって、イヤピースの外部にある代わりに、イヤピース内に組み込まれることが可能になる。このようにして、ヘッドホンを全体的にかさばらせることなく、旋回機能性をイヤピースに装備することができる。ヘッドバンドに対するイヤピースの動きを制御するために、異なるタイプのバネが利用されてもよい。ねじりバネ及びリーフバネを含む特定の例が以下に詳細に説明される。各々のイヤピースと関連連付けられたバネは、ヘッドホンを着用しているユーザに及ぼす力の量を設定するために、ヘッドバンド内でバネと協働することができる。いくつかの実施形態では、ヘッドバンド内のバネは、異なる頭部サイズを有するユーザの大きな範囲にわたって及ぼす力の変動を最小化するように構成された低バネ定数バネとすることができる。いくつかの実施形態では、首周りに着用しているとき、ヘッドバンドがユーザの首周りにきつく締まることを防止するように、ヘッドバンド内の低定数バネの移動を制限することができる。
【０１２７】
大きなヘッドバンドの形状因子の問題への１つの解決策は、イヤピースに対して平坦化するようにヘッドバンドを設計することである。平坦化ヘッドバンドによって、ヘッドバンドの弓型形状が平坦形状に小型化されることが可能になり、ヘッドホンが更に便利な格納及び運搬に適切なサイズ及び形状を達成することが可能になる。イヤピースは、イヤピースがヘッドバンドの中心に向かって折り畳まれることが可能になる折り畳み可能ステム領域によってヘッドバンドに取り付けられてもよい。ヘッドバンドに向かって各々のイヤピースを折り畳むために適用される力は、ヘッドバンドを平坦化するようにヘッドバンドの対応する端を引っ張る機構に伝達される。いくつかの実施形態では、ステムは、ヘッドホンが弓型状態に再度遷移するために解放ボタンを追加する必要なく、ヘッドホンが弓型状態に意図せずに戻ることを防止するオーバセンタロック機構を含むことができる。
【０１２８】
無線ヘッドホンと関連付けられた電力管理問題への解決策は、方位センサをイヤピースに組み込むことを含み、イヤピースは、バンドに対するイヤピースの方位を監視するように構成されてもよい。バンドに対するイヤピースの方位は、ヘッドホンがユーザの耳の上に着用されているか否かを判定するために使用されてもよい。この情報は次いで、ヘッドホンがユーザの耳の上に配置されていると判定されないとき、ヘッドホンをスタンバイモードに置き、又はヘッドホンを全体的にシャットダウンするために使用されてもよい。いくつかの実施形態では、イヤピースの方位センサは、イヤピースが現在ユーザのどちらの耳を覆っているかを判定するためにも利用されてもよい。ヘッドホン内の回路は、イヤピースがユーザのどちらの耳の上にあるかに関する判定に一致するために、各々のイヤピースに経路指定されたオーディオチャネルを切り替えるように構成されてもよい。
【０１２９】
これら及び他の実施形態について、図１〜図３１Ｅを参照して以下で論じる。それらの図に関して本明細書で与えられる詳細な説明が説明のみを目的とし、限定的であると見なされるべきではないことを当業者は容易に理解するであろう。
対称伸縮式イヤピース
【０１３０】
図１Ａは、オーバイヤ型又はオンイヤ型のヘッドホン１００の例示的なセットの正面図を示す。ヘッドホン１００は、ヘッドホン１００のサイズの調節機能を可能にするようにステム１０４及び１０６と相互作用するバンド１０２を含む。特に、ステム１０４及び１０６は、複数の異なる頭部サイズに適合するために、バンド１０２に対して独立してシフトするように構成されている。このようにして、イヤピース１０８及び１１０をユーザの耳の上に直接位置付けるようにイヤピース１０８及び１１０の位置を調節することができる。残念ながら、図１Ｂから理解することができるように、このタイプの構成によって、ステム１０４及び１０６は、バンド１０２に対して不一致になる可能性がある。図１Ｂに示される構成は、ユーザに対してあまり快適にせず、加えて、装飾的な魅力に欠けることがある。それらの問題を是正するために、ユーザは、望ましい外観及び快適な適合を達成するために、バンド１０２に対してステム１０４及び１０６を手動で調節することを強要される。図１Ａ〜図１Ｂは、イヤピース１０８によってユーザの頭部の湾曲に適合するように回転することが可能になるように、ステム１０４及び１０６がイヤピース１０８の中心部分に向かって下方にどのように延びるかを示す。上記で言及されたように、イヤピース１０８の周りを下方に延びるステム１０４及び１０６の部分は、イヤピース１０８の直径を増大させる。
【０１３１】
図２Ａは、図１Ａ〜図１Ｂに示す問題を解決するように構成されたヘッドバンド２０２を有するヘッドホン２００の斜視図を示す。ヘッドバンド２０２は、内部特徴部を見せる装飾的な被覆なしで記述される。特に、ヘッドバンド２０２は、ステム２０６及び２０８の移動を同期するように構成されたワイヤループ２０４を含むことができる。ワイヤガイド２１０は、リーフバネ２１２及び２１４の湾曲に一致するワイヤループ２０４の湾曲を維持するように構成されてもよい。リーフバネ２１２及び２１４は、ヘッドバンド２０２の形状を定め、ユーザの頭部の上に力を及ぼすように構成されてもよい。ワイヤガイド２１０の各々は、開口を含むことができ、開口部を通じて、ワイヤループ２０４並びにリーフバネ２１２及び２１４の両側面が通ることができる。いくつかの実施形態では、ワイヤループ２０４に対する開口は、顕著な摩擦が開口を通じてワイヤループ２０４の動きを妨げることを防止するために、低摩擦ベアリングによって定められてもよい。このようにして、ワイヤガイド２１０は、それに沿ってワイヤループ２０４がステム筐体２１６及び２１８の間で延びる経路を定める。ワイヤループ２０４は、ステム２０６及びステム２０８の両方に結合されており、イヤピース１２６とステム筐体１１８との間の距離１２４と実質的に同一に、イヤピース１２２とステム筐体１１６との間の距離１２０を維持するように機能する。ワイヤループ２０４の第１の側面２０４−１は、ステム２０６に結合されており、ワイヤループ２０４の第２の側面２０４−２は、ステム２０８に結合されている。ワイヤループの反対側面がステム２０６及び２０８に取り付けられるため、ステムのうちの１つの移動は、同一の方向の他のステムの移動をもたらす。
【０１３２】
図２Ｂは、切断線Ａ−Ａに従ったステム筐体１１６の一部分の断面図を示す。具体的には、図２Ｂは、どのようにステム２０６の突出部２２８がワイヤループ２０４の一部と係合するかを示す。ステム２０６の突出部２２８がワイヤループ２０４と結合されているため、ヘッドホン１００のユーザがステム筐体２１６から更に遠くにイヤピース２２２を引っ張るとき、ワイヤループ２０４も引っ張られ、ヘッドバンド２０２を通じてワイヤループ２０４を循環させる。ヘッドバンド２０２を通じたワイヤループ２０４の循環は、イヤピース２２６の位置を調節し、イヤピース２２６は、ステム２０８の突出部によってワイヤループ２０４に同様に結合されている。ワイヤループ２０４との機械的結合を形成することに加えて、突出部２２８は、ワイヤループ２０４にも電気的に結合されてもよい。いくつかの実施形態では、突出部２２８は、ワイヤループ２０４をイヤピース２２２内の電気構成要素に電気的に結合する導電路２３０を含むことができる。いくつかの実施形態では、ワイヤループ２０４は、導電材料から形成されてもよく、その結果、ワイヤループ２０４によって、イヤピース２２２及び２２６内の構成要素の間で信号を転送することができる。
【０１３３】
図２Ｃは、切断線Ｂ−Ｂに従ったステム筐体１１６の別の断面図を示す。具体的には、図２Ｃは、どのようにワイヤループ２０４がステム筐体２１６内のプーリー２３２と係合するかを示す。プーリー２３２は、ステム筐体２１６に近づき又はステム筐体２１６から更に遠くへのイヤピース２２２の移動によって生じるいずれかの摩擦を最小化する。代わりに、ワイヤループ２０４は、ステム筐体２１６内の静的ベアリングを通じて経路指定されてもよい。
【０１３４】
図２Ｄは、ヘッドホン２００の別の斜視図を示す。この図では、ワイヤループ２０４の第１の側面２０４−１及び第２の側面２０４−２が、それらがヘッドバンド２０２の１つの側面から他の側面に交差するにつれて横方向にシフトすることが理解できる。これは、徐々にオフセットされるワイヤガイド２１０によって定められた開口によって達成されてもよく、その結果、側面２０４−１及び２０４−２がステム筐体２１８に到達する時まで、第２の側面２０４−２は、図２Ｅに記述されるように、中心に置かれ、ステム２０８と位置合わせされる。
【０１３５】
図２Ｅは、第２の側面２０４−２が突出部２３４によってどのように係合されるかを示す。ステム２０６及び２０８がワイヤループ２０４の第１の側面及び第２の側面にそれぞれ取り付けられるため、ステム筐体２１８に向かってイヤピース２２６を押し出すことによって、イヤピース２２２がステム筐体２１６に向かって押し出されることになる。図２Ａ〜図２Ｅに記述された構成の別の利点は、ステム２０６及び２０８の移動の方向に関わらず、ワイヤループ２０４が常に張ったままであることである。これは、方向に関わらず、イヤピース２２２及び２２６を一貫して延長させ、又は格納するために必要な力の量を維持する。
【０１３６】
図２Ｆ〜図２Ｇは、ヘッドホン２５０の斜視図を示す。ヘッドホン２５０は、ステム筐体２５４をステム筐体２５６に接続するために単一のリーフバネ２５２が使用されることのみを除き、ヘッドホン２００と同様である。この実施形態では、ワイヤループ２５８は、リーフバネ２５２のいずれかの側面に配置されてもよい。ワイヤループ２５８の１つの側面の下に直接位置付けられる代わりに、ステム２６０及び２６２は、ワイヤループ２５８の２つの側面の間に直接配置されてもよく、ステム２６０及び２６２のアームによって、ワイヤループ２５８の１つの側面に接続されてもよい。
【０１３７】
図２Ｈ及び図２Ｉは、ステム筐体２５４及び２５６の内部部分の断面図を示す。図２Ｈは、切断線Ｄ−Ｄに従ったステム筐体２５４の断面図を示す。図２Ｈは、どのようにステム２６０が、ワイヤループ２５８と係合する横方向に突出するアーム２６８を含むことができるかを示す。このようにして、横方向突出アーム２６８は、ステム２６０をワイヤループ２５８に結合し、その結果、イヤピース２６４が移動するとき、イヤピース２６６が同等の位置に維持される。図２Ｉは、切断線Ｅ−Ｅに従ったステム筐体２５６の断面図を示す。図２Ｉはまた、どのようにワイヤループ２５８をプーリー２７０及び２７２によってステム筐体２５６内で経路指定することができるかを示す。ステム２６２の上でワイヤループ２５８を経路指定することによって、ワイヤループ２５８とステム２０６との間のいずれかの干渉を回避することができる。
【０１３８】
図３Ａ〜図３Ｃは、図１Ａ〜１Ｂで説明された問題を解決するように構成された別のヘッドホンの実施形態を示す。図３Ａは、ヘッドバンドアセンブリ３０２を含むヘッドホン３００を示す。ヘッドバンドアセンブリ３０２は、ステム３０８及び３１０によってイヤピース３０４及び３０６に連結されている。ヘッドバンドアセンブリ３０２のサイズ及び形状は、どの程度の調節機能がヘッドホン３００に対して望ましいかに応じて変化してもよい。
【０１３９】
図３Ｂは、ヘッドホン３００がその最大サイズに拡大するときのヘッドバンドアセンブリ３０２の断面図を示す。特に、図３Ｂは、ヘッドバンドアセンブリ３０２が、ステム３０８及び３１０の各々の端によって定められた歯に係合するように構成されたギア３１２をどのように含むかを示す。いくつかの実施形態では、ステム３０８及び３１０は、ステム３０８及び３１０によって定められた開口に係合することによって、バネピン３１４及び３１６によりヘッドバンドアセンブリ３０２から完全に引っ張られることを防止されてもよい。
【０１４０】
図３Ｃは、ヘッドホン３００がより小さいサイズに縮小するときのヘッドバンドアセンブリ３０２の断面図を示す。特に、図３Ｃは、ギア３１２が、ギア３１２によって他のステムに転移されるステム３０８又はステム３１０のいずれかの移動により同期されたステム３０８及び３１０の位置をどのように維持するかを示す。いくつかの実施形態では、ヘッドバンドアセンブリ３０２の外側を定める筐体の剛性は、ヘッドホン３００のユーザにより一貫した感触を有するヘッドバンドを提供するために、ステム３０８及び３１０の剛性に一致するように選択されてもよい。
【０１４１】
図３Ｄは、ステム３０８及び３１０の代替的な実施形態を示す。ステム３０８及び３１０の端を隠すカバーは、ステムの位置を同期する機構の特徴部を更に明確に示すように取り除かれている。ステム３０８は、ステム３０８の部分を通じて延びる開口３１８を定める。開口３１８の１つの側面は、ギア３２０に係合するように構成された歯を有する。同様に、ステム３１０は、ステム３１０の部分を通じて延びる開口３２２を定める。開口部３２２の１つの側面は、ギア３２０に係合するように構成された歯を有する。開口３１８及び３２２の両側面がギア３２０に係合するため、ステム３０８及び３１０のうちの１つのいずれかの動きによって、他のステムが移動する。このようにして、ステム３０８及びステム３１０の各々の端に配置されたイヤピースが同期される。
【０１４２】
図３Ｅは、ステム３０８及び３１０の上面図を示す。図３Ｅは、ステム３０８及び３１０によって定められたギア付き開口を隠し、ステム３０８及び３１０の端の動きを制御するカバー３２４の輪郭をも示す。図３Ｆは、カバー３２４によって覆われたステム３０８及び３１０の側断面図を示す。ギア３２０は、ギア３２０についての回転軸を定めるベアリング３２６を含むことができる。いくつかの実施形態では、ベアリング３２６の最上部は、カバー３２４から突出することができ、ユーザがベアリング３２６を手動で回転させることによってイヤピース位置を調節することが可能になる。ユーザは、ステム３０８及び３１０のうちの１つを単純に押し出し、又は引っ張ることによってイヤピース位置を調節することができることも認識されるべきである。
【０１４３】
図３Ｇは、同期されたイヤピース３０４及び３０６の各々とヘッドバンド３３０との間距離を維持するために、ヘッドバンド３３０内のループ３２８を利用する（ヘッドバンド３３０の位置を示すために矩形形状が使用されるにすぎず、例示のみを目的として解釈されるべきではない）別のイヤピース同期システムの平坦概略図を示す。ステムワイヤ３３２及び３３４は、それぞれのイヤピース３０４及び３０６をループ３２８に結合する。ステムワイヤ３３２及び３３４は、金属から形成されてもよく、ループ３２８の両側面に半田付けされてもよい。ステムワイヤ３３２及び３３４がループ３２８の両側面に結合されているため、方向３３６へのイヤピース３０６の移動は、ステムワイヤ３３２が方向３３８に移動することをもたらす。したがって、イヤピース３０６をヘッドバンド３３０のより近くに移動させることによっても、ステムワイヤ３３２が移動し、その結果、イヤピース３０４がヘッドバンド３３０のより近くになる。ヘッドバンド３３０のより近くに移動した後のイヤピース３０４及び３０６の新たな位置を示すことに加えて、図３Ｈは、イヤピース３０４を方向３４０に移動させることによって、イヤピース３０６を方向３４２に及びヘッドバンド３３０から更に遠くにどのように自動で移動させるかを示す。記述されないが、ヘッドバンド３３０は、ループ３２８並びにステムワイヤ３３２及び３３４を記述された形状に維持するために様々な補強部材を含むことができることが認識されるべきである。
【０１４４】
図３Ｉ〜図３Ｊは、図３Ｇ〜３Ｈに記述された１つと同様の別のイヤピース同期システムの平坦概略図を示す。図３Ｉは、介在ループなしにステム３４４及び３４６の端を相互に直接どのように結合することができるかを示す。ステム３４４及び３４６をループ３２８と同様の形状を有するパターンに延長させることによって、追加のループ構造の必要なしに同様の結果を達成することができる。ステム３４４及び３４６の移動は、補強部材３４８、３５０、及び３５２によって援助され、補強部材３４８、３５０、及び３５２は、ステム３４４及び３４６のバックリングを防止することを支援すると共に、イヤピース３０４及び３０６の位置が調節される。補強部材３４８〜３５２は、チャネルを定めることができ、チャネルを通じて、ステム３４４及び３４６が円滑に通る。それらのチャネルは、ステム３４４及び３４６が湾曲する位置において部分的に有用であることがある。湾曲したチャネルを定めないが、補強部材３５２はなお、方向３５４及び３５６へのステム３４４及び３４６の端の移動の方向を制限する重要な目的を果たす。方向３５６への移動は、図３Ｊに記述されたように、イヤピースがヘッドバンド３３０に移動することをもたらす。方向３５４への移動は、イヤピース３０４及び３０６がヘッドバンド３３０から更に遠くに移動することをもたらす。
【０１４５】
図３Ｋ〜図３Ｌは、図３Ｇ〜図３Ｊに記述されたイヤピース同期システムのいずれか１つの組み込みに適切なヘッドホン３６０の断面図を示す。図３Ｋは、格納されたイヤピース、並びにステムアセンブリ３６２の位置をステムアセンブリ３６４の位置に係合させ、同期するためにヘッドバンド３３０から延在するステムワイヤ３３２及び３３４を有するヘッドホン３６０を示す。ステムアセンブリ３６４内で支持構造３６６に結合されたステム３３４が記述され、ステムアセンブリ３６４によって、ステムアセンブリ３６４と同期されたステムアセンブリ３６２を維持するために、ステム３３４の延長及び格納が可能になる。記述されるように、ステムアセンブリ３６２は、ヘッドバンド３３０によって定められたチャネル内に配置されており、ヘッドバンド３３０によって、ステムアセンブリ３６２がヘッドバンド３３０に対して移動することが可能になる。図３Ｋは、データ同期ケーブル３６８がヘッドバンド３３０を通じてどのように延長することができるか、並びにステムワイヤ３３４及びステムワイヤ３３２の両方の部分の周りをどのように覆うことができるかも示す。ステムワイヤ３３２及び３３４の周りを覆うことによって、データ同期ケーブル３５６は、ステムワイヤ３３２及び３３４のバックリングを防止するための補強部材としての役割を果たすことが可能である。データ同期ケーブル３５６は、ヘッドホン３６０の再生操作の間に正確に同期された音声を維持するために、イヤピース３０４及び３０６の間で信号を交換するように全体的に構成されている。
【０１４６】
図３Ｌは、データ同期ケーブル３６８のコイル構成がステムアセンブリ３６２及び３６４の延長にどのように適合するかを示す。データ同期ケーブル３６８は、ステムワイヤ３３２及び３３４がコイルによって定められた中心開口を通じてスライドすることを可能にする、被膜を有する外部面を有することができる。図３Ｌは、イヤピース３０４及び３０６がヘッドバンド３３０の中心部分からの同一の距離をどのように維持するかをも示す。
【０１４７】
図３Ｍ〜図３Ｎは、データ同期ケーブル３６８と共に格納された位置及び延長された位置にある図３Ｇ〜３Ｈに記述されたイヤピース同期システムの斜視図を示す。図３Ｍは、ステムワイヤ３３２が少なくとも部分的にループ３２８の部分を囲む取り付け特徴部３７０をどのように含むかを示す。このようにして、ステムワイヤ３３２、ステムワイヤ３３４、及び支持構造３６６は、ループ３２８に沿って移動する。図３Ｍは、ヘッドバンド３３０を覆うことが、ループ３２８、ステムワイヤ３３２、及びステムワイヤ３３４に少なくとも部分的にどのように従うことができるかを例示する破線をも示す。
【０１４８】
図３Ｏは、キャノピ構造３７２の部分、及びキャノピ構造３７２の補強部材３７４を通じてイヤピース同期システムをどのように経路指定することができるかを示す。補強部材３７４は、所望の経路に沿ってループ３２８及びステムワイヤ３３２を案内することを支援する。いくつかの実施形態では、キャノピ構造３７２は、ユーザの耳に固定されたイヤピースを維持することを支援するバネ機構を含むことができる。
オフセンタ旋回イヤピース
【０１４９】
図４Ａ〜図４Ｂは、オフセンタ旋回イヤピースを有するヘッドホン４００の正面図を示す。図４Ａは、ヘッドバンドアセンブリ４０２を含むヘッドホン４００の正面図を示す。いくつかの実施形態では、ヘッドバンドアセンブリ４０２は、ヘッドホン４００のサイズをカスタマイズする調節可能バンド及びステムを含むことができる。イヤピース４０４の上部に結合されたヘッドバンドアセンブリ４０２の各々の端が記述される。これは、旋回ポイントをイヤピース４０４の中心に置き、その結果、イヤピース４０４がユーザの頭部の面に並列してイヤピース４０４が配置されている角度に移動することを可能にする方向にイヤピースが自然に旋回することができる、従来の設計とは異なる。残念ながら、このタイプの設計は、イヤピース４０４のいずれかの側面に延びるかさばるアームを全体的に必要とし、それによって、イヤピース４０４のサイズ及び重量を相当に増大させる。イヤピース４０４の最上部の近くで旋回ポイント４０６を特定することによって、関連付けられた旋回機構構成要素は、イヤピース４０４内でパッケージ化されてもよい。
【０１５０】
図４Ｂは、イヤピース４０４の各々についての動き４０８の例示的な範囲を示す。動き４０８の範囲は、平均頭部サイズ測定に関して実行された調査に基づいて、ユーザの大部分に適合するように構成されてもよい。この更に小型の構成はなお、イヤピースの中心を通じて力を適用すること、及び音響シールを確立することを含む、上記説明された更なる従来の構成と同一の機能を実行することができる。いくつかの実施形態では、動き４０８の範囲は、約１８度とすることができる。いくつかの実施形態では、動き４０８の範囲は、定められた止め部を有しないことがあるが、代わりに、それが中立位置から遠くになるにつれて変形するように徐々に固くなる。旋回機構構成要素は、ヘッドホンが使用中のときに、適度な保持力をユーザの耳に適用するように構成されたバネ要素を含むことができる。バネ要素は、ヘッドホン４００が着用されなくなると、イヤピースを中立位置に再度至らせることもできる。
【０１５１】
図５Ａは、イヤピースの上部での使用のための例示的な旋回機構５００を示す。旋回機構５００は、２つの軸の周りの動きに適合するように構成されてもよく、それによって、ヘッドバンドアセンブリ４０２に対するイヤピース４０４についてのロール及びヨーの両方への調節が可能になる。旋回機構５００は、ヘッドバンドアセンブリに結合することができるステム５０２を含む。ステム５０２の１つの端は、ステム５０２がヨー軸５０６の周りを回転することを可能にする、ベアリング５０４内に配置されている。ベアリング５０４も、ステム５０２をねじりバネ５０８に結合し、ねじりバネ５０８は、ロール軸５１０の周りのイヤピース４０４に対するステム５０２の回転に対抗する。ねじりバネ５０８の各々も、取り付けブロック５１２に結合されてもよい。取り付けブロック５１２は、締め具５１４によってイヤピース４０４の内部面に固定されてもよい。ベアリング５０４は、ブッシング５１６によって取り付けブロック５１２に回転可能に結合されてもよく、ブッシング５１６によって、ベアリング５０４が取り付けブロック５１２に対して回転することが可能になる。いくつかの実施形態では、ロール及びヨー軸は、相互に実質的に直交することができる。このコンテキストでは、実質的に直交するとは、２つの軸の間の角度が正確に９０度ではなくてもよく、２つの軸の間の角度が８５〜９５度の角度にとどまることを意味する。
【０１５２】
図５Ａは、磁界センサ５１８も記述する。磁界センサ５１８は、旋回機構５００内で磁石の動きを検出する能力を有する磁器計又はホール効果センサの形式をとることができる。特に、磁界センサ５１８は、取り付けブロック５１２に対するステム５０２の動きを検出するように構成されてもよい。このようにして、磁界センサ５１８は、旋回機構５００と関連付けられたヘッドホンが着用されているときを検出するように構成されてもよい。例えば、磁界センサ５１８がホール効果センサの形式をとるとき、ベアリング５０４と結合された磁石の回転は、磁界センサ５１８を飽和にするその磁石によって放出された磁界の両極性をもたらすことができる。磁界によるホール効果センサの飽和によって、ホール効果センサが、フレキシブル回路５２０によって信号をヘッドホン４００内の他の電子デバイスに送信される。
【０１５３】
図５Ｂは、イヤピース４０４のクッション５２２の背後に配置された旋回機構５００を示す。このようにして、旋回機構５００は、ユーザの耳に適合するように通常左が開放された空間に影響することなく、イヤピース４０４内で統合されてもよい。クローズアップ図５２４は、旋回機構５００の断面図を示す。特に、クローズアップ図５２４は、締め具５２８内に配置された磁石５２６を示す。ステム５０２がロール軸５１０の周りを回転するにつれて、磁石５２６はそれと共に回転する。磁界センサ５１８は、それが回転するにつれて磁石５２６によって放出された場の回転を検知するように構成されてもよい。いくつかの実施形態では、磁界センサ５１８によって生成された信号は、ヘッドホン４００を起動及び／又は停止するために使用されてもよい。これは特に、ほとんどのユーザによって着用されるときにイヤピース４０４をユーザの頭部から離れて回転させる角度において、ユーザに向かって向けられた各々のイヤピース４０４の底端にイヤピース４０４の中立状態が対応するときに有効であることがある。この方式でヘッドホン４００を設計することによって、その中立位置から離れた磁石５２６の回転は、ヘッドホン４００が使用中であることのトリガとして使用されてもよい。それに対応して、その中立位置への磁石５２６の再度の移動は、ヘッドホン４００が使用されていないことのインジケータとして使用されてもよい。ヘッドホン４００の電力状態は、ヘッドホン４００が使用中でない間に電力を節約するためにそれらのインジケーションに一致することができる。
【０１５４】
図５Ｂのクローズアップ図５２４は、ステム５０２がベアリング５０４内でどのようにねじることが可能であるかを示す。ステム５０２は、ねじキャップ５３０に結合されており、ねじキャップ５３０によって、ステム５０２がベアリング５０４内でヨー軸５０６の周りをねじることが可能になる。いくつかの実施形態では、ねじキャップ５３０は、それを通じてステム５０２がねじることができる動きの範囲を制限する機械的止め部を定めることができる。磁石５３２は、ステム５０２内に配置されており、ステム５０２に沿って回転するように構成されている。磁界センサ５３４は、磁石５３２によって放出された磁界の回転を測定するように構成されてもよい。いくつかの実施形態では、磁界センサ５３４からセンサ読み取り値を受け取るプロセッサは、ヨー軸に対する磁石５３２の角度方位における閾値量の変化が発生したことを示すセンサ読み取り値に応答して、ヘッドホン４００の動作パラメータを変更するように構成されてもよい。
【０１５５】
図６Ａは、ヘッドホンのイヤピース４０４の最上部内で適合するように構成された別の旋回機構６００の斜視図を示す。旋回機構６００の全体的な形状は、イヤピースの最上部内で利用可能な空間に従うように構成されている。旋回機構６００は、イヤピース４０４の矢印６０１によって示される方向への動きに対抗するために、ねじりバネの代わりにリーフバネを利用する。旋回機構６００は、ベアリング６０４内に配置された１つの端を有するステム６０２を含む。ベアリング６０４によって、ヨー軸６０５の周りのステム６０２回転が可能になる。ベアリング６０４はまた、バネレバー６０８を通じてステム６０２をリーフバネ６０６の第１の端に結合する。リーフバネ６０６の各々の第２の端は、バネアンカー６１０の対応する１つに結合されている。バネアンカー６１０は、透明であり、その結果、リーフバネ６０６の各々の第２の端がバネアンカー６１０の中心部分に係合する位置を確認することができるとして記述される。この位置付けによって、リーフバネ６０６が２つの異なる方向に屈曲することが可能になる。バネアンカー６１０は、各々のリーフバネ６０６の第２の端をイヤピース筐体６１２に結合する。このようにして、リーフバネ６０６は、ステム６０２とイヤピース筐体６１２との間の柔軟性のある結合を生じさせる。旋回機構６００は、ヘッドバンドアセンブリ４０２（記述されず）によって２つのイヤピース４０４の間で電気信号を経路指定するように構成されたケーブリング６１４を含むことができる。
【０１５６】
図６Ｂ〜図６Ｄは、イヤピース４０４の動きの範囲を示す。図６Ｂは、偏向していない状態にあるリーフバネ６０６を有する、中立状態にあるイヤピース４０４を示す。図６Ｃは、第１の方向に偏向しているリーフバネ６０６を示し、図６Ｄは、第１の方向とは反対の第２の方向に偏向しているリーフバネ６０６を示す。図６Ｃ〜図６Ｄは、クッション５２２とイヤピース筐体６１２との間の領域がリーフバネ６０６の偏向にどのように適合することができるかをも示す。
【０１５７】
図６Ｅは、旋回機構６００の拡大図を示す。図６Ｅは、ヨー軸６０５の周りで可能な回転量を規制する機械的止め部を記述する。ステム６０２は、上部ヨーブッシング６１８によって定められたチャネル内で移動するように構成された突出部６１６を含む。記述されるように、上部ヨーブッシング６１８によって定められたチャネルは、１８０度よりも大きな回転を可能にする長さを有する。いくつかの実施形態では、チャネルは、イヤピース４０４についての中立位置を定めるように構成された戻り止めを含むことができる。図６Ｅは、ヨー磁石６２０に適合することができるステム６０２の部分をも記述する。磁石６２０によって放出された磁界は、磁界センサ６２２によって検出されてもよい。磁界センサ６２２は、旋回機構６００の残りに対するステム６０２の回転角度を判定するように構成されてもよい。いくつかの実施形態では、磁界センサ６２２は、ホール効果センサとすることができる。
【０１５８】
図６Ｅは、リーフバネ６０６の偏向の量を測定するように構成することができる、ロール磁石６２４及び磁界センサ６２６をも記述する。いくつかの実施形態では、旋回機構６００は、リーフバネ６０６内で生じた歪みを測定するように構成された歪みゲージ６２８をも含むことができる。リーフバネ６０６内で測定された歪みは、どの方向及びどの程度リーフバネが偏向されているかを判定するために使用されてもよい。このようにして、歪みゲージ６２８によって記録されたセンサ読み取り値を受け取るプロセッサは、リーフバネ６０６が屈曲しているかどうか、及びリーフバネ６０６が屈曲している方向を判定することができる。いくつかの実施形態では、歪みゲージから受け取った読み取り値は、旋回機構６００と関連付けられたヘッドホンの動作状態を変更するように構成されてもよい。例えば、動作状態は、歪みゲージからの読み取り値に応答して、旋回機構６００と関連付けられたスピーカによって媒体が提示されている再生状態からスタンバイ状態又は非アクティブ状態に変更されてもよい。いくつかの実施形態では、リーフバネ６０６が偏向されていない状態にあるとき、これは、旋回機構６００と関連付けられたヘッドホンがユーザによって着用されていないことを示すことができる。他の実施形態では、歪みゲージは、ヘッドバンドバネ上に配置されてもよい。これにより、そのポイントで媒体ファイルの再生を再開するようにヘッドホンを構成することができる、ユーザの頭部にヘッドホンを再度置くまで、ユーザが媒体ファイル内の位置を維持することが可能になるので、この入力に基づいて再生を中断することは非常に便利なことがある。シール６３０は、旋回機構６００の操作を妨げることがある異質粒子の侵入を防止するために、ステム６０２とイヤピースの外部面との間の開口を閉じることができる。
【０１５９】
図６Ｆは、旋回機構６００とはいくつかの点で異なる、別の旋回機構６５０の斜視図を示す。リーフバネ６５２は、旋回機構６００のリーフバネ６０６とは異なる方位を有する。具体的には、リーフバネ６５２は、リーフバネ６０６とは約９０度異なって向けられている。これは、旋回機構６５０と関連付けられたイヤピースの回転に対抗するリーフバネ６５２の厚さ寸法をもたらす。図６Ｆは、フレキシブル回路６５４及びボードツーボードコネクタ６５６をも示す。フレキシブル回路は、リーフバネ６５２上に配置された歪みゲージを、回路基板又は旋回機構６５０上の他の導電経路に電気的に結合することができる。旋回機構６５０はまた、イヤピース間で電気信号を搬送する、ヘッドバンドと関連付けられたレセプタクル内にプラグ接続するように構成された電気プラグ６５８を含むことができる。電気プラグ６５８は、電気プラグ６５８を介して異なる種類の電力及び／又は信号を経路指定するための複数の電気接点６５９を含むことができる。
【０１６０】
図６Ｇは、締め具６６２及びブラケット６６３によってイヤピース筐体６１２に取り付けられた別の旋回アセンブリ６６０を示す。旋回アセンブリ６６０は、並んで配置された複数の螺旋バネ６６４を含むことができる。このようにして、螺旋コイル６６４は、旋回アセンブリ６６０によってもたらされた抵抗の量を並列して増大させるよう作用することができる。螺旋バネ６６４は、ピン６６６及び６６８によって適切な位置に保持され、安定化される。アクチュエータ６７０は、ステム基部６７２の回転から受けたいずれかの力を螺旋バネ６６４に転移させる。このようにして、螺旋バネ６６４は、ステム基部６７４の回転への所望の量の抵抗を確立することができる。
【０１６１】
図６Ｈ〜図６Ｉは、異なる位置内でのステム基部６７４の回転を例示するために取り除かれた１つの側面を有する旋回アセンブリ６６０を示す。特に、図６Ｈ〜図６Ｉは、ステム基部６７２の回転がアクチュエータ６７０の回転及び螺旋バネ６６４の圧縮をどのようにもたらすかを示す。
【０１６２】
図６Ｊは、イヤピース筐体６１２内に配置された旋回アセンブリ６６０の切断斜視図を示す。いくつかの実施形態では、ステム基部６７２は、記述されるように、ステム基部６７２とアクチュエータ６７０との間の摩擦を減少させるためのベアリング６７４を含むことができる。図６Ｊは、ブラケット６６３がピン６６６を適切な位置に固定するベアリングをどのように定めることができるかを示す。螺旋バネ６６４を確実に適切な位置に維持する平坦化凹部を定めるピン６６６及び６６８も示される。いくつかの実施形態では、平坦化凹部は、螺旋バネ６６４の中心開口に延びる突出部を含むことができる。
【０１６３】
図６Ｋ〜図６Ｌは、弛緩状態及び圧縮状態にある螺旋バネ６６４を有するイヤピース筐体内に配置された旋回アセンブリ６６０の部分側断面図を示す。特に、図６Ｋにおける第１の位置から最大偏向の第２の位置にシフトするときに、アクチュエータ６７０が受ける動きが明確に記述される。図６Ｋ及び６Ｌは、ステム基部に対してイヤピース筐体が達成することができる回転量を制限することを支援する機械的止め部６７６をも記述する。
【０１６４】
図６Ｍ〜図６Ｎは、その旋回アセンブリから分離されたステム基部６７２の異なる２つの回転位置の側面図を示す。具体的には、２つの永久磁石６７８及び６８０は、ステム基部６７２に堅く結合された状態で示されている。永久磁石６７８及び６８０は、反対方向に向けられた極性を有する磁界を放射する。磁界センサ６８２は、回転軸６８４周りのステム基部６７２の回転中に磁界センサ６８２がステム基部６７２に対して動かないままでいるように、イヤピース筐体６１２に取り付けられる。
【０１６５】
このようにして、磁界センサ６８２は、図６Ｍに示す第１の位置では永久磁石６８０に、図６Ｎに示す第２の位置では磁界センサ６７８に、近接して配置される。永久磁石６７８及び６８２の反対の極性により、磁界センサ６８２が図示した２つの位置を区別することが可能になる。いくつかの実施形態では、位置は、約２０度だけ変化してもよい。しかしながら、ステム基部６７２の動きの全範囲は、約１０〜３０度変化してもよい。いくつかの実施形態では、磁界センサ６８２は、磁気計又はホール効果センサの形態をとることができる。磁界センサ６８２の感度に応じて、磁界センサ６８２は、イヤピース筐体６１２に対するステム基部６７２の近似角度を測定するように構成することができる。例えば、図示した回転位置が２０度だけ異なる場合、１０度の中間位置は、磁界方向が１つの方向から別の方向に遷移する磁界センサ６８２からのセンサ読取値によって推測されてもよい。いくつかの実施形態では、磁界センサ６８２は、単一の永久磁石のみで動作するように構成することができ、磁界センサ６８２によって検出された磁界強度のみに基づいて、ステム基部６７２の回転位置を判定するように構成することができる。代替的な実施形態では、磁界センサ６８２は、ステム基部６７２に結合することができ、永久磁石６７８及び６８０は、イヤピース筐体に結合することができ、その結果、磁界センサ６８２がイヤピース筐体内で移動することに留意されたい。
低バネ定数バンド
【０１６６】
図７Ａは、ヘッドバンドアセンブリにおける使用に適切なバネバンド７００の複数の位置を示す。バネバンド７００は、バネバンド７００の変形に応答してバンドによって生じる力を、ずれに応じて低速に変化させる、低バネ定数を有することができる。残念ながら、低バネ定数は、バネが特定の量の力を及ぼす前に、より大きな量のずれを経験する必要があることをもたらす。異なる位置７０２、７０４、７０６、及び７０８にあるバネバンド７００が記述される。位置７０２は、バネバンド７００によって力が及ぼされない中立状態にあるバネバンド７００に対応することができる。位置７０４において、バネバンド７００は、その中立状態に向かってバネバンド７００を再度押し出す力を及ぼすことを開始することができる。位置７０６は、小さい頭部を有するユーザがバネバンド７００と関連付けられたヘッドホンを使用するときにバネバンド７００を屈曲させる位置に対応することができる。位置７０８は、大きい頭部を有するユーザがバネバンド７００を屈曲させるバネバンド７００の位置に対応することができる。位置７０２及び７０６の間のずれは、バネバンド７００が、バネバンド７００と関連付けられたヘッドホンがユーザの頭部から外れることを避けるように十分な量の力を及ぼすように十分に大きい。更に、低バネ定数に起因して、位置７０８においてバネバンド７００によって及ぼされる力が十分に小さいことがあり、その結果、バネバンド７００と関連付けられたヘッドホンの使用は、ユーザの不快感を生じさせるほど十分に高くない。概して、バネバンド７００のバネ定数が小さければ小さいほど、バネバンド７００によって及ぼされる力の変動が小さくなる。このようにして、低バネ定数バネバンド７００の使用によって、バネバンド７００と関連付けられたヘッドホンが異なるサイズの頭部を有するユーザに、更なる一貫したユーザ経験を与えることが可能になることができる。
【０１６７】
図７Ｂは、バネ力がバネバンド７００のずれに応じてバネ定数に基づいてどのように変化するかを例示するグラフを示す。線７１０は、位置７０２と同等なその中立位置を有するバネバンド７００を表すことができる。記述されるように、これによって、バネバンド７００がヘッドホンの特定のペアについての動きの範囲の中間において、所望の力をなおも経験する相対的に低いバネ定数を有することが可能になる。線７１２は、位置７０４と同等なその中立位置を有するバネバンド７００を表すことができる。記述されるように、動きの所望の範囲の中間において及ぼされる所望の量の力を達成するために、より高いバネ定数が必要とされる。最後に、線７１４は、位置７０６と同等なその中立位置を有するバネバンド７００を表すことができる。線７１４と一貫したプロファイルを有するようにバネバンド７００を設定することによって、動きの所望の範囲についての最小位置においてバネバンド７００によって及ぼされる力をもたらさず、最大位置において線７１０と一貫したプロファイルを有するバネバンド７００と比較して及ぼされる力の量を２倍よりも大きくなる。動きの所望の範囲の前により大きな量のずれを通じて移動するようにバネバンド７００を構成することは、バネバンド７００と関連付けられたヘッドホンを着用しているときに明確な利点を有すると共に、ユーザの首周りに着用しているときにヘッドホンが位置７０２に戻ることが望ましくないことがある。これは、ヘッドホンがユーザの首に居心地悪くまとわりつくことをもたらす。
【０１６８】
図８Ａ〜８Ｂは、ユーザの首周りを非常にきつく覆うことから低バネ定数バネバンドを利用するヘッドホン８００によって生じる不快感を防止する解決策を示す。ヘッドホン８００は、イヤピース８０４に連結するヘッドバンドアセンブリ８０２を含む。ヘッドバンドアセンブリ８０２は、バネバンド７００の内向き面に結合された圧迫バンド８０６を含む。図８Ａは、ヘッドホン８００の最大偏向位置に対応する、位置７０８にあるバネバンド７００を示す。バネバンド７００によって及ぼされる力は、この最大偏向位置を超えてヘッドホン８００を伸張させることを抑止するものとしての役割を果たすことができる。いくつかの実施形態では、バネバンド７００の外向き面は、位置７０８を超えてバネバンド７００の偏向に対抗するように構成された第２の圧迫バンドを含むことができる。図示するように、圧迫バンド８０６のナックル部８０８は、ナックル部８０８の外側面が隣接するナックル部８０８に接しないため、バネバンドが位置７０８にあるときにほとんど目的を果たさない。
【０１６９】
図８Ｂは、位置７０６にあるバネバンド７００を示す。位置７０６において、ナックル部８０８は、位置７０４又は７０２に向かうバネバンド７００の更なるずれを防止するために、隣接するナックル部８０８に接触する。このようにして、圧迫バンド８０６は、バネバンド７００がヘッドホン８００のユーザの首に圧力をかけることを防止することができると共に、低バネ定数バネバンド７００の利点を維持することができる。図８Ｃ〜図８Ｄは、バネバンド７００が過ぎた位置７０６に戻ることを防止するために、別々の及び異なるナックル部８０８をバネバンド７００のより低い側面に沿ってどのように配置することができるかを示す。
【０１７０】
図８Ｅ〜図８Ｆは、イヤピース８０４に対するヘッドバンドアセンブリ８０２の動きを制御するためのバネの使用が、バネバンド７００によって適用される単独の力と比較されるとき、ヘッドホン８００によってユーザに適用される力の量をどのように変化させることができるかを示す。図８Ｅは、バネバンド７００によって及ぼされる力８１０及びヘッドバンドアセンブリ８０２に対するイヤピース８０４の動きを制御するバネによって及ぼされる力８１２を示す。図８Ｆは、少なくとも２つの異なるバネによって供給される力８１０及び８１２がバネのずれに基づいてどのように変化することができるか例示する例示的な曲線を示す。力８１０は、バネバンド７００が中立状態に戻ることを防止する圧迫バンドを理由に、動きの所望の範囲直前まで作用することを開始しない。この理由により、力８１０によって与えられる力の量は、より高いレベルで開始し、力８１０におけるより小さい変動をもたらす。図８Ｆは、力８１４、連続して作用する力８１０及び８１２の結果を例示する。バネを連続して配置することによって、ユーザの頭部のサイズに適合するようにヘッドホン８００が形状を変更するにつれて、結果として生じる力が変化する速度が減少する。このようにして、二重バネ構成は、様々な種類の頭部形状を含むユーザの基部に対してより一貫したユーザ経験を提供することを支援する。
【０１７１】
図８Ｇ〜図８Ｈは、低バネ定数バンド８５２を使用してヘッドホン８５０のペアの動きの範囲を制限する別の方式を示す。図８Ｇは、イヤピース８５６が離れて引っ張られることにより緩んだ状態にあるケーブル８５４を示す。低バネ定数バンド８５２の動きの範囲は、圧迫の代わりに張力の機能の結果として関与する、圧迫バンド８０６の機能と同様の機能を達成するケーブル８５４によって制限されてもよい。ケーブル８５４は、イヤピース８５６の間を延びるように構成されており、アンカー特徴部８５８によってイヤピース８５６の各々に結合されている。ケーブル８５４は、ワイヤガイド８６０によって低バネ定数バンド８５２の上に保持されてもよい。ワイヤガイド８６０は、ワイヤガイド８６０が低バネ定数バンド８５２の上でケーブル８５４を持ち上げるように構成された差異を有し、図２Ａ〜図２Ｇに示すワイヤガイド２１０と同様であってもよい。ワイヤガイド８６０のベアリングは、ケーブル８５４が詰まり、又は望ましくなく絡まることを防止することができる。ケーブル８５４及び低バネ定数バンド８５２は、装飾カバーによって覆われてもよいことに留意されるべきである。いくつかの実施形態では、ケーブル８５４は、イヤピースの位置を同期し、ヘッドホンの動きの範囲を制御する能力を有するヘッドホンを作製するために、図２Ａ〜図２Ｇに示された実施形態と組み合わされてもよいことにも留意されるべきである。
【０１７２】
図８Ｈは、イヤピース８５６が共に近くに至るときにケーブル８５４をどのように締め付け、最終的にイヤピース８５６のより近くへの更なる移動をどのように共に停止するかを示す。このようにして、ヘッドホン８５０が、ユーザの首に非常にきつく圧力をかけることなく、多くの数のユーザの首周りに着用されることを可能にする、イヤピース８５６の間の最小距離８６２が維持されてもよい。
左耳／右耳の検出
【０１７３】
図９Ａは、ユーザの耳９０４の上に配置されたヘッドホンのイヤピース９０２を示す。イヤピース９０２は、少なくとも近接センサ９０６及び９０８を含む。近接センサ９０６及び９０８は、イヤピース９０２によって画定された凹部内に配置され、どちらの耳の上にイヤピース９０２が配置されるかに応じて、近接センサ９０６及び９０８によって検出可能に異なる読み取り値が返されることになる。これは、ほとんどのユーザの耳の非対称な幾何学的形状に起因して可能である。いくつかの実施形態では、近接センサ９０６は、赤外線を放射するように構成された発光器と、ユーザの耳９０４で反射した放射された光を検出するように構成された受光器とを含む。近接センサ９０６内に組み込まれた、又は近接センサ９０６に電気的に結合されたプロセッサは、発光器によって放射された赤外線パルスが光検出器に戻るのに要する時間を測定することによって、近接センサ９０６と耳９０４の近接部分との間の距離を判定するように構成することができる。いくつかの実施形態では、近接センサ９０６はまた、耳の一部分の輪郭をマッピングするように構成することができる。これは、異なる方向に異なる周波数の光を放射するように構成された複数の発光器を用いて達成することができる。次に、異なる周波数を検出及び区別するように構成された１つ以上の受光器によって収集されたセンサ読み取り値を使用して、近接センサ９０６と耳上の異なる位置との間の距離を判定することができる。いくつかの実施形態では、イヤピースに対する耳の形状及び位置に関する更により詳細が所望される場合、近接センサ９０６は、イヤピース９０２の外周の周りに分布させることができる。例えば、いくつかの実施形態では、どちらの耳の上にイヤピースが配置されたかを識別することに加えて、イヤピースに対する耳の回転位置を識別することが望ましい場合がある。センサ読み取り値は、例えば、耳たぶ又は耳介などの耳９０４の特定の特徴を識別するために十分に高い品質とすることができる。いくつかの実施形態では、図示されるように、近接センサ９０８から赤外線が放射される角度は、近接センサ９０６から赤外線が放射される角度とは異なってもよい。このようにして、耳又はユーザの頭部の側面を検出する可能性を高めることができる。図示のように、近接センサ９０８は、イヤピース９０２の内部のより外側に向いていることにより、より早期の検出を達成することができるであろう。そのより浅い角度を有する近接センサ９０６は、ユーザの耳９０４のより大きい領域をカバーすることができるであろう。いくつかの実施形態では、静電容量式センサアレイは、イヤピース９０２の表面の真下に配置することができ、イヤピース９０２の表面９１２に接触する又はごく近接している耳の突出特徴部を識別するように構成することができる。
【０１７４】
図９Ｂは、表面９１２の下の、かつ耳９０４に関連付けられた耳輪郭９１４に近接した静電容量式センサ９１０の位置を示す。耳輪郭９１４は、静電容量式センサ９１０のアレイに最も近接して突出する可能性が最も高い耳９０４の輪郭を表す。静電容量式センサ９１０は、耳９０４の検出された輪郭の部分を識別して、どちらの耳の上にイヤピース９０２が配置されているか、並びに耳９０４に対するイヤピース９０２の任意の回転を判定するように構成することができる。図９Ｂはまた、どのように表面９１２及び静電容量式センサ９１０のアレイの両方が、音響波が実質的に減衰せずに通過することができる開口部９１６又は穿孔を画定するか示す。静電容量式センサ９１０のアレイは、表面９１２の中央部分のみの下に配置されて示されているが、いくつかの実施形態では、静電容量式センサ９１２のアレイは、異なるパターンで配置されて、より大きい又はより小さい量の有効範囲をもたらすことができることを理解されたい。例えば、いくつかの実施形態では、耳９０４の形状及び向きをより完全に特徴付けるために、静電容量式センサ９１０は、表面９１２の大部分にわたって分布させることができる。いくつかの実施形態では、静電容量式センサ９１０及び／又は近接センサ９０６／９０８によってキャプチャされた位置及び向きデータを使用して、イヤピース９０２内に配置されたスピーカからのオーディオ出力を最適化することができる。例えば、オーディオドライバのアレイを有するイヤピースは、耳９０４に中心を置いた又は耳９０４に近接するオーディオドライバのみを作動させるように構成することができる。
【０１７５】
図１０Ａは、ヘッドホン１００２を着用しているユーザ１０００の例示的な頭部の上面図を示す。ユーザ１０００の両側面上のイヤピース１００４が記述される。イヤピース１００４に連結するヘッドバンドは、ユーザ１０００の頭部の特徴をより詳細に示すために省略される。記述されるように、イヤピース１００４は、ヨー軸の周りを回転するように構成されており、よって、それらは、ユーザ１０００の頭部に対して平坦に配置されてもよく、ユーザ１０００の面に向かってわずかに向けられてもよい。大規模グループのユーザに関して行われた調査では、記述されるように、平均して、イヤピース１００４がユーザの耳の上に位置するときにｘ軸を上回ってオフセットされていることが発見された。更に、ユーザの９９％を上回って、ｘ軸に対するイヤピース１００４の角度がｘ軸を上回った。これは、ヘッドホン１００２のユーザの統計的に関連しない部分のみが、イヤピース１００４をｘ軸に向かって向けられる頭部形状を有することを意味する。図１０Ｂは、ヘッドホン１００２の正面図を示す。特に、図１０Ｂは、イヤピース１００４と関連付けられたヨー回転軸１００６を示し、イヤピース１００４の両方がイヤピース１００４に連結するヘッドバンド１００８の同一の側面に受かってどのように向けられているかを示す。
【０１７６】
図１０Ｃ〜図１０Ｄは、ヘッドホン１００２の上面図を示し、イヤピース１００４がヨー回転軸１００６の周りをどのように回転することが可能であるかを示す。図１０Ｃ〜図１０Ｄは、ヘッドバンド１００８によって共に連結されているイヤピース１００４をも示す。ヘッドバンド１００８は、ヘッドバンド１００８に対するイヤピース１００４の各々の角度を判定するように構成することができる、ヨー位置センサ１０１０を含むことができる。ヘッドバンド１００８に対するイヤピースの中立位置に対する角度が測定されてもよい。中立位置は、イヤピース１００４がヘッドバンド１００８の中心領域に向かって直接向けられた位置とすることができる。いくつかの実施形態では、イヤピース１００４は、外力によって作用しないときにイヤピース１００４を中立位置に戻すバネを有することができる。中立位置に対するイヤピースの角度は、時計回り方向又は反時計回り方向に変化することができる。例えば、図１０Ｃでは、イヤピース１００４−１は、反時計回り方向に回転軸１００６−１の周りで偏り、イヤピース１００４−２は、時計回り方向に回転軸１００６−２の周りで偏る。いくつかの実施形態では、センサ１０１０は、イヤピース１００４の角度変化を測定するように構成された飛行時間センサとすることができる。センサ１０１０として関連付けられ、示される記述されたパターンは、イヤピースの各々の回転量の正確な測定を可能にする視覚パターンを表すことができる。他の実施形態では、センサ１０１０は、図５Ｂ及び６Ｅと共に説明された磁界センサ又はホール効果センサの形式をとることができる。いくつかの実施形態では、センサ１０１０は、各々のイヤピースがユーザのどの耳を覆っているかを判定するために使用されてもよい。イヤピース１００４がほとんど全てのユーザに対してｘ軸の背後に向けられているとして既知であるため、センサ１０１０がｘ軸の１つの側面に向かって方位付けられたイヤピース１００４の両方を検出するとき、ヘッドホン１００２は、どちらのイヤピースがどちらの耳の上にあるかを判定することができる。例えば、図１０Ｃは、イヤピース１００４−１がユーザの左耳の上にあり、イヤピース１００４−２がユーザの右耳の上にあると判定することができる構成を示す。いくつかの実施形態では、ヘッドホン１００２内の回路は、音声チャネルを調節するように構成されてもよく、よって、正確なチャネルが正確な耳に配信されている。
【０１７７】
同様に、図１０Ｄは、イヤピース１００４−１がユーザの右耳の上にあり、イヤピース１００４−２がユーザの左耳の上にある構成を示す。いくつかの実施形態では、イヤピースがｘ軸の同一の側面に向かって向けられていないとき、ヘッドホン１００２は、音声チャネルを変更する前に更なる入力を要求することができる。例えば、イヤピース１００４−１及び１００４−２が両方、時計回り方向に偏るとして検出されるとき、ヘッドホン１００２と関連付けられたプロセッサは、ヘッドホン１００２が現在使用中でないと判定することができる。いくつかの実施形態では、ヘッドホン１００２は、ユーザがヨー位置センサ１０１０と関連付けられたＬ／Ｒ音声チャネル経路指定ロジックとは独立して、音声チャネルをフリップすることを望むケースに対するオーバーライドスイッチを含むことができる。他の実施形態では、ユーザに対するヘッドホン１００２の位置を確認するために、別のセンサ又はセンサ（単数又は複数）が起動されてもよい。
【０１７８】
図１０Ｅ〜図１０Ｆは、ヘッドバンドに対するイヤピースのロール及び／又はヨーが検出されるときに実行することができる制御方法を記述するフローチャートを示す。図１０Ｅは、ヨー軸の周りのヘッドホンのヘッドバンドに対するイヤピースの回転の検出への応答を記述するフローチャートを示す。ヨー軸は、各々のイヤピースとヘッドバンドとの間の接合部分の近くに位置するポイントを通じて延びることができる。ヘッドホンがユーザによって使用されているとき、ヨー軸は、ユーザの解剖学的矢状面及び解剖学的冠状面の交差を定めるベクトルに、実質的に平行にすることができる。１０５２において、ヨー軸の周りのイヤピースの回転は、旋回機構と関連付けられた回転センサによって検出されてもよい。いくつかの実施形態では、旋回機構は、ヨー軸５０６及び６０５を記述する、旋回機構５００又は旋回機構６００と同様であってもよい。１０５４において、ヨー軸の周りの回転と関連付けられた閾値を上回ったかどうかに関する判定が行われてもよい。いくつかの実施形態では、ヨー閾値は、２つのイヤピースの耳向き面が相互に直接対向することができる位置をイヤピースが通るときは常に満たされてもよい。１０５６において、イヤピースのうちの少なくとも１つが閾値を通り、両方のイヤピースが同一の方向に向けられていると判定されるケースでは、２つのイヤピースに経路指定された音声チャネルが交換されてもよい。いくつかの実施形態では、ユーザは、音声チャネルにおける変更を通知されてもよい。いくつかの実施形態では、旋回機構によって検出されたロールの量は、音声チャネルをどのように割り当てるかの判定に組み入れられてもよい。
【０１７９】
図１０Ｆは、ヘッドホンの１つ以上のセンサからのセンサ読み取り値に基づいてヘッドホンの動作状態を変更するための方法を記述するフローチャートを示す。１０６２において、最終包装作業の前に、ヘッドホンは、電力がほとんど又は全く消費されない休止状態にすることができる。このようにして、ヘッドホン１０６２は、配送時に相当量のバッテリ電力を残しておくことができる。配送員は、休止状態からヘッドホンを解除するために、特別な手順を実行することができる。例えば、ヘッドホンの充電ポートと係合されたデータコネクタを除去して、休止状態からの解除をトリガすることができる。１０６３において、ヘッドホンは、閾値時間にわたって使用されていないときは常に、サスペンド状態にあることができる。サスペンド状態では、センサポーリング率は、電力を更に節約するために実質的に低減されてもよい。いくつかの実施形態では、ヘッドホンは、ヘッドホンを使用しようとするユーザを識別するために、通常よりも時間がかかってもよい。１０６４において、歪みゲージ又は静電容量式センサを使用して、ユーザの頭部上のヘッドホンの配置を識別することができる。いくつかの実施形態では、この方法は、動きのタイムアウトが生じたとき、又はヘッドホンが着用されていないことを歪みゲージが示すときに、１０６３におけるサスペンド状態に戻ることを含むことができる。１０６５において、静電容量式センサ又は近接型センサを使用して、イヤピース内の耳の存在及び／又は向きを感知することができる。１０６６において、ユーザの頭部上のヘッドホンの向きが識別されると、入力制御を起動することができる。１０６７において、無線で又は有線ケーブルを介して受信したオーディオチャネルを対応するイヤピースに経路指定することによって、メディア再生を開始することができる。ユーザの耳からヘッドホンを取り外すことにより、１０６４に戻ることができ、その時点で、センサは、様々なステップを通して戻って、イヤピースの位置及び向きを正確に識別することができる。
【０１８０】
図１０Ｇは、一部の実施形態に従った、本明細書で説明される様々な構成要素を実装するために使用することができるコンピューティングデバイス１０７０のシステムレベルブロック図を示す。特に、詳細な図は、図１０Ａ〜図１０Ｄに例示されるヘッドホン１００２に含めることができる様々な構成要素を例示する。図１０Ｇに示されるように、コンピューティングデバイス１０７０は、コンピューティングデバイス１０７０の全体的な動作を制御するマイクロプロセッサ又はコントローラを表すプロセッサ１０７２を含むことができる。コンピューティングデバイス１０７０は、ヘッドバンドアセンブリによって連結された第１のイヤピース１０７４及び第２のイヤピース１０７６を含むことができ、イヤピースは、メディアコンテンツをユーザに提示するスピーカを含む。プロセッサ１０７２は、第１の音声チャネル及び第２の音声チャネルを第１のイヤピース１０７４及び第２のイヤピース１０７６に伝送するように構成されてもよい。いくつかの実施形態では、第１の方位センサ（単数又は複数）１０７８は、第１のイヤピース１０７４の方位データをプロセッサ１０７２に伝送するように構成されてもよい。同様に、第２の方位センサ（単数又は複数）１０８０は、第２のイヤピース１０７６の方位データをプロセッサ１０７２に伝送するように構成されてもよい。プロセッサ１０７２は、第１の方位センサ１０７８及び第２の方位センサ１０８０から受信された情報に従って、第１の音声チャネルを第２の音声チャネルと交換するように構成されてもよい。データバス１０８２は、少なくともバッテリ／電源１０８４、無線通信回路１０８４、有線通信回路１０８２、コンピュータ可読メモリ１０８０、及びプロセッサ１０７２の間のデータ転送を促進することができる。いくつかの実施形態では、プロセッサ１０７２は、第１の方位センサ１０７８及び第２の方位センサ１０８０によって受信された情報に従って、バッテリ／電源１０８４を指示するように構成されてもよい。無線通信回路１０８６及び有線通信回路１０８８は、媒体コンテンツをプロセッサ１０７２に提供するように構成されてもよい。いくつかの実施形態では、プロセッサ１０７２、無線通信回路１０８６、及び有線通信回路１０８８は、情報をコンピュータ可読メモリ１０９０に伝送し、情報をコンピュータ可読メモリ１０９０から受信するように構成されてもよい。コンピュータ可読メモリ１０９０は、単一のディスク又は複数のディスク（例えば、ハードドライブ）を含むことができ、コンピュータ可読メモリ１０９０内の１つ以上の区画を管理する記憶管理モジュールを含むことができる。
折り畳み可能ヘッドホン
【０１８１】
図１１Ａ〜図１１Ｂは、変形可能形状因子を有するヘッドホン１１００を示す。図１１Ａは、イヤピース１１０４を機械的及び電気的に結合するように構成することができる、変形可能ヘッドバンドアセンブリ１１０２を含むヘッドホン１１００を示す。いくつかの実施形態では、イヤピース１１０４は、イヤカップとすることができ、他の実施形態では、イヤピース１１０４は、オンイヤ型イヤピースとすることができる。変形可能ヘッドバンドアセンブリ１１０２は、ヘッドバンドアセンブリ１１０２の折り畳み可能ステム領域１１０６によってイヤピース１１０４に連結されてもよい。折り畳み可能ステム領域１１０６は、変形可能バンド領域１１０８の両端に配置されている。折り畳み可能ステム領域１１０６の各々は、変形可能バンド領域１１０８に対して回転した後、イヤピース１１０４の各々が平坦化状態にあるままにすることを可能にする、オーバセンタロック機構を含むことができる。平坦化状態は、弓型状態にあるよりも平坦になるように変化する変形可能バンド領域１１０８の湾曲を指す。いくつかの実施形態では、変形可能バンド領域１１０８は、非常に平坦になることができるが、他の実施形態では、湾曲は、更に変化可能であってもよい（以下の図に示されるように）。オーバセンタロック機構によって、ユーザがオーバセンタロック機構を変形可能バンド領域１１０８から再度離れるように回転させるまで、イヤピース１１０４が平坦化状態にあるままにすることが可能になる。このようにして、ユーザは、状態を変更するボタンを発見する必要がないが、イヤピースをその弓型状態の位置に再度回転させる直感的なアクションを単純に実行するだけである。
【０１８２】
図１１Ｂは、変形可能バンド領域１１０８と接して回転するイヤピース１１０４のうちの１つの状態を示す。記述されるように、変形可能バンド領域１１０８に対するイヤピース１１０４の１つのみの回転によって、変形可能バンド領域１１０８の半分が平坦になる。図１１Ｃは、変形可能バンド領域１１０８に対して回転するイヤピースのうちの２つ目の状態を示す。このようにして、ヘッドホン１１００は、弓型状態（すなわち、図１１Ａ）から平坦化状態（すなわち、図１１Ｃ）に容易に転移することができる。平坦化状態のヘッドホンでは、ヘッドホン１１００のサイズは、端から端へ配置された２つのイヤピースと同等なサイズに減少させることができる。いくつかの実施形態では、変形可能バンド領域は、イヤピース１１０４のクッションに圧入することができ、それによって、ヘッドバンドアセンブリ１１０２が平坦化状態にあるヘッドホン１１００の高さに加わることを実質的に防止する。
【０１８３】
図１１Ｄ〜図１１Ｆは、変形可能バンド領域１１０８の外向き面に向かってヘッドホン１１５０のイヤピース１１０４をどのように折り畳むことができるかを示す。図１１Ｄは、弓型状態にあるヘッドホン１１Ｄを示す。図１１Ｅでは、イヤピース１１０４のうちの１つの状態は、変形可能バンド領域１１０８の外向き面に向かって折り畳まれる。イヤピース１１０４が記述されるように適切な位置にあると、イヤピース１１０４をこの位置に移動させる際に及ぼされる力は、平坦化状態にある変形可能ヘッドバンドアセンブリ１１０２の１つの側面にあることができると共に、他の側面は、弓型状態のままである。図１１Ｆでは、第２のイヤピース１１０４も、外向きに対して折り畳まれて示されている。
【０１８４】
図１２Ａ〜図１２Ｂは、ヘッドホンがバネバンドの両端を引っ張ることによって弓型状態から平坦化状態に転移することができるヘッドホンの実施形態を示す。図１２Ａは、例えば、平坦化状態にある、図１１に示されたヘッドホン１１００とすることができる、ヘッドホン１２００を示す。平坦化状態では、イヤピース１１０４は、同一の平面内で位置合わせされ、その結果、イヤパッド１２０２の各々が実質的に同一の方向に向く。いくつかの実施形態では、ヘッドバンドアセンブリ１１０２は、平坦化状態にあるイヤパッド１２０２の各々の両側面に接する。ヘッドバンドアセンブリ１１０２の変形可能バンド領域１１０８は、バネバンド１２０４及びセグメント１２０６を含む。バネバンド１２０４は、バネバンド１２０４の各々の端に引張力を及ぼす折り畳み可能ステム領域１１０６の構成要素をロックすることによって、ヘッドホン１２００を弓型状態に戻すことを防止されてもよい。セグメント１２０６は、ピン１２０８によって隣接するセグメント１２０６に接続されてもよい。ピン１２０８によって、セグメントが相互に回転することが可能になり、その結果、セグメント１２０６の形状を共に維持することができるが、弓型状態に適合するために形状を変更することも可能である。セグメント１２０６の各々は、セグメント１２０６の各々を通るバネバンド１２０４に適合するための孔とすることもできる。中心又は要セグメント１２０６は、バネバンド１２０４の中心に係合する締め具１２１０を含むことができる。締め具１２１０は、図１１Ｂに記述されたように、イヤピース１１０４が平坦化状態に連続して回転することを可能にするバネバンド１２０４の２つの側面を分離する。
【０１８５】
図１２Ａは、上部リンケージ１２１２、中間リンケージ１２１４、及び下部リンケージ１２１６を共に旋回可能に結合するピンによって共に連結された３つの剛体リンケージを含む折り畳み可能ステム領域１１０６の各々を示す。相互のリンケージの動きはまた、中間リンケージ１２１４を下部リンケージ１２１６に連結するピン１２２０に結合された第１の端、及び上部リンケージ１２１２によって定められたチャネル１２２２内で係合した第２の端を有することができる、バネピン１２１８によって少なくとも部分的に規制されてもよい。バネピン１２１８の第２の端は、バネバンド１２０４にも結合されてもよく、その結果、バネピン１２１８の第２の端は、バネバンド１２０４に及ぼされる力が変化するチャネル１２２２内でスライドする。ヘッドホン１２００は、バネピン１２１８の第１の端がオーバセンタロック位置に到達すると平坦化状態になることができる。オーバセンタロック位置は、バネピン１２１８の第１の端がオーバセンタロック位置から解除されるのに十分に遠くに移動するまで、平坦な位置にあるイヤピース１１０４を維持する。そのポイントにおいて、イヤピース１１０４は、その弓型状態位置に戻る。
【０１８６】
図１２Ｂは、弓型状態に配置されたヘッドホン１２００を示す。この状態では、バネバンド１２０４は、最小の量の力がバネバンド１２０４内に蓄えられた弛緩状態にある。このようにして、バネバンド１２０４の中立状態は、ユーザによってアクティブに着用されていないとき、弓型状態にあるヘッドバンドアセンブリ１１０２の形状を定めるために使用されてもよい。図１２Ｂは、チャネル１２２２内のバネピン１２１８の第２の端の静止状態、及びバネバンド１２０４の端に関する力の対応する減少が、バネバンド１２０４がヘッドホン１２００が弓型状態をとることを支援するのを、どのように可能にするかをも示す。バネバンド１２０４の実質的に全てが図１２Ａ〜図１２Ｂに記述されると共に、バネバンド１２０４は、セグメント１２０６及び上部リンケージ１２１２によって全体的に隠されることに留意されるべきである。
【０１８７】
図１２Ｃ〜図１２Ｄは、弓型及び平坦化状態それぞれにある折り畳み可能ステム領域１１０６の側面図をそれぞれ示す。図１２Ｃは、バネピン１２１８によって及ぼされる力１２２４が弓型状態にあるリンケージ１２１２、１２１４、及び１２１６を維持するようにどのように動作するかを示す。特に、バネピン１２１８は、上部リンケージ１２１２がピン１２２６の周りで、及び下部リンケージ１２１６から離れて回転することを防止することによって、弓型状態にあるリンケージを維持する。図１２Ｄは、バネピン１２１８によって及ぼされる力１２２８が平坦化状態にあるリンケージ１２１２、１２１４、及び１２１６を維持するようにどのように動作するかを示す。この双安定振る舞いは、バネピン１２１８が平坦化状態にあるピン１２２６によって定められた回転軸の反対側面にシフトされることによって可能にされる。このようにして、リンケージ１２１２〜１２１６は、オーバセンタロック機構として動作可能である。平坦化状態では、バネピン１２１８は、ヘッドホンを平坦化状態から弓型状態に遷移することに抵抗するが、イヤピース１１０４に十分に大きな回転力を及ぼすユーザは、平らな状態と弓型状態との間でのヘッドホンを遷移させるために、バネピン１２１８によって及ぼされる力を克服することができる。
【０１８８】
図１２Ｅは、平坦化状態にあるヘッドホン１２００の１つの端の側面図を示す。この図では、ユーザの頭部の湾曲に従うように構成された輪郭を有するイヤパッド１２０２が示される。イヤパッド１２０２の輪郭は、ヘッドバンドアセンブリ１１０２、及び特に、ヘッドバンドアセンブリ１１０２を構成するセグメント１２０６がイヤパッド１２０２よりも垂直に実質的により遠くに突出することを防止することを支援することもできる。いくつかの実施形態では、イヤパッド１２０２の中心部分の陥没は、セグメント１２０６によってそれらに及ぼされる圧力によって少なくとも部分的に生じることがある。
【０１８９】
図１３Ａ〜図１３Ｂは、弓型状態と平坦化状態との間で遷移するために軸外ケーブルを使用する、ヘッドホン１３００の部分断面図を示す。図１３Ａは、弓型状態にあるヘッドホン１３００の部分断面図を示す。ヘッドホン１３００は、イヤピース１１０４がヘッドバンドアセンブリ１１０２に向かって回転するとき、ヘッドバンドアセンブリ１１０２の変形可能バンド領域１１０８を平坦化するために、ケーブル１３０２が締め付けられる点で、ヘッドホン１２００とは異なる。ケーブル１３０２は、ニチノール（商標）、ニッケルチタン合金などの高度に伸縮するケーブル材料から形成されてもよい。クローズアップ図１３０３は、変形可能バンド領域１１０８が締め具１３０６によってバネバンド１２０４に留められる多くのセグメント１３０４をどのように含むことができるかを示す。いくつかの実施形態では、締め具１３０６は、ヘッドホン１３００を使用する間、締め具１３０６のいずれかのガラガラ音を防止するために、Ｏリングによってバネバンド１２０４にも固定されてもよい。セグメント１３０４の中心の１つは、ケーブル１３０２がセグメント１３０４の中心の１つに対してスライドすることを防止するスリーブ１３０８を含むことができる。他のセグメント１３０４は、ケーブル１３０２がヘッドホン１３００を平坦化するために引っ張られるにつれて、ケーブル１３０２が相当な量の摩擦を経験することを避ける金属プーリー１３１０を含むことができる。図１３Ａは、ケーブル１３０２の各々の端が回転締め具１３１２にどのように固定されるかをも示す。折り畳み可能ステム領域１１０６が回転するにつれて、回転締め具１３１２は、ケーブル１３０２の端がねじれるのを避ける。
【０１９０】
図１３Ｂは、平坦化状態にあるヘッドホン１３００の部分断面図を示す。ケーブル１３０２の方位における変化に適合するために、異なる回転位置にある回転締め具１３１２が示される。回転締め具１３１２の新たな位置は、ヘッドホン１３００が、ヘッドホン１２００に対して上記説明された弓型状態に意図せずに戻ることを防止する、オーバセンタロック位置をも生じさせる。図１３Ｂは、セグメント１３０４の各々の湾曲形状が、弓型状態と平坦化状態との間で遷移するために、セグメント１３０４が相互に回転することをどのように可能にするかを示す。いくつかの実施形態では、ケーブル１３０２は、図９Ａ〜図９Ｂに示された実施形態にいくつかの点で同様のバネバンド１２０４の動きの範囲を制限するように動作可能とすることもできる。ヘッドホン１３００はまた、平坦化状態のヘッドホン１３００の外向き面に取り付けられた入力パネル１３１４を含む。入力パネル１３１４は、ヘッドホン１３００が平坦化状態にあるときに、ユーザがヘッドホン１３００に動作命令を入力することを可能にするタッチ感知入力面を画定することができる。例えば、ユーザは、平坦化状態のヘッドホン１３００を用いてメディア再生を継続することを望むことがある。入力パネル１３１４への容易なアクセスにより、この状態でのヘッドホン１３００の制御動作を直接的かつ便利にするであろう。
【０１９１】
図１４Ａは、ヘッドホン１３００と同様なヘッドホン１４００を示す。特に、ヘッドホン１４００は、変形可能バンド領域１１０８を平坦化するためにケーブル１３０２をも使用する。更に、ケーブル１３０２の中心部分は、中心セグメント１３０４によって保持される。対照的に、折り畳み可能ステム領域１１０６の下部リンケージ１２１６は、図１２Ａに記述された下部リンケージ１２１６に対して上方向にシフトされる。イヤピース１１０４が変形可能バンド領域１１０８に向かって軸１４０２の周りを回転するとき、バネピン１４０４は、回転の第１の部分の間、図１４Ｂに示されるように伸長するように構成されている。いくつかの実施形態では、バネピン１４０４の伸長によって、イヤピースが初期位置から約３０度を回転することが可能になることができる。バネピン１４０４がそれらの最大長さに到達すると、軸１４０２の周りのイヤピース１１０４の更なる回転は、ケーブル１３０２が引っ張られることをもたらし、それによって、図１４Ｃに示されるように、変形可能バンド領域１１０８が弓型形状から平坦形状に変化する。遅延した引っ張る動きは、角度を変化させ、その角度から、ケーブル１３０２が最初に引っ張られる。変化した初期の角度は、ヘッドホン１４００が弓型状態から平坦化状態に遷移するとき、ケーブル１３０２が巻き付けられる可能性を低くすることができる。
【０１９２】
図１５Ａ〜図１５Ｆは、異なる角度から及び異なる状態にあるヘッドバンドアセンブリ１５００の様々な図を示す。ヘッドバンドアセンブリ１５００は、平坦化状態と弓型状態との間の遷移に適合する双安定構成を有する。図１５Ａ〜図１５Ｃは、弓型状態にあるヘッドバンドアセンブリ１５００を記述する。柔軟性のあるヘッドバンド筐体１５０６内にある双安定ワイヤ１５０２及び１５０４が記述される。ヘッドバンド筐体は、少なくとも平坦化状態及び弓型状態に適合するように形状を変更するように構成されてもよい。双安定ワイヤ１５０２及び１５０４は、ヘッドバンド筐体１５０６の１つの端から別の端に延び、使用の間にヘッドホンの関連付けられたペアを確実に適切な位置に維持するために、ヘッドバンドアセンブリ１５００の両端に取り付けられたイヤピースを通じて、クランプ力をユーザの頭部に与えるように構成されている。図１５Ｃは特に、ヘッドバンド筐体１５０６を複数の孔リンク１５０８からどのように形成することができるかを示し、複数の孔リンク１５０８は、共にヒンジで連結されてもよく、空洞を共働的に形成し、空洞の中で、双安定ワイヤ１５０２が弓型状態及び平坦化状態に対応する構成の間で遷移することが可能である。リンク１５０８のみが１つの側面上でヒンジで連結されているため、リンクのみが、１つの方向に弓型状態に移動することが可能である。これは、ヘッドバンドアセンブリ１５００が誤った方向に屈曲し、それによって、イヤピースを誤った方向に位置付ける残念な状況を回避することを支援する。
【０１９３】
図１５Ｄ〜図１５Ｆは、平坦化状態にあるヘッドバンドアセンブリを示す。双安定ワイヤ１５０２及び１５０４の端が、ワイヤ１５０２及び１５０４の端が双安定ワイヤ１５０２及び１５０４の中心部分よりも高いオーバセンタポイントを過ぎたため、双安定ワイヤ１５０２はここで、平坦化状態にあるヘッドバンドアセンブリ１５００を維持することを支援する。いくつかの実施形態では、双安定ワイヤ１５０２は、ヘッドバンドアセンブリ１５００を通じて１つのイヤピースから別のイヤピースに信号を搬送し、及び／又は電力を供給するためにも使用されてもよい。
【０１９４】
図１６Ａ及び図１６Ｂは、折り畳まれた状態及び弓型状態にあるヘッドバンドアセンブリ１６００を示す。図１６Ａは、弓型状態にあるヘッドバンドアセンブリ１６００を示す。図１５Ｃ及び１５Ｆに示された実施形態と同様に、ヘッドバンドアセンブリは、内部容積を定める柔軟性のあるヘッドバンド筐体を共働的に形成する複数の孔リンク１６０２を含む。受動リンケージヒンジ１６０４は、内部容積の中心部分及びリンク双安定要素１６０６内で共に配置されてもよい。図１６Ａは、ヘッドバンドアセンブリ１６００の両側面に圧力をかけるように作用する力に抵抗する、弓型構成にある双安定要素１６０６及び１６００８を示す。双安定要素１６０６及び１６０８によって生じる抵抗力を克服するために十分な力により、ヘッドバンドアセンブリ１６００の両側面が、矢印１６１０及び１６１２によって示される方向に共に押し出されると、ヘッドバンドアセンブリ１６００は、図１６Ａに示す弓型状態から、図１６Ｂに示す折り畳まれた状態に遷移することができる。受動リンケージヒンジ１６０４は、ヘッドバンドアセンブリ１６００の中心領域１６１４の周りで折り畳むヘッドホンアセンブリ１６００に適合する。図１６Ｂは、受動リンケージヒンジ１６０４が、ヘッドバンドアセンブリ１６００の折り畳まれた状態に適合するためにどのように屈曲するかを示す。ヘッドバンドアセンブリ１６００の両側面を相互に対して偏らせ、それによって、状態における意図しない変化に対抗するために、折り畳まれた構成で構成された双安定要素１６０６及び１６０８が示される。図１６Ｂに記述されたように、折り畳まれた構成は、ユーザの頭部に適合するヘッドバンドアセンブリ１６００によって定められた開放領域がつぶされることが可能になり、その結果、ヘッドバンドアセンブリ１６００が実際に使用中でないときにあまり空間を占有しないようにすることによって、ほとんど空間の量を占有しない利点を有する。
【０１９５】
図１７Ａ〜図１７Ｂは、折り畳み可能ヘッドホン１７００の様々な図を示す。具体的には、図１７Ａは、折り畳まれた状態にあるヘッドホン１７００の上面図を示す。イヤピース１７０４及び１７０６の間で延びるヘッドバンド１７０２は、ワイヤ１７０８及びバネ１７１０を含む。図示した折り畳まれた状態では、ワイヤ１７０８及びバネ１７１０は、直線状であり、弛緩状態又は中立状態にある。図１７Ｂは、弓型状態にあるヘッドホン１７００の側面図を示す。ヘッドホン１７００は、イヤピース１７０４及び１７０６をヘッドバンド１７０２から離れて回転させることによって、図１７Ａに示す折り畳まれた状態から図１７Ｂに示す弓型状態に遷移することができる。イヤピース１７０４及び１７０６の各々は、ヘッドバンド１７０２の弓型状態を維持するために、張力をワイヤ１７０８の端に与えて、張ったワイヤ１７０８を維持するオーバセンタ機構１７１２を含む。ワイヤ１７０８は、ワイヤガイド１７１４を通じてバネ１７１０に沿って複数の位置において力を及ぼすことによって、ヘッドバンド１７０２の形状を維持することを支援し、ワイヤガイド１７１４は、ヘッドバンド１７０２に沿って一定間隔で分散される。
キャノピアーキテクチャ
【０１９６】
図１８Ａは、ユーザによって着用されているヘッドホン１８００の斜視図を示す。ヘッドホンは、ヘッドバンド１８０４によって共に接合されたイヤピース１８０２を含む。いくつかの実施形態では、イヤピース１８０２は、イヤピース１８０２の外面の少なくとも一部分を覆うタッチセンサ１８０６を含むことができる。イヤピース１８０２は、また、あるいは代りに、１つ以上のノブ又はボタンなどの他の入力制御を含むことができる。いくつかの実施形態では、タッチセンサ１８０６は、ユーザが設定及びメディアの再生を操作することを可能にするように構成することができる。例えば、タッチセンサ１８０６は、音量の変更、次の／前のトラック、一時停止、停止などのコマンドに対応する複数のジェスチャを受信及び処理するように構成することができる。ヘッドバンド１８０４は、ヘッドバンド１８０４をイヤピース１８０２に結合するステム領域１８０８を含む。ステム領域１８０８は、ユーザの頭部のサイズに基づいてヘッドホン１８００をサイズ変更するために使用される伸縮部材を含むことができる。いくつかの実施形態では、ステム領域１８０８は、約３０〜４０ｍｍの伸縮並進に適合するように構成することができる。ヘッドバンドフレーム１８１２は、ユーザの頭部にわたって均一に圧力を分散するように構成された適合可能なメッシュアセンブリ１８１６を収容するように構成された中央開口部を協働的に画定する、複数のセグメント１８１４を含むことができる。
【０１９７】
適合可能なメッシュアセンブリ１８１６はまた、いくつかの実施形態ではヘッドホン１８００の堅固だが通気性が良いヘッドバンドを提供するのを支援することができる、ヘッドホン１８００の通気性キャノピを動作可能に形成する。適合可能なメッシュアセンブリ１８１６が配置された中央開口部は、ヘッドバンドフレーム１８１２のセグメント１８１４によって画定することができる。図示のように、適合可能なメッシュアセンブリ１８１６は、フレーム１８１２の左側１８１３からフレーム１８１２の右側（図示せず）まで、またヘッドバンドフレームの両側のセグメント１８１４間で後から前に延びることができる。いくつかの実施形態では、ヘッドバンドセグメント１８１４は、実質的に円形の断面形状を有することができ、スピーカ、マイクロフォン、及びイヤピース１８０２のそれぞれの内部に含まれる他の動作構成要素の動作を同期させるように構成された導電経路の経路指定に適合することができる。他の実施形態では、図１８Ｂに示すように、セグメントは、実質的に矩形の形状を有することができる。ヘッドバンドセグメント１８１４はまた、ヘッドバンドフレーム１８２０の形状を保持するように構成されたバネ部材を含むことができ、ユーザの頭部に対してイヤピース１８０２を圧迫する力を加えることにより、ヘッドホン１８００をユーザの頭部に確実に取り付けた状態に保つのに役立つことができる。いくつかの実施形態では、キャップ要素１８１８は、任意選択的に、ヘッドバンドセグメント１８１４間で伸張することができる。キャップ要素１８１８は、どのように堅固にセグメント１８１４フレーム１８１２が構築されるかに応じて、本質的に装飾的又は構造的であってもよい。いくつかの実施形態では、ヘッドバンドフレーム１８１２は、任意の個別のセグメントを有さない一体型フレームの形態をとることができる。
【０１９８】
図１８Ｂは、切断線Ｆに従ったヘッドホン１８００の断面図を示す。具体的には、図１８Ｂは、どのようにメッシュアセンブリ１８１６の部分がユーザの頭部のトポロジーに従うように屈曲及び／又は湾曲することができるかを示す。このようにして、メッシュアセンブリは、ユーザの頭部へと不快に突き出すことなく、ユーザの頭部に快適に順応し、適合することができる。メッシュアセンブリ１８１６の周辺部は、ヘッドバンドアーム１８１４によって画定された第１のチャネルにスナップ嵌めされて示されるロック特徴部１８１５を含む。キャップ要素１８１８の周辺部は、ヘッドバンドアーム１８１４によって画定された第２のチャネルにスナップ嵌めされて示されている。キャップ要素１８１８は、メッシュアセンブリ１８１６から離れて湾曲して示されているが、キャップ要素はまた、メッシュアセンブリ１８１６内の、かつメッシュアセンブリ１８１６に向かう平坦なプロファイル又は湾曲を有してもよい。いくつかの実施形態では、キャップ要素１８１８はまた、ヘッドバンド１８０４を通る空気の通過を可能にするメッシュから形成することができ、それにより、ユーザの頭部が過熱するのを防ぐのに役立つことができる。他の実施形態では、中央開口部１８２０を通る空気の通過に適合しない望ましい固体表面を有する固体材料からキャップ要素１８１８を形成することが装飾的に望ましい場合がある。この特定の断面図には示されていないが、ヘッドバンドアーム１８１４のそれぞれは、ヘッドホン１８００をユーザの頭部上の適所にしっかりと保持するクランプ力を付与するのに役立つバネ要素を含むことができる。
【０１９９】
図１８Ｃは、ヘッドホン１８００の背面図を示す。この図は、急激な９０度の曲がりを有するアーム１８１４を示しているが、いくつかの設計は、この急激な９０度の曲がり形状を有さないが、代わりに、メッシュアセンブリ１８１６の下向き面１８２２がユーザの頭部の湾曲に追従する方法と同様にユーザの頭部の湾曲に追従した形状を有するヘッドホンアーム１８１４を有するであろうことを理解されたい。
【０２００】
図１９Ａ〜図１９Ｅは、図１８に示すヘッドホンのキャノピ構造を構成する構成要素の様々な実施形態の斜視図を示す。図１９Ａは、適合可能なメッシュアセンブリ１８１６の斜視図、及び適合可能なメッシュアセンブリ１８１４の周辺部の一部分の断面図を示す拡大図を示す。図示のように、適合可能なメッシュアセンブリ１８１４の周辺部は、メッシュ材料１９０４の縁部の周りにオーバーモールドされたロック特徴部１９０２を含む。ロック特徴部１９０２は、図示のように、ヘッドホンアーム１８１４によって画定されたチャネルへのロック特徴部１９０２の挿入を容易にするのに役立つ、テーパ形状を有することができる。いくつかの実施形態では、ロック特徴部１９０２は、適合可能なメッシュアセンブリ１８１４の周辺部全体に沿って延びてもよい。メッシュ材料１９０４は、約０．６ｍｍの厚さを有する、ナイロン、ＰＥＴ、単弾性若しくは二弾性の織布、又はポリエーテル−ポリウレアコポリマーから形成することができる。ロック特徴部１９０２は、ＴＲ９０などの耐久性があり、かつ可撓性の熱可塑性材料から形成することができ、場合によっては、メッシュ材料１８１８の開口部を通って延びることができる。いくつかの実施形態では、ロック特徴部１９０２は、ノッチ１９０６の形態をとり、メッシュアセンブリ１８１６が内部に嵌合する中央開口部１８２０との適合可能なメッシュアセンブリ１８１４の正確な位置合わせを達成するのに役立つ、位置合わせ特徴部を画定することができる。メッシュアセンブリ１８１６は、メッシュアセンブリ１８１６の周辺部に平坦な縁部を有する実質的にＵ字形の断面を有して示されているが、メッシュアセンブリ１８１６はまた、より楕円形状の中央開口部１８２０、又はいくつかの実施形態では十分に丸みを帯びた角部を有する曲線状矩形開口部に従うように構成されたメッシュアセンブリの周辺部に、曲線状縁部を含むことができる。
【０２０１】
図１９Ｂは、ヘッドバンド筐体１８１２の片側の拡大図を示し、圧力１９０５が適合可能なメッシュアセンブリ１８１４のロック特徴部１９０２に加えられる前に、どのように適合可能なメッシュアセンブリ１８１６のロック特徴部１９０２をヘッドバンド筐体１８１２のアーム１８１４によって画定されたチャネルと位置合わせして、ロック特徴部１９０２をチャネル内に係合することができるかを示している。いくつかの実施形態では、メッシュアセンブリ１８１６は、キャップ要素１８１８をヘッドバンド筐体１８１２と組み立てる前に、取り付けることができる。図１９Ｃは、ヘッドバンドアーム１８１６によって画定されたチャネル１９０６、並びにアーム１８１６によって画定された中央開口部１８２０を示す。チャネル１９０６は、適合可能なメッシュアセンブリ１８１６のロック特徴部１９０２を受け入れて保持するように構成された内部Ｔ字形形状を有することができる。図１９Ｄは、中央開口部１９０８内に配置され、ロック特徴部１９０２をチャネル１９０６内に係合された、適合可能なメッシュアセンブリ１８１６を示す。
【０２０２】
図１９Ｅは、メッシュアセンブリ１８１６の大部分を形成するメッシュ材料１９０４がどのように実質的に均一な一貫性／メッシュパターンを有することができるかを示す。メッシュ材料１９０４は、過度の量の力がユーザの頭部に加えられるのを防止するように、可撓性であってもよい。図１９Ｆは、適合可能なメッシュアセンブリ１８０６が、適合可能なメッシュアセンブリ１８１６の中央部分にわたって延びる第１のメッシュ材料１９０８と、適合可能なメッシュアセンブリ１８１６の周辺部分にわたって延びる第２のメッシュ材料１９１０とを含む、代替的実施形態を示す。第１のメッシュ材料１９０８は、適合可能なメッシュアセンブリ１８１６の中央部分が適合可能なメッシュアセンブリ１８１６の周辺部分よりも実質的に多く変形することを可能にする、第２のメッシュ材料１９１０よりも可撓性／適合性の材料から形成することができる。これにより、また、適合可能なメッシュアセンブリの周辺部分がより強くなり、裂ける又は損傷を受ける可能性が低くなることが可能になる。
【０２０３】
図１９Ｇは、どのように適合可能なメッシュアセンブリ１８１８が異なる３つのタイプのメッシュ１９１２、１９１４、及び１９１６を含むことができ、それによって適合可能な部分が周辺部に向かって漸進的により堅くなることを可能にすることができるかを示す。いくつかの実施形態では、適合可能なメッシュアセンブリ１８１６の剛性は、その領域にわたって更により漸進的に変化することができる。具体的には、メッシュは、適合可能なメッシュアセンブリ１８１６の中央部分が適合可能なメッシュアセンブリ１８１６の周辺部よりも実質的に低いバネ定数を有することができるように、漸進的に変化するメッシュサイズのメッシュを含むことができる。このようにして、最大量の変位を受ける可能性が高いメッシュ材料の部分は、最も低いバネ定数を有することができ、それによって、ユーザの頭部の特定の点又は領域に力が集中する可能性を低減することによって、快適性を実質的に増加させることができる。いくつかの実施形態では、補強部材の配置をメッシュ材料１８１８と組み合わせて使用して、適合可能なメッシュアセンブリ１８１６を構成するメッシュ材料によってユーザに伝達される力の量を変化させることができる。いくつかの実施形態では、メッシュ材料１８１８の中央領域内に空隙を残して、メッシュ材料１８１８の中央領域内の力を低減することができる。
伸縮式ステムアセンブリ
【０２０４】
図２０Ａは、ヘッドバンド筐体１８１２の片側、並びにヘッドバンド筐体１８１２の端部から延びる伸縮部材１８１０を示す。ヘッドバンド筐体１８１２は、下部筐体構成要素２００４をヘッドバンドアーム１８１６に接合するＹ字形状の筐体構成要素２００２を含む。いくつかの実施形態では、下部筐体構成要素２００４は、Ｙ字形状の筐体構成要素２００２に締結することができ、ヘッドバンドアーム１８１６は、Ｙ字形状の筐体構成要素２００２と一体的に形成することができる。下部筐体構成要素２００４は、伸縮部材１８１０の伸縮運動に適合するように構成することができる。下部筐体構成要素２００４は、伸縮部材１８１０が下部筐体構成要素２００４の内外に摺動する際に伸縮部材１８１０と関連付けられたスプリングフィンガ２００８を案内するのを助ける、複数のチャネル２００６を画定する。図２０Ａはまた、チャネル２００６を通して視認可能であり、下部筐体構成要素内でコイル状の、同期ケーブル２０１０の一部分を示す。同期ケーブル２０１０のコイル状構成により、同期ケーブル２０１０が伸縮部材１８１０の摺動伸縮によって引き起こされる長さの変化に適合することを可能にする。
【０２０５】
図２０Ｂは、図２０Ａに示すヘッドバンド筐体１８１２の側面の分解図を示す。具体的には、下部筐体構成要素２００４は、Ｙ字形状の筐体構成要素２００２から、及び伸縮部材１８１０から離れている。下部筐体構成要素２００４は、複数のチャネル２００６と、下部筐体構成要素２００４の一方の端部内に配置され、伸縮部材１８１０の移動中に摩擦を発生させることによって、下部筐体構成要素２００４に対する伸縮部材１８１０の動きを制御するように構成された環状ブッシング２０１２とを画定するように示されている。図２０Ｂはまた、チャネル２００６と係合するように構成された複数のスプリングフィンガ２００８を含む単一部品としてバネ部材２０１４を示す。
【０２０６】
図２０Ｃは、切断線Ｇ−Ｇに従った下部筐体構成要素２００４の第１の端部の断面図を示す。下部筐体構成要素２００４は、伸縮部材１８１０と係合されて示されており、ブッシング２０１２は、伸縮部材１８１０内に配置されている。スプリングフィンガ２００８のうちの１つは、下部筐体構成要素２００４のチャネル２００６内に係合されて示されている。いくつかの実施形態では、チャネル２００６は、図２０Ｃに示すように、下部筐体構成要素２００４の壁を完全に通って延びない。これにより、下部筐体構成要素２００４の外部から装飾的に見えることなく、スプリングフィンガ２００８をチャネル２００６内に係合させることができる。
【０２０７】
図２０Ｄは、切断線に従った下部筐体構成要素２００４の第２の端部の断面図を示す。下部筐体構成要素２００４の第２の端部は、Ｙ字形状の筐体構成要素２００２と係合されて示されている。同期ケーブル２０１０は、Ｙ字形状の筐体構成要素２００２及び下部筐体構成要素２００４の両方によって画定された開口部を通って延びて示されている。
【０２０８】
図２０Ｅは、ブッシング２０１２の内向き面の周りに半径方向に離間配置された複数のフィンガチャネル２０１６を画定するブッシング２０１２の斜視図を示す。フィンガチャネル１０１６は、スプリングフィンガ２００８を下部筐体構成要素２００４のチャネル２００６と位置合わせするように構成することができる。
【０２０９】
図２１Ａは、バネ部材２０１４及び伸縮部材１８１０の１つの端部の斜視図を示す。図示のように、バネ部材２０１４は、３つのスプリングフィンガ２００８を含む。スプリングフィンガ２００８のそれぞれは、伸縮部材１８１０からのバネ部材２０１４の係合解除を防止するように構成されたロック特徴部２１０２を含む。伸縮部材１８１０は、ブリッジ部材２１０８によって分割された１組の対応する開口部２１０４及び２１０６を画定する。スプリングフィンガ２００８が開口部２１０４内に係合されると、開口部２１０４の長さにより、スプリングフィンガ２００８のそれぞれが開口部２１０４を通って偏向されることを可能にし、これにより、伸縮部材１８１０を下部筐体構成要素２００４に挿入することができる。
【０２１０】
図２１Ｂは、開口部２１０４内に係合されたスプリングフィンガ２００８を示し、図２１Ｃは、開口部２１０６内に係合されたスプリングフィンガ２００８を示す。ロック特徴部２１０２が開口部２１０６内に係合されると、バネ部材２０１４は、取り外すことができず、チャネル２００６内で係合したままでいることができる。更に、ブリッジ部材２１０８は、スプリングフィンガ２００８が伸縮部材１８１０によって画定された内部容積２１１０内に更に偏向することを防止する。これにより、スプリングフィンガ２００８の突出部分が対応するチャネル２００６内に確実に係合した状態に維持される。いくつかの実施形態では、スプリングフィンガ２００８がチャネル２００６内に係合されると、伸縮部材１８１０を引き戻すことによって、バネ部材２０１４を図２１Ｂに示す位置からシフトさせることができる。このようにして、スプリングフィンガ２００８は、開口部２１０４から開口部２１０６内にシフトすることができる。
【０２１１】
図２１Ｄ〜図２１Ｇは、伸縮部材１８１０が通って延びる下部筐体構成要素２００４によって画定された開口部に配置された様々なロック機構を示す。図２１Ｄ〜図２１Ｅは、ロック機構２１１２を示す。図２１Ｄでは、ロック機構２１１２が第１の方向２１１４に回転されると、伸縮部材１８１０は、両側矢印２１１６によって示されるように、下部筐体構成要素２００４の中に、又は下部筐体構成要素２００４から出て、並進することができる。図２１Ｅは、その後ロック機構２１１２を方向２１１８に回転させることにより、どのように、伸縮部材１８１０の位置を下部筐体構成要素２００４に対して固定させるかを示す。図２１Ｆ〜図２１Ｇは、ロック機構２１２０を示す。図２１Ｆは、どのように、ロック機構２１２０が下部筐体構成要素２００４から方向２１２２に伸縮部材１８１０に向かって引き離されると、両側矢印２１２４によって示されるように、どのように、伸縮部材１８１０が下部筐体構成要素２００４の中に、又は下部筐体構成要素２００４から出て、並進することができるかを示す。図２１Ｇは、次にロック機構２１２０が下部筐体構成要素２００４に向かって方向２１２６に押されると、どのように下部筐体構成要素２００４に対する伸縮部材１８１０の位置が固定されるかを示す。
座屈防止アセンブリ
【０２１２】
図２２Ａ〜図２２Ｅは、下部筐体構成要素２００４内に配置された同期ケーブル２０１０の一部分のための様々な伸張コイル構成及び収縮コイル構成を示す。図２２Ａは、従来の螺旋コイル構成における同期ケーブル２０１０の一部分の部分断面図を示す。残念なことに、この構成は、図示のように伸張構成２２０４から収縮構成２２０６に遷移するときに、個々のループ２２０２が横方向にシフトされやすいことがある。位置ずれは、同期ケーブル２０１０が下部筐体構成要素２００４の内部を擦り、同期ケーブル２０１０の疲労による望ましくない摩擦により誘発される破損に起因して、経時的にすり減ることにつながり得る。
【０２１３】
図２２Ｂは、どのように同期ケーブル２０１０の断面形状を、同期コイル２０１０のループ２２１２が位置ずれすることを防止するのに役立つ位置合わせ特徴部を含むように調整することができるかを示す。具体的には、ループ２２１２の両側は、図示のように、収縮したときに同期コイル２０１０のループ２２１２を自己整合させるのに役立つ相補的な幾何学的形状を有する位置合わせ特徴部を含むことができる。
【０２１４】
図２２Ｃは、どのように同期ケーブル２０１０の断面形状を、同期コイル２０１０のループ２２２２が位置ずれすることを防止するのに役立つ位置合わせ特徴部を含むように調整することができるかを示す。具体的には、ループ２２２２の両側は、図示のように、収縮したときに同期コイル２０１０のループ２２１２を自己整合させるのに役立つ凹状チャネル２２２４及び凸状隆起部２２２６の形態をとる位置合わせ特徴部を含むことができる。
【０２１５】
図２２Ｄは、どのように同期ケーブル２０１０の断面形状を、同期コイル２０１０のループ２２３２が位置ずれすることを防止するのに役立つリンク特徴部を含むように調整することができるかを示す。具体的には、ループ２２３２の両側は、図示のように、収縮したときに同期コイル２０１０のループ２２１２を自己整合させるのに役立つ相補的フック２２３４及び凸状隆起部２２２６の形態をとるリンク特徴部を含むことができる。リンク特徴部はまた、同期ケーブル２０１０の長手方向伸張の最大量を画定するのに役立つ。
【０２１６】
図２２Ｅは、同期ケーブル２０１０が位置ずれすることを防止することができる別の構成を示す。同期ケーブル２０１０をシャフト２３４２の周りに巻き付けることにより、同期ケーブル２０１０は、螺旋コイルとして構成されても、位置ずれしないように維持することができる。シャフト２３４２は、実質的な量の曲げを受ける可能性が低い一方で、また、伸縮部材１８１０の動きに適合するために湾曲のわずかな変化を可能にする、剛性材料から形成されるべきである。いくつかの実施形態では、シャフト２２４２は、ニチノール（ニッケルチタン合金）ワイヤから形成することができる。
【０２１７】
図２３Ａは、データプラグ２３０２に関連付けられた構成要素の分解図を示す。具体的には、ステム基部２３０４の１つの端部から延びるデータプラグ２３０２は、伸縮部材１８１０内のレセプタクルと係合するように構成されている。レセプタクル内に係合されると、データプラグ２３０２は、ねじ付き開口部２３１０を介してデータプラグ２３０２のベース部分によって画定された凹部２３０８と係合するように構成されたねじ付き締結具２３０６を使用して、定位置に確実に保持することができる。シールリング２３１２も使用して、伸縮部材１８１０内にデータプラグ２３０２を更に固定することができる。図２３Ｂは、データプラグ２３０２が確実に配置された状態を保つために、ねじ付き開口部２３１０内に完全に係合したねじ付き締結具２３０６で完全に組み立てられた伸縮部材１８１０を示す。
【０２１８】
図２３Ｃは、図２３Ｂの切断線Ｉ−Ｉに従った伸縮部材１８１０の断面図を示す。具体的には、図２３Ｃは、プラグレセプタクル２３１４内に係合されたデータプラグ２３０２の１つの端部を示す。図２３Ｃはまた、どのようにねじ付き締結具が凹部２３０８と協働して、データプラグ２３０２が定位置に固定された状態を保つかを示す。シールリング２３１２の位置もまた、データプラグ２３０２に対して示される。いくつかの実施形態では、ヘッドホンの関連付けられたイヤピース内のプリント回路基板と係合する基板間接続部で終端するケーブルの代わりに、データプラグ２３０２を省略することができることを留意されたい。
【０２１９】
図２３Ｄは、データプラグ２３０２の一部分の斜視図を示す。具体的には、データプラグ２３０２の本体は、段付き形状を有し、規則的な間隔で離間した複数の接着剤チャネル２３１６を画定する。いくつかの実施形態では、接着剤チャネル２３１６は、データプラグ２３０２の本体の外側面にレーザー切断することができる。図２３Ｅは、データプラグ２３０２の一部分の側断面図を示し、データプラグ２３０２の本体の両側に配置された複数の接着剤チャネル２３１６を示す。
【０２２０】
図２３Ｆは、ステム基部２３０４に接着されたデータプラグ２３０２を示し、ステム基部２３０４は、次にイヤピース２３２０によって画定された凹部２３１８内に配置される。図２３Ｇは、ステム基部２３０４によって画定された凹部内に配置されたデータプラグ２３０２の断面図を示し、ステム基部２３０４は、次にイヤピース２３２０の凹部２３１８内に配置される。図２３Ｇは、図２３Ｆに示すような切断線Ｊ−Ｊに対応し、また、どのようにデータプラグ２３０２が接着剤層２３２２によってステム基部２３０４に接着されるかを示す。接着剤層２３２２が接着剤チャネル２３１６と係合できることにより、ステム基部２３０４とデータプラグ２３０２の本体との間の接着剤層２３２２によって形成される接合の強度は実質的に増大する。いくつかの実施形態では、ステム基部２３０４の内向き面はまた、接着性を更に高めるために、接着剤チャネル２３１６と同様の接着剤チャネルを含むことができる。いくつかの実施形態では、接着剤層２３２２に接触する表面の一方又は両方を粗面化することができ、それによって表面の表面エネルギを増加させ、結果として得られる接着結合の強度を向上させることができる。図２３Ｇはまた、データプラグ２３０２及びステム基部２３０４の両方によって画定されたチャネルを通って延びるデータ同期ケーブル２３２４を示す。
イヤパッド構成及び最適化
【０２２１】
図２４Ａは、イヤピース２４０２及びイヤパッド２４０４の斜視図を示す。イヤパッド２４０４は、ユーザの頭部２４０６の側面が決して平坦ではない様子を示す平面形状を有して示されている。ほとんどのイヤパッドが、厚さが非常にしっかりしている１つの理由は、ユーザの頭部の側面の頭蓋輪郭に適合するためである。図２４Ａに示す破線矢印は、頭蓋輪郭に従うためにイヤパッドが克服する必要がある距離の変動を示す。
【０２２２】
図２４Ｂは、ユーザの快適性を犠牲にすることなく、どのようにヘッドホン２４１０のイヤピース２４１２及び２４１４が薄いイヤパッド２４１６を有することができるかを示す。イヤパッド２４１６は、頭蓋輪郭の変動に適合するように所定量の撓曲を可能にする可撓性基板を含むことができる。イヤパッド２４１６は、ユーザの頭部上の通常の低点に対応する位置に配置された２つの支柱２４２０を有するイヤピースヨーク２４１８に結合することができる。図示された構成では、突出する頭蓋輪郭に遭遇するイヤパッド２４１６の部分は、ユーザの頭部上の圧力点を防止するために後方に屈曲することができる。このようにして、ユーザの快適性を犠牲にすることなくより薄いパッドを利用することができるので、相当量の重量及び材料コストを節約することができる。
【０２２３】
図２４Ｃは、どのように支柱２４２０が可撓性基板２４２２をイヤピースヨーク２４１８に結合するかを示す。可撓性基板２４２２は、可撓性基板２４２２に取り付けられたイヤパッド２４１６の変形を可能にするのに十分な可撓性を有する基板から形成される。可撓性基板２４２２がイヤピースヨーク２４１８にどのように接続されているかを明確に示すために、図２４Ｃのイヤピース２４１４から多くの構成要素が除去されていることに留意されたい。図２４Ｄは、イヤピース２４１４と、イヤパッド２４１６が屈曲してユーザの頭部の頭蓋輪郭に適合するように構成された回転軸２４２４とを示す。回転軸２４２４は、支柱２４２０が可撓性基板２４２２の後ろ向き面に取り付けられ、したがってイヤパッド２４１６に取り付けられる位置によって画定される。
【０２２４】
図２４Ｅ〜図２４Ｇは、ユーザの頭部の頭蓋輪郭を考慮するように設計された構成の別のイヤピースを示す。図２４Ｅは、イヤピース２４３０の側面図を示す。イヤピース２４３０は、凸状入力パネル２４３２と、イヤピース筐体２４３４と、イヤパッドアセンブリ２４３６とを含む。凸状入力パネル２４３２は、イヤピース筐体２４３４の片側に取り付けることができ、イヤピースに関連付けられたヘッドホンへのタッチ入力を受け取るためのセンサを含むことができる。図２４Ｅはまた、イヤパッドアセンブリ２４３６の圧縮可能なイヤパッド２４３８を示す。圧縮可能なイヤパッド２４３８は、発泡体から形成することができ、実質的に均一な厚さを有することができる。図示するような湾曲形状に圧縮可能なイヤパッド２４３８を屈曲させることにより、イヤパッドアセンブリ２４３６のユーザに向く面は、ユーザの頭部の頭蓋輪郭と一致するように成形することができる。
【０２２５】
図２４Ｆは、イヤピース２４３０の断面図、並びに耳２４４２を収容するための空洞２４４０の形状を示す。イヤピース２４３０をいずれかの耳の上に配置することに適合するように構成されていないヘッドホン設計では、スピーカアセンブリ２４４４は、耳２４４２のために利用可能なスペースの量に影響を及ぼすことなく、空洞２４４０内に突出することができる。いくつかの実施形態では、スピーカアセンブリ２４４４をこのように前方に押し出すことにより、イヤピース２４３０の全体的なサイズを低減することができる。図２４Ｆはまた、イヤパッド２４３８のアンダーカット形状により、どのように、イヤピース２４３０が耳２４４２により近いユーザの頭部の部分の周囲を封止することを可能にし、それによって、ユーザの頭部に接触する部分イヤパッドアセンブリ２４３６の周辺部の長さを低減するかを示す。いくつかの実施形態では、これにより、パッシブなノイズ遮断性を改善することができる。イヤパッド２４３８は、ユーザに接触するイヤパッドアセンブリ２４３６の部分に心地よい感触を提供するために、テキスタイル材料２４４６によって覆うことができる。いくつかの実施形態では、テキスタイル材料２４４６によって提供される音響遮断性を改善するために、様々な処理をテキスタイル材料２４４６に適用することができる。例えば、テキスタイル材料２４４６の細孔サイズを低減し、それによって音響抵抗を高めるために、ユーザの頭部に接触する可能性が最も高いテキスタイル材料２４４６の少なくとも一部分に熱処理を適用することができる。
【０２２６】
図２４Ｇは、イヤピース２４３０の斜視図を示し、イヤパッドアセンブリ２４３６の周辺部の周りのイヤパッドアセンブリ２４３６の様々な湾曲をより明確に示す。具体的には、イヤパッドアセンブリ２４３６の領域２４４８は、ユーザの頭部の下の部分、及び頭部が首に向かって後方に傾斜しはじめる耳の後側に接触するように構成されている。このため、領域２４４８は、イヤパッドアセンブリ２４３６の任意の他の部分よりもイヤピース２４３０から外に、実質的により遠くに突出する。イヤパッドアセンブリ２４３６の幾分小さい範囲の領域２４５０はまた、ユーザの耳の前方かつわずかに上方に概ね位置するユーザの頭部上の別の低点に適合するように、イヤピース２４３０から離れて突出する。
【０２２７】
図２５Ａ〜図２５Ｃは、材料の複数の層から形成された別のイヤパッド構成２５００の様々な図を示す。図２５Ａは、異なる３つの構成要素層、すなわち、クッション２５０２、適合性構造層２５０４、及びテキスタイル層２５０６を含むイヤパッド構成２５００の分解図を示す。いくつかの実施形態では、クッション２５０２は、発泡体から形成して、以下により詳細に説明する機械加工プロセス中に成形することができる。適合性構造層２５０４は、イヤピースの外側に一定量のコンプライアンスを与えながら、クッション２５０２の周辺部の形状を画定するのに役立つことができる。いくつかの実施形態では、適合性構造層２５０４は、エチレン酢酸ビニルゴムブレンドから形成することができる。テキスタイル層２５０６は、布地のシートから形成することができ、複数の別個の領域２５０８及び２５１０を含む。ユーザの頭部と直接接触する布地の大部分を構成する領域２５１０は、パッシブな音響遮断性を改善するために、布地の任意の間隙を封止するように熱処理することができる。これは、改善されたパッシブな音響遮断性が、アクティブノイズキャンセルシステムによって相殺される必要があるノイズの量を低減するので、アクティブノイズキャンセルシステムを有するヘッドホンで特に重要であり得る。いくつかの実施形態では、領域２５１０は、その多孔率が領域２５０８の多孔率よりも実質的に小さいように熱処理することができる。より低い多孔率のテキスタイル材料は一般的に、パッシブノイズ減衰の提供時により効果的である。
【０２２８】
図２５Ｂは、どのように適合性構造層２５０４及びテキスタイル層２５０６と共に発泡体クッション２５０２を、イヤパッド構成２５００に関連付けられたヘッドホンによって受信されたメディアファイルの再生をサポートする様々な電気構成要素を収容するように構成された、内部容積２５１４を画定する電子機器筐体構成要素２５１２の周囲に形成することができるかを示す。図２５Ｂはまた、テキスタイル層２５０６の開口部２５１６が電子機器筐体構成要素２５１２の開口部２５１８と位置合わせして、Ｉ／Ｏポート又は入力制御に適合するように構成されているため、テキスタイル層２５０６を電子機器筐体構成要素２５１２によって画定された開口部と位置合わせすることの重要性を示す。更に、開口部２５２０はまた、筐体構成要素２５１２の支柱２５２２と位置合わせされる必要もあり得る。
【０２２９】
図２５Ｃは、イヤパッド構成２５００の側断面図を示す。具体的には、図２５Ｃは、どのように、テキスタイル層２５０６が熱処理領域２５１０の異なる側面上に配置された２つの領域２５０８を含み、適合性構造層２５０４がテキスタイル層２５０６の領域２５１０の下に延びるかを示す。
【０２３０】
図２５Ｄは、ヘッドホンが実際に使用中のときに、どのようにテキスタイル層２５０６の熱処理領域２５１０がユーザの頭部の側面と直接接触しているかを示す。このようにして、有効なバリアは、ユーザの頭部とイヤパッド構成２５００との間の音響波の通過に対して熱処理領域２５１０によって形成され、これは一般に、イヤパッドを覆うためにテキスタイル材料を使用するヘッドホンに対して実行可能であると見なされないであろう。領域２５１０は、ユーザの顔に接触する表面にわたって完全に延びるように示されているが、特定の実施形態では、ユーザに接触するテキスタイル布地の一部分のみが熱処理を受けていることを理解されたい。
【０２３１】
図２６Ａ〜図２６Ｂは、連続気泡発泡体などの適合可能な材料から形成することができるイヤパッド２６０２の斜視図を示す。ヘッドホン用の従来の発泡体パッドは、矩形ブロックから形成され、仮に機械加工法を使用して形成される場合、スタンピングプロセスによって形成されることになる。イヤパッド２６０２をより大きなブロックから機械加工することにより、正確な三次元形状を達成することができる。これらの種類のプロセスは、所望の形状を達成するための金型を含むことができるが、表面の一貫性は、多くの場合、成形プロセス中に行われる加熱プロセスに起因して物質的に異なるため、機械加工はまた、射出を実行することに対して優れている。少なくともこれらの理由から、イヤパッドクッションとしての機械加工された発泡体の性能は、発泡体の不要な部分を容易に切り取ることを可能にすることによって、圧力に対するカスタマイズされた応答性を可能にし、各イヤパッドクッションの全体的な重量を低減することを可能にするため、代替手段よりも実質的に良い。図示のように、イヤパッド２６０２は、図２６Ａ〜図２６Ｂに示すように、イヤパッド２６０２の所望の堅さを確立するのに役立つアンダーカット形状をイヤパッド２６０２に与える、両側の緩やかな傾斜形状を有する。
【０２３２】
図２６Ｃ〜図２６Ｇは、発泡体のブロックからイヤパッドを形成するための様々な製造動作を示す。図２６Ｃは、押出成形プロセス又は型成形プロセスによって形成された時点の連続気泡発泡体ブロック２６０４を示す。図２６Ｄでは、プロファイルカッター２６０６及びボールエンドミル２６０８が発泡体ブロック２６０４からイヤパッド２６０２の両側を形成して示されている。いくつかの実施形態では、切削及びミリングプロセスは、図２６Ｅに示すように、最初に発泡体ブロック２６１０を水に浸漬し、次に図２６Ｆに示すように、発泡体ブロックを凍結させることによって、より正確に行うことができる。いくつかの実施形態では、プロファイルカッター２６０６及びボールエンドミル２６０８が凍結された発泡体ブロック２６１０に適用される場合、機械加工ツールによって加えられる圧力の量の下で発泡体材料が移動して変形する可能性が低いため、機械加工動作は、もう少し正確であり得る。
【０２３３】
図２６Ｃ〜図２６Ｇは、発泡体のブロックからイヤパッドを形成するための様々な製造動作を示す。図２６Ｃは、押出成形プロセス又は型成形プロセスによって形成された時点の連続気泡発泡体ブロック２６０４を示す。図２６Ｄでは、プロファイルカッター２６０６及びボールエンドミル２６０８が発泡体ブロック２６０４からイヤパッド２６０２の両側を形成して示されている。いくつかの実施形態では、切削及びミリングプロセスは、図２６Ｅに示すように、最初に発泡体ブロック２６１０を水に浸漬し、次に図２６Ｆに示すように、発泡体ブロックを凍結させることによって、より正確に行うことができる。いくつかの実施形態では、プロファイルカッター２６０６及びボールエンドミル２６０８が凍結された発泡体ブロック２６１０に適用される場合、機械加工ツールによって加えられる圧力の量の下で発泡体材料が移動して変形する可能性が低いため、機械加工動作は、もう少し正確であり得る。環状イヤパッドは、実質的に矩形の断面形状を有して示されているが、ＣＮＣプロセスは、非常に広範な形状を可能にする。例えば、プロファイルカッター２６０６及びボールエンドミル２６０８によって実行される機械加工動作を変化させることによって、涙滴、円形、正方形、楕円形、多角形、及び他の断面形状を実現することができる。スプライン形状などの非ユークリッド表面形状もまた、前述の機械加工技術を使用して完全に実現可能である。
スピーカアセンブリ
【０２３４】
図２７Ａは、前述したイヤピースのいずれかで適用することができるイヤピース２７００内の例示的な音響構成の側断面図を示す。音響構成は、永久磁石２７０８及び２７１０によって放出された磁界と相互作用するシフト磁界を発生させるための電流を受信して、これにより、ダイヤフラム２７０４を振動させ、有孔壁２７０９を通ってイヤピースアセンブリを出る音響波を発生させるように構成されている、ダイヤフラム２７０４及び導電コイル２７０６を含むスピーカアセンブリ２７０２を含む。いくつかの実施形態では、有孔壁２７０９は、図９Ａ〜図９Ｂに示すような静電容量式センサのアレイを含むことができる。永久磁石２７０８の中央領域を通して孔をドリル加工して、メッシュ層２７１６を通って内部容積２７１４と流体連通するダイヤフラム２７０４の背後の空気の背面容積を押し、それによってスピーカアセンブリ２７０２の背面容積の有効サイズを増大させる、開口部２７１２を画定することができる。内部容積２７１４は、空気通気口２７１８までずっと延びる。空気通気口２７１８は、スピーカアセンブリ２７０２の背面容積の有効サイズを更に増大させるように構成することができる。スピーカアセンブリ２７０２の背面容積は、スピーカフレーム部材２７２０及び入力パネル２７２２によって更に画定することができる。いくつかの実施形態では、入力パネル２７２２は、スピーカフレーム部材２７２０から約１ｍｍだけ離れていてもよい。スピーカフレーム部材２７２０は、スピーカフレーム部材２７２０の突出部２７２８によって画定された接着剤チャネル２７２６の下で音響波が移動することを可能にする、開口部２７２４を画定する。
【０２３５】
図２７Ｂは、スピーカアセンブリ２７０２に関連付けられた内部容積の形状及びサイズを示すために、入力パネル２７２２が除去された状態のイヤピース２７００の外側を示す。図示のように、イヤピース２７００の中央部分は、永久磁石２７０８及び２７１０を含む。スピーカフレーム部材２７２０は、内部容積２７１４を画定する凹部領域を含む。内部容積２７１４は、約２０ｍｍの幅、及び図２７Ａに示すように約１ｍｍの高さを有することができる。内部容積２７１４の端部には、背面容積が接着剤チャネル２７２６の下を続いて、イヤピース２７００から出る空気通気口２７１８まで延びることを可能にするように構成された、スピーカフレーム部材２７２０によって画定された開口部２７２４がある。
【０２３６】
図２７Ｃは、イヤピース２７００内に取り付けられたマイクロフォンの断面図を示す。いくつかの実施形態では、マイクロフォン２７３０は、スピーカフレーム部材２７２０によって画定された開口部３７３２にわたって固定される。開口部３７３２は、マイクロフォン吸気口２７３４からオフセットされており、ユーザがイヤピース２７００の外部から開口部２７３２を見ることを防止する。装飾的改善を提供することに加えて、このオフセットされた開口部構成はまた、マイクロフォン２７３０がマイクロフォン吸気口２７３４によって素早く通過する空気からノイズを拾うことが発生するのを低減する傾向がある。
【０２３７】
図２８は、イヤピース２７００の外向き面を形成することができる入力パネル２７２０を有するイヤピース２７００を示す。タッチ感知領域は、入力パネル２７２０の内向き面に取り付けられた可撓性基板の形態をとることができるタッチセンサ２８０２によって確立することができる。可撓性基板は、可撓性基板が入力パネル２７２０の内向き面の凹状形状に従うことを可能にする歪み軽減特徴部として機能する、複数のノッチ２８０４を画定することができる。パッシブラジエータ２８０６は、タッチセンサ２８０２に隣接して、かつまた、無線透過性入力パネル２７２０の内向き面に取り付けられて示されている。パッシブラジエータ２８０６は、スタンピングされた金属のシートから形成することができ、又はフレキシブルプリント回路に沿って形成することができる。この構成は、パッシブラジエータ２８０６とタッチセンサ２８０２との間の干渉を防止する。パッシブラジエータ２８０６は、無線性能を改善するために、またイヤピース２７００内に配置された内部アンテナ２８０８と協働することができる。
分散型バッテリ構成
【０２３８】
図２９Ａ〜図２９Ｂは、イヤピース２９００内の分散型バッテリアセンブリ２９０２及び２９０４の位置を示すイヤピース２９００の輪郭の斜視図及び断面図を示す。具体的には、図２９Ａは、どのようにバッテリアセンブリ２９０２及び２９０４をイヤピース２９００の筐体の両側に配置することができるかを示す。図２９Ｂは、切断線Ｋ−Ｋに従ったイヤピース２９００の断面図を示す。バッテリアセンブリ２９０２及び２９０４はまた、イヤピース２９００によって画定された耳空洞２９０６のサイズを最大化するために、図２９Ｂに示すようにイヤピース２９００によって画定された耳空洞に対して斜めに傾斜させることもできる。
【０２３９】
図２９Ｃは、どのように３つ以上の別個のバッテリアセンブリを単一のイヤピース筐体内に組み込むことができるかを示す。例えば、図２９Ｃに示すように、３つ、４つ、５つ、又は６つの別個のバッテリアセンブリをイヤピース２９００の周辺部に沿って分散させることができる。いくつかの実施形態では、図２９Ｃに示すように、バッテリアセンブリ２９０８〜２９１４は、イヤピース筐体の周辺部の湾曲、より一般的にはイヤピース筐体内で利用可能な空間に追従する湾曲を有する。別個のバッテリアセンブリのそれぞれは、イヤピース２９００内の様々な構成要素の動作をサポートするように構成された、それら自体の入力端子及び出力端子を有することができる。
【０２４０】
図３０Ａは、ヘッドバンド３００６によって共に接合されたイヤピース３００２及び３００４を含むヘッドホン３０００を示す。ヘッドバンド３００６の中央部分は、イヤピース３００２及び３００４内の構成要素に焦点を合わせるために省略されている。具体的には、イヤピース３００２及び３００４は、ホール効果センサと永久磁石との混成を含むことができる。図示のように、イヤピース３００２は、永久磁石３００８及びホール効果センサ３０１０を含む。永久磁石３００８は、Ｓ極性を有するイヤピース３００２から離れて延びる磁界を生成する。イヤピース３００４は、ホール効果センサ３０１２及び永久磁石３０１４を含む。図示された構成では、永久磁石３００８は、ホール効果センサ３０１２を飽和させるのに十分な強さの磁界を出力するように配置されている。ホール効果センサ３０１２からのセンサ読み取り値は、ヘッドホン３０００が能動的に使用されておらず、かつエネルギ節約モードに入ることができることをヘッドホン３０００に合図するのに十分であってもよい。いくつかの実施形態では、この構成はまた、ヘッドホン３０００がケース内に配置されていて、かつバッテリ電力を節約するためにより低い電力動作モードに入るべきであることをヘッドホン３０００に合図することができる。イヤピース３００２及び３００４をそれぞれ１８０度ひっくり返すことにより、永久磁石３０１４によって放出された磁界がホール効果センサ３０１０を飽和させることになり、それによりまた、デバイスが低電力モードに入ることが可能になる。いくつかの実施形態では、ユーザが頭部から外した構成でヘッドホンを動作させるためにイヤピース３００２及び３００４を上向きに向けて設定することを所望することがあり、そのような場合にはオーディオ再生を継続すべきであるため、より低い電力モードに入る前にイヤピース３００２及び３００４が地面に向かって向いていることを確認するために、イヤピース３００２の一方又は両方内に加速度計センサを使用することが望ましい場合がある。
【０２４１】
図３０Ｂは、サーカムオーラル型及びスープラオーラル型のヘッドホン設計での使用によく適した例示的な搬送／保管ケース３０１６を示す。ケース３０１６は、ヘッドバンドアセンブリ及び２つのイヤピースを収容するための凹部３０１８を含む。イヤピースを収容する凹部３０１８の部分は、ユーザの耳を収容するようにサイズ決めされたイヤピースの凹部を充填する突出部３０２０及び３０２２を含むことができる。図３０Ｃは、凹部３０１８内に配置されたヘッドホン３０００を示し、図３０Ｄは、図３０Ｃの切断線Ｌ−Ｌに従ったイヤピース３００２の断面図を示す。図３０Ｄは、どのように突出部３０２０が既定のパターンで突出部３０２０の上向き面に沿って配置された容量性素子３０２４を含むかを示す。したがって、ヘッドホン３０００がケース３０１６内に配置され、静電容量式センサ３０２６がその既定のパターンの容量性素子を感知すると、ヘッドホン３０００は、電力を節約するために、電源を落とす、又はより低い電力モードに入るように構成することができる。
【０２４２】
図３０Ｅは、ヘッドホン３０００が内部に配置された搬送ケース３０１６を示す。ヘッドホン３０００は、周辺光センサ３０２８を含んで示されている。いくつかの実施形態では、周辺光センサ３０２８からの入力を使用して、ヘッドホンがケース３０１６内に配置された状態でケース３０１６が閉じられた場合を判定することができる。同様に、周辺光センサ３０２８からのセンサ読み取り値が、搬送ケース３０１６が開いている状態と一致する光量を示す場合、ヘッドホン３０００内のプロセッサは、搬送ケース３０１６が開かれていると判定することができる。いくつかの実施形態では、ヘッドホン３０００に搭載されている他のセンサが、搬送ケース３０１６によって画定された凹部内にヘッドホン３０００が配置されていることを示す場合、周囲光源３０２８からのセンサデータは、搬送ケース３０１６が開いている又は閉じている場合を判定するのに十分であってもよい。他のセンサの例としては、図３０Ｂ〜図３０Ｄを説明する文章で論じた静電容量式センサが挙げられる。センサの他の例は、搬送ケース３０１６内に配置された永久磁石３０３２によって放出された磁界を検出するように構成することができる、イヤピース３００２及び３００４内に配置されたホール効果センサ３０３０の形態をとることができる。このセンサデータ第２の組は、周辺光センサ３０２８からのセンサデータが誤ってケースの開放イベント及び閉鎖イベントと相関付けられる発生率を実質的に低減することができる。歪みゲージ、飛行時間センサ、及び他のヘッドホン構成センサなどの他の種類のセンサからのセンサ読み取り値の使用を使用して、動作状態判定を行うこともできる。更に、ヘッドホン３０００の判定された動作状態に応じて、これらのセンサは、様々な周波数で起動されてもよい。例えば、搬送ケース３０１６がヘッドホン３０００の周りで閉じていると判定される場合、センサ読み取りは、頻度が低い速度でのみ行われてもよいのに対し、実際の使用中では、センサは、より頻繁に動作することができる。
照明ボタンアセンブリ
【０２４３】
図３１Ａ〜図３１Ｂは、記載されたヘッドホンと共に使用するのに好適な照明ボタンアセンブリ３１００を示す。図３１Ａは、どのように照明ボタンアセンブリ３１００が、ヘッドホンの動作状態を識別するように構成することができる、ボタン３１０２及び照明窓３１０４を含むかを示す。ボタン３１０２は、フレキシブル回路３１０６によってヘッドホン内の他の構成要素と電気的に結合される。ボタンアセンブリ３１００の少なくとも一部分は、取り付けブラケット３１０８によってデバイス筐体に固定することができる。図３１Ｂは、照明ボタンアセンブリ３１００の背面図、及び照明ボタンアセンブリをデバイス筐体に固定するために、どのように取り付けブラケット３１０８を、締結具３１１０を受け入れるように構成することができるかを示す。
【０２４４】
図３１Ｃ〜図３１Ｄは、デバイス筐体３１１１内の非作動位置及び作動位置それぞれにある照明ボタンアセンブリ３１００の側面図を示す。図３１Ｃは、どのようにボタン３１０２の照明窓３１０４が、複数の照明要素３１１４のうちのいずれか１つによって放射された光を方向付けるテーパ形状を有することができるかを示す。照明窓３１０４はまた、照明窓３１０４がボタン３１０２から外れるのを防止するために、照明窓３１０４から横方向に突出する固定特徴部３１１２を含むことができる。照明要素３１１４は、照明窓３１０４の後ろ向き面に近接して配置することができる。照明要素３１０４はそれぞれ、フレキシブル回路３１０６に表面実装された発光ダイオード（light emitting diode、ＬＥＤ）の形態をとることができる。いくつかの実施形態では、照明要素３１１４のそれぞれは、異なる色の光を放射するように構成することができ、それにより、照明窓３１０４によって受光された光を変化させて、照明ボタンアセンブリ３１００に関連付けられたデバイスの状態又は動作状態を反映することを可能にすることができる。いくつかの実施形態では、照明要素３１１４は、赤色、黄色、及び青色を含むことができる。様々な強度レベルでの異なる色のうちの２つ以上の選択的照明により、多数の異なる色を生成して、照明ボタンアセンブリのユーザに多くの異なる動作状態を通知することを可能にすることができる。
【０２４５】
図３１Ｄは、どのように力３１１５によるボタン３１０２の作動が、ボタン３１０２の一部分を筐体３１１１によって画定された内部容積内に摺動させる様子を示す。照明要素３１１４は、ボタン３１０２の背面に直接取り付けられるため、照明窓３１０４を通して投影される光量は、ボタン３１０４によって行われる移動量にかかわらず一定のままである。これは、電気スイッチを含むプリント回路基板上に配置された照明要素を有する従来のボタンとは異なる。その結果、従来の構成では、ボタンが作動中に照明要素に近づくにつれて、ボタン作動中に照明の量が増加する。図３１Ｃ〜図３１Ｄに示す設計では、電気スイッチ３１１６を固定位置に維持するために、電気スイッチ３１１６はブラケット３１１８に取り付けられることに留意されたい。このようにして、ボタン３１０４の後ろ向き面が電気スイッチ３１１６と接触すると、ブラケット３１１８は、作動を記録するのに十分な抵抗の量を提供する。電気スイッチ３１１６は、照明ボタンアセンブリ３１００のユーザに触知フィードバックを提供するのにも役立つ、ドームスイッチの形態をとることができる。
【０２４６】
図３１Ｅは、照明窓３１０４の斜視図を示す。照明窓３１０４は、照明窓３１０４のテーパ状の本体から突出する固定特徴部３１１２を含む。横方向に突出する固定特徴部３１１２は、多くの形態をとることができることを理解されたい。最小でも、固定特徴部３１１２は、ボタン３１０２からの照明窓３１０４の脱落を防止する横方向に向けられたノッチと係合される。いくつかの実施形態では、照明窓３１０４は、ボタン３１０２によって画定された開口部内にインサート成形することができる。このタイプのインサート成形動作では、ボタン３１０２によって画定された開口部は、照明窓３１０４の形状及びサイズを決定することができる。
取り外し可能なイヤピース
【０２４７】
図３２Ａ〜図３２Ｂは、ヘッドホンバンドのステム基部によって係合された、取り外し可能なイヤピースと関連付けられた旋回アセンブリの斜視図を示す。具体的には、旋回アセンブリ３２０２は、回転軸３２０４及び３２０６周りのヘッドホンバンドに対する関連付けられたイヤピースの回転に適合するように構成されている。図３２Ａは、旋回アセンブリ３２０２内の定位置に係合されロックされたステム基部３２０８を示す。ステム基部３２０８の遠位端３２１０は、ラッチプレート３２１２によって定位置にロックされる。具体的には、ラッチプレート３２１２は、ステム基部３２０８のネックと係合して、ステム基部３２０８が旋回アセンブリ３２０２から不注意に除去されるのを防止する開口部３２１４を画定する壁を含む。図３２Ａはまた、スイッチ機構３２１８を収容する開口部を提供するイヤピース筐体３２１６の一部分を示す。スイッチ機構３２１８は、ステム基部３２０８が旋回アセンブリ３２０２から解放されることを可能にするように構成されている。スイッチ機構３２１８は、力伝達部材３２２２に接触するように構成された突出係合部材３２２０を含む。いくつかの実施形態では、スイッチ機構３２１８は、取り外し可能なイヤパッドアセンブリの下に隠すことができる。
【０２４８】
図３２Ｂは、どのようにスイッチ機構３２１８に及ぼされる力３２２４が、係合部材３２２０によって伝達部材３２２２に加えられるかを示す。係合部材３２２０の角度付き端部は、力３２２４を力伝達部材３２２２の第１の支柱３２２６に伝達し、これは次に、力伝達部材３２２２を回転軸３２２８周りに回転させる。回転軸３２２８は、力伝達部材３２２２の１つの端部をイヤピース筐体３２１６の図示されていない部分に、旋回可能に結合する締結具３２２７によって画定される。回転軸３２２８周りの力伝達部材３２２２の回転により、第２の支柱３２３０がラッチプレート３２１２の壁に力３２３２を加えることになる。ラッチプレート３２１２に加えられた力３２３２は、ラッチプレート３２１２を横方向にシフトさせて、開口部３２１４をステム基部３２０８の遠位端３２１０と位置合わせする。開口部３２１４がステム基部３２０８の遠位端３２１０と位置合わせされると、ステム基部３２０８が旋回アセンブリ３２０２から取り外されることを可能にする力３２３４をステム基部３２０８に加えることができる。
【０２４９】
図３３Ａ〜図３３Ｃは、旋回アセンブリのラッチ機構３３００の異なる図を示す。図３３Ａは、どのように旋回アセンブリが、ラッチプレート３３０４が摺動するように構成されたチャネルを画定するラッチ本体３３０２を含むかを示す。ラッチ本体３３０２は、ステム基部３３０６及びその関連付けられたステムプラグ３３０８と共に回転することを可能にする円形形状を有する。ステムプラグ３３０８は、接触領域３３１０を含む。接触領域３３１０は、ラッチ機構３３００と同じイヤピース内に配置された回路及び電気構成要素とインターフェイス接続するための複数の電気接点を含むことができる。いくつかの実施形態では、接触領域３３１０は、多数の異なる電気接点を含み、例えば、２つ、３つ、又は４つの異なる電気接点が可能な電気接点構成である。いくつかの実施形態では、ステムプラグ３３０８の両側は、イヤピースの回路及び電気構成要素と相互作用するための複数の電気接点を含む接触領域を含むことができる。ラッチ機構３３００は、一般にイヤピース筐体内に配置されており、それにより、開口部３３１２は、イヤピース筐体によって画定されたステム開口部と位置合わせされて、イヤピース筐体及びラッチ機構３３００の開口部３３１２の両方へのステム基部３３０６の挿入を可能にすることに留意されたい。
【０２５０】
図３３Ａはまた、どのようにラッチプレート３３０４が非対称開口部３３１２を画定するかを示す。図３３Ａでは、ラッチプレート３３０４は、開口部３３１２のより小さい部分がステムプラグ３３０８をステム基部３３０６の残部から分離する狭いネック部分と係合する、ラッチ位置にある。狭いネック部分を開口部３３１２のより小さい部分と係合させることにより、ラッチプレート３３０４は、ステム基部３３０６がラッチ機構３３００から取り外されることを防止することができる。ラッチ機構はまた、回転軸３３１７周りに回転するように構成されたラッチレバー３３１４を含む。ねじりバネ３３１６は、ラッチレバー３３１４に結合され、ラッチレバー３３１４の回転に抵抗する。第１のアーム３３１８は、イヤピース筐体（図示せず）の一部分に係合し、第２のアーム３３２０は、ラッチレバー３３１４の一部分と係合する。力３３２２ラッチレバー３３１４がラッチレバー３３１４に加えられると、ラッチレバー３３１４は、反時計回りに回転し、ラッチプレート３３０４をラッチ本体３３０２内で横方向に摺動させるのに十分な力をラッチプレート３３０４に及ぼす。力３３２２が解放されると、保持バネ３３２４は、ラッチプレート３３０４の支柱３３２６に力を加えて、ラッチプレート３３０４を図３３Ａに示す位置に戻すように構成されている。ステムプラグ３３０８は、露出されているものとして示されているが、これは単に説明目的のためであり、いくつかの実施形態では、ステムプラグ３３０８と嵌合するように構成されたプラグレセプタクルを、締結具３３２７のうちの１つ以上によってラッチ機構３３００に取り付けることができることに留意されたい。
【０２５１】
図３３Ｂ〜図３３Ｃは、ロック位置及びロック解除位置におけるラッチ機構３３００の底面図を示す。点線の輪郭が提供され、ラッチ機構３３００を保持するのに好適な例示的な旋回機構のサイズ及び形状を示す。図３３Ｂは、関連付けられたイヤピース筐体によって画定されたチャネル又は溝に沿って摺動することができるスイッチ機構３３２８を示す。スイッチ機構は、ラッチレバー３３１４の係合及び回転を可能にする水平スライダスイッチの形態をとることができる。図３３Ｃは、どのようにラッチレバー３３１４の回転が、ラッチプレート３３０４を横方向に変位させ、それにより、開口部３３１２のより大きな部分がステムプラグ３３０８と位置合わせされ、それによって、ラッチ機構３３００からステムプラグ３３０８を取り外すことが可能になるかを示す。図３３Ｃはまた、スイッチ機構３３２８が作動されると、どのように保持バネ３３２４が変形してラッチプレート３３０４の横方向の移動に適合することができるかを示す。図３３Ｂに示すように、スイッチ機構３３２８からの圧力が解放されると、保持バネ３３２４及びねじりバネ３３１６は、スイッチ機構３３２８をその開始位置へと協働的に付勢して戻す。いくつかの実施形態では、スイッチ機構が取り外し可能なイヤパッドアセンブリによって隠されるように配置されたイヤピース筐体のチャネル内に、スイッチ機構を配置することが望ましい場合がある。例えば、いくつかの実施形態では、イヤパッドアセンブリは、磁石又は一連のスナップによってイヤピース筐体に結合することができる。
伸縮式ステム機構
【０２５２】
図３４Ａは、ヘッドバンドアセンブリ３４０６によって共に機械的に結合されたイヤピース３４０２及び３４０４を含むヘッドホン３４００を示す。ヘッドバンドアセンブリは、イヤピース３４０２及び３４０４内の電気構成要素を共に電気的に結合する信号ケーブル３４０８を含む。その両側の端部付近の信号ケーブル３４０８の部分は、ヘッドバンドアセンブリ３４０６のサイズの増減に適合するように伸張及び収縮するように構成されたコイル３４１０内に配置されている。いくつかの実施形態では、複数のヘッドバンドアセンブリ伸縮動作を受けた後にコイル３４１０が絡まるのを防ぐのに役立つ機構を含むことが有用であり得る。
【０２５３】
図３４Ｂは、ヘッドバンドアセンブリ３４０６のステム領域３４１２の拡大図を示す。いくつかの実施形態では、ステム領域３４１２は、異なる複数の筐体構成要素から構成されている。図示のように、ステム領域３４１２は、上部筐体構成要素３４１４の一部分と、下部筐体構成要素３４１６と、伸縮構成要素３４１８と、ステム基部３４２０とを含む。いくつかの実施形態では、伸縮構成要素３４１８及びステム基部３４２０は、共に溶接され、又は別の方法で共に恒久的に結合され、ケーブル３４０８のコイル状部分の通過に適合するチャネルを画定する中空ステムを形成することができる。伸縮構成要素３４１８は、下部筐体構成要素３４１６によって画定された内部容積内に完全に格納されて示されている。この位置では、信号ケーブル３４０８のコイル３４１０は、ステム領域３４１２の短縮された長さに適合するように共に圧縮される。伸縮構成要素３４１８の遠位端は、信号ケーブル３４０８をコイル３４１０の図示された構成に案内して戻すのを助けるように構成された漏斗要素３４２２を含む。漏斗要素３４２２の直後には、第１の安定化要素３４２４がある。第１の安定化要素は、下部筐体構成要素３４１６の内径にほぼ等しい外径を有する。これは、伸縮構成要素３４１８の遠位端を下部筐体構成要素３４１６によって画定された内部容積内に中心を置いて保持するのを助ける、第１の安定化要素３４２４と下部筐体構成要素３４１６との間のわずかな締まり嵌めを作り出すのに役立つ。第１の安定化要素３４２４の直後には、第１の軸受要素３４２６があり、第１の軸受要素３４２６は、第１の安定化要素３４２４よりもわずかに小さい直径を有するが、第１の安定化要素３４２４よりも硬く、低い弾性の材料で形成される。このようにして、第１の軸受要素３４２６は、伸縮構成要素が下部筐体構成要素３４１６を構成する壁の内向き面の内側に接近しすぎることを防止するハードストップを設定することができる。
【０２５４】
図３４Ｂはまた、どのように下部筐体構成要素３４１６の遠位端が第２の軸受要素３４２８及び第２の安定化要素３４３０を含むかを示す。第２の安定化要素は、第２の軸受要素３４２８よりも小さい内径を有し、第２の安定化要素３４３０が伸縮構成要素３４１８を下部筐体構成要素３４１６の中央部分に向かって付勢するのを助けることを可能にする一方で、第２の軸受要素３４２８は、伸縮構成要素３４１８の残りの部分を下部筐体構成要素３４１６の他の部分と直接接触させないようにするハードストップを作り出す。このようにして、伸縮構成要素３４１８の遠位端及び近位端の両方が拘束される。伸縮構成要素３４１８が下部筐体構成要素から出て伸縮する際に、これらの拘束は、２つの構成要素間の所望の摩擦量を確立し、ヘッドバンドアセンブリ３４０６の望ましくない動作又は更には損傷をもたらす可能性がある、任意の結合又は剥離を防止するのに役立つ。図３４Ｂはまた、ステム基部３４２０の遠位端に配置されたステムプラグ３３０８を示すことにも留意されたい。ステムプラグ３３０８は、イヤピース３４０２又は３４０４の回路及び電気構成要素とインターフェイス接続／電気的に結合するための２つ以上の電気接点を含むことができる。
【０２５５】
図３４Ｃは、伸縮構成要素３４１８の遠位端の拡大図を示す。具体的には、漏斗要素３４２２は、伸縮構成要素３４１８の端部を越えて延びるテーパ状突出部を有して示されている。突出部のテーパ形状は、隣接するコイル３４１０が漏斗要素３４２２を通過して伸縮構成要素３４１８に入る際に、隣接するコイル３４１０を位置合わせするのに役立つ。図示されているように、隣接するコイルのうちのいくつかは、位置ずれしている。この位置ずれは、漏斗要素３４２２のテーパ形状によって少なくとも部分的に補正することができる。第１の安定化要素３４２４は、漏斗要素３４２２の直後に示されている。第１の安定化要素３４２４は、下部筐体構成要素３４１６の内向き面とインターフェイス接続して少量の摩擦を生じさせる、一連の軸方向に整列されたリブを含むことができる。いくつかの実施形態では、構成要素間の摩擦によって生成される抵抗の量を低減するために、下部筐体構成要素３４１６内に潤滑剤の層を適用することができる。軸方向に整列した隆起部の数、厚さ、及び間隔は、構成要素間の所望の摩擦量を達成するように調整することができることに留意されたい。第１の安定化要素３４２４及び漏斗要素３４２２は両方とも、伸縮構成要素３４１８から半径方向に突出して、下部筐体構成要素３４１６の内向き面によって画定された軸方向に整列したチャネルと係合する、半径方向安定化要素３４３２及び３４３４を含む。このチャネルに係合することによって、半径方向安定化要素３４３２及び３４３４は、下部筐体構成要素３４１６に対する伸縮構成要素３４１８の不要な回転を防止することができる。
【０２５６】
図３４Ｃはまた、半径方向安定化要素３４３６をまた含むことができる第１の軸受要素３４２６を示す。いくつかの実施形態では、半径方向安定化要素３４３６はまた、伸縮構成要素３４１８を下部筐体構成要素３４１６内で安定化して保持するのに役立つバネを含むことができる。第１の軸受要素は、第１の安定化要素３４２４よりわずかに小さい外径と、アルミニウム、ステンレス鋼、又は他の堅牢な軽量材料から形成された中空管の形態をとることができる、伸縮構成要素３４１８の残りの部分よりもわずかに大きい外径とを有することに留意されたい。
【０２５７】
図３４Ｄは、図３４Ｂに示す切断線Ｍ−Ｍに従った伸縮構成要素３４１８の遠位端の断面図を示す。具体的には、下部筐体構成要素３４１６は、半径方向安定化要素３４３２に適合するように構成された複数の軸方向に整列したチャネルを画定して示されている。図示のように、伸縮構成要素はまた、半径方向安定化要素３４３２の一部分を支持し、かつ堅牢な支持を提供する隆起部を含む。図３４Ｄはまた、どのように第１の安定化要素３４２４の隆起部が、第１の安定化要素３４２４と下部筐体構成要素３４１６の内向き面との間の総表面積接触を低減する複数のチャネルを画定するかを示す。
【０２５８】
図３４Ｅは、図３４Ｂに示す切断線Ｎ−Ｎに従った下部筐体構成要素３４１６の遠位端の断面図を示す。具体的には、下部筐体構成要素３４１６は、下部筐体構成要素３４１６の長さの残りの部分よりもその遠位端で広い直径を有して示されている。下部筐体構成要素３４１６のこのより広い直径の端部により、第２の安定化要素３４３０が伸縮構成要素３４１８と下部筐体構成要素３４１６との間に配置された、より多量の適合性材料を有することが可能になる。このより多量の材料は、必要に応じて、より多量のコンプライアンスを有益に提供することができる。下部筐体構成要素３４１６の断面積を急速に減少させることにより、使用中又は組み立て中に、大径の第２の安定化要素３４３０が下部筐体構成要素内に深く押し込まれ過ぎることを防止される。更に、第２の安定化要素３４３０と伸縮構成要素３４１８との間の摩擦量は、安定化要素３４３０の内径に沿って配置された隆起部によって形成されたチャネル３４４０の数及びサイズによって低減又は調整することができる。
【０２５９】
図３４Ｆ〜図３４Ｈは、下部筐体構成要素３４１６と伸縮構成要素３４１８との間に、より大きい又はより小さい量の遊びが確立されることを可能にする、いくつかの代替的実施形態を示す。図３４Ｆでは、楔形の半径方向安定化要素を使用して、全ての自由度の遊びに対抗することができる。半径方向安定化要素３４４２と伸縮構成要素３４１８との間に、小さな間隙を確立することができる。小さな間隙を使用して、単一の方向の追加の遊びを生成し、下部筐体構成要素３４１６及び伸縮構成要素３４１８の湾曲の任意の差に適合するために必要な追加の遊びを加えることができる。そのような構成では、半径方向安定化要素３４４２及びその支持チャネルの半径方向位置は、下部筐体構成要素３４１６及び伸縮構成要素３４１８の湾曲方向に対応する。図３４Ｇに示す構成は、下部筐体構成要素３４１６に対する伸縮構成要素３４１８の特定の回転量に適合し、またＸ軸の移動にも適合する。図３４Ｈに示す構成は、どのように伸縮構成要素３４１８を半径方向及びＸ軸方向の両方に拘束して、Ｙ軸のみの伸縮構成要素３４１８の移動を可能にすることができるかを示す。
【０２６０】
図３４Ｉ〜図３４Ｊは、下部筐体構成要素３４１６によって画定された内部容積内に配置された伸縮構成要素３４１８を示す。図３４Ｉでは、下部筐体構成要素は、下部筐体構成要素３４１６の内面に沿って規則的な間隔で配置された複数の適合性部材３４４４を含む。適合性部材３４４４は、変位を可能にしながら、伸縮部材３４１８の移動中に摩擦を過度に加えない、適合性バネ部材を含む多くの形態を取ることができる。図３４Ｊでは、伸縮部材３４１８は、安定化要素３４４６よりも実質的により剛性である材料から構成することができる軸受要素３４４８と接触するときに、停止されるまで安定化要素３４４６を圧縮して示されている。いくつかの実施形態では、安定化要素３４４６は、ＦＫＭ（フルオロエラストマー）などの材料から形成することができ、一方、軸受要素３４４８は、ＰＥＥＫ（ポリエーテルエーテルケトン）などの材料から形成することができる。
【０２６１】
上述した改善の各々が分離して議論されてきたが、上述した改善のいずれかが組み合わされてもよいことが認識されるべきである。例えば、同期された伸縮式イヤピースが低バネ定数バンドの実施形態と組み合わされてもよい。同様に、オフセンタ旋回イヤピース設計は、変形可能形状因子ヘッドホン設計と組み合わされてもよい。いくつかの実施形態では、それぞれの種類の改善を共に組み合わせて、組み込まれた種類の改善からの記載された利点を有するヘッドホンを製造することができる。
【０２６２】
説明した実施形態の様々な態様、実施形態、実装形態、又は特徴は、個別に又は任意の組み合わせで用いることができる。説明した実施形態の様々な態様をソフトウェア、ハードウェア、又はハードウェアとソフトウェアとの組み合わせにより実装することができる。説明された実施形態はまた、製造作業を制御するためのコンピュータ可読媒体上のコンピュータ可読コードとして、又は製造ラインを制御するためのコンピュータ可読媒体上のコンピュータ可読コードとして、具現化することもできる。このコンピュータ可読媒体は、後でコンピュータシステムによって読み込むことが可能なデータを記憶することができる任意のデータ記憶装置である。コンピュータ可読媒体の例としては、読み取り専用メモリ、ランダムアクセスメモリ、ＣＤ−ＲＯＭ、ＨＤＤ、ＤＶＤ、磁気テープ、及び光学的データ記憶デバイスが挙げられる。コンピュータ可読コードが分散形式で格納及び実行されるように、コンピュータ可読媒体をネットワークに結合されたコンピュータシステムにわたって分散させることもできる。
【０２６３】
前述の記載では、説明のために、記載された実施形態の完全な理解をもたらすために特定の専門用語を用いた。しかし、記述される実施形態を実施するために、具体的な詳細は必要とされないことは、当業者には明らかであろう。それゆえ、上述の具体的な実施形態の説明は、例示及び説明の目的のために提示される。それらの説明は、網羅的であることも、又は開示される厳密な形態に、説明した実施形態を限定することも意図するものではない。上記の教示を考慮すれば、多くの変更及び変形が可能であることが、当業者には明らかであろう。
【０２６４】
以下の項は、本明細書に開示される実施形態を説明する、番号付けされた請求項を列挙する。
【０２６５】
１．ユーザの耳を収容するための空洞を画定する筐体と、アクティブノイズキャンセルシステムと、筐体に結合された環状イヤパッドと、環状イヤパッドの周囲に巻き付けられたテキスタイル層であって、テキスタイル層は、第１の領域及び第２の領域を含み、第１の領域は、テキスタイル層の第２の領域よりも低い多孔率を有する、テキスタイル層と、を備える、イヤピース。
【０２６６】
２．テキスタイル層は、材料の単一層から形成されており、第１の領域の多孔率は、第１の領域に熱処理を適用することによって低下されている、請求項１に記載のイヤピース。
【０２６７】
３．環状イヤパッドは、アンダーカット形状を有する、請求項１に記載のイヤピース。
【０２６８】
４．環状イヤパッドは、ユーザの頭部の頭蓋輪郭に従う非対称形状を有する、請求項１に記載のイヤピース。
【０２６９】
５．アクティブノイズキャンセルシステムは、イヤピース内に配置されたマイクロフォンを含み、筐体は、マイクロフォンから横方向にオフセットされたマイクロフォンの音響入口開口部を画定する、請求項１に記載のイヤピース。
【０２７０】
６．筐体は、音響入口開口部を画定するアルミニウム筐体構成要素を含む、請求項５に記載のイヤピース。
【０２７１】
７．空洞は、環状イヤパッド及び筐体によって協働的に画定されたアンダーカット形状を有する、請求項１に記載のイヤピース。
【０２７２】
８．ユーザの耳を収容するための空洞を画定するイヤピース筐体と、イヤピース筐体に結合されたヘッドバンドアセンブリと、アクティブノイズキャンセルシステムと、イヤピース筐体に結合されたイヤパッドアセンブリと、イヤパッドアセンブリの周囲に巻き付けられたテキスタイル層であって、テキスタイル層は、第１の領域及び第２の領域を含み、第１の領域は、テキスタイル層の第２の領域よりも低い多孔率を有する、テキスタイル層と、を備える、ポータブルリスニングデバイス。
【０２７３】
９．第１の領域は、イヤパッドのパッシブノイズ減衰特性を改善するために、イヤパッドアセンブリの周辺部に沿って配置されたテキスタイル層の一部分にわたって配置された環状形状を有する、請求項８に記載のポータブルリスニングデバイス。
【０２７４】
１０．イヤパッドアセンブリは、連続気泡発泡体ブロックに対して減法的機械加工動作を実行することによって形成された環状イヤパッドを含む、請求項８に記載のポータブルリスニングデバイス。
【０２７５】
１１．環状イヤパッドは、非矩形断面形状を有する、請求項１０に記載のポータブルリスニングデバイス。
【０２７６】
１２．イヤパッドアセンブリが、環状イヤパッドをイヤピース筐体に結合する適合性構造部材を含む、請求項１０に記載のポータブルリスニングデバイス。
【０２７７】
１３．ポータブルリスニングデバイスであって、第１のイヤピースと、第２のイヤピースと、第１のイヤピースを第２のイヤピースに結合するヘッドバンドアセンブリと、第１のイヤピース内に配置され、ヘッドバンドアセンブリに対する第１のイヤピースの回転量を測定するように構成された、磁界センサアセンブリと、磁界センサアセンブリによって測定された回転量に基づいて、ポータブルリスニングデバイスの動作状態を変更するように構成されたプロセッサと、を備える、ポータブルリスニングデバイス。
【０２７８】
１４．磁界センサアセンブリの少なくとも一部分は、ヘッドバンドアセンブリのステムの一部分に結合され、第１のイヤピース内に配置されている、請求項１３に記載のポータブルリスニングデバイス。
【０２７９】
１５．プロセッサは、測定された回転量が所定の閾値を上回ると、動作状態を変更するように構成されている、請求項１３に記載のポータブルリスニングデバイス。
【０２８０】
１６．磁界センサアセンブリは、ステムの一部分に結合された第１及び第２の永久磁石と、第１のイヤピースの筐体に結合された磁界センサと、を含む、請求項１４に記載のポータブルリスニングデバイス。
【０２８１】
１７．磁界センサアセンブリは、ステムの一部分に結合された磁界センサと、第１のイヤピースの筐体に結合された第１及び第２の永久磁石と、を含む、請求項１４に記載のポータブルリスニングデバイス。
【０２８２】
１８．第１の永久磁石によって放出された第１の磁界の極性は、第１の方向に向けられ、第２の永久磁石によって放出された第２の磁界の極性は、第１の方向とは反対の第２の方向に向けられる、請求項１６に記載のポータブルリスニングデバイス。
【０２８３】
１９．プロセッサは、磁界センサアセンブリによって測定された回転量に基づいて、動作状態を制御するように構成されており、磁界センサアセンブリは、第１のイヤピースに対するヘッドバンドアセンブリの異なる３つ以上の位置を識別するように構成されている、請求項１３に記載のポータブルリスニングデバイス。
【０２８４】
２０．磁界センサアセンブリによって検出された回転量が所定の閾値を下回ると、ヘッドホンが低電力状態になる、請求項１５に記載のポータブルリスニングデバイス。
【０２８５】
２１．第１のイヤピース内に配置され、ユーザの耳に光波を向けるように構成された光センサアセンブリを更に備え、プロセッサは、光センサアセンブリからの出力に基づいて、動作状態の変更を確認するように構成されている、請求項１３に記載のポータブルリスニングデバイス。
【０２８６】
２２．ポータブルリスニングデバイスは、ヘッドホンを備える、請求項１３に記載のポータブルリスニングデバイス。
【０２８７】
２３．対応するヘッドホンの第１及び第２のイヤピースを受け入れるように構成された第１及び第２のイヤピース凹部を画定するケース筐体と、対応するヘッドホンの第１のイヤピースに対応する第１のイヤピース凹部の一部分に隣接して配置された永久磁石であって、ヘッドホンの第１のイヤピース内のセンサと相互作用する磁界を放出するように配置された、永続磁石と、を備える、搬送ケース。
【０２８８】
２４．永久磁石によって放出された磁界は、第１のイヤピース内のセンサによって検出可能な１つ以上の特性を含む、請求項２３に記載の搬送ケース。
【０２８９】
２５．第１及び第２のイヤピース凹部は、対応するヘッドホンの対応する第１及び第２のイヤカップを受け入れるように構成されている、請求項２３に記載の搬送ケース。
【０２９０】
２６．対応するヘッドホンの第１及び第２のイヤカップを受け入れるように構成された第１及び第２のイヤカップ凹部を画定するケース筐体を含む搬送ケースであって、第１のイヤカップ凹部の周辺部に近接して配置された永久磁石を含む、搬送ケースと、ヘッドホンであって、第１及び第２のイヤピースと、第１及び第２のイヤピースを共に結合するヘッドバンドアセンブリと、第１のイヤピースの周辺部に沿って配置された磁界センサと、永久磁石によって放出された磁界を検出したことに応じて、ヘッドホンの動作状態を変更するように構成されたプロセッサと、を含む、ヘッドホンと、を備える、システム。
【０２９１】
２７．ヘッドホンは、周辺光センサを更に含み、プロセッサは、磁界を検出し、かつ周辺光センサから低い光読み取り値を受信したことに応じて、ヘッドホンの動作状態を低電力状態に変更するように構成されている、請求項２６に記載のシステム。
【０２９２】
２８．内部容積を協働的に画定する後壁及び側壁を含むイヤピース筐体と、内部容積内に配置されたスピーカアセンブリであって、内部を通って延びるチャネルを画定する永久磁石を含む、スピーカアセンブリと、ダイヤフラムと、ダイヤフラムに結合され、ダイヤフラムの振動を誘発するために永久磁石によって放出された第２の磁界と相互作用する第１の磁界を発生させるように構成された導電コイルと、チャネルを通って延びる空気の背面容積を更に画定するように、イヤピース筐体の後壁の一部分にわたって延びるスピーカフレーム部材と、を備える、イヤピース。
【０２９３】
２９．スピーカフレーム部材は、空気通気口を画定するイヤピース筐体の周辺部分に延びるように、背面容積を画定する、請求項２８に記載のイヤピース。
【０２９４】
３０．後壁の一部分は、後壁の大部分である、請求項２８に記載のイヤピース。
【０２９５】
３１．スピーカフレーム部材とイヤピース筐体の後壁との間の平均距離は、約１ｍｍである、請求項２８に記載のイヤピース。
【０２９６】
３２．スピーカフレーム部材の一部分は、イヤピース筐体の後壁に接着されており、背面容積は、後壁に接着されたスピーカフレーム部材の一部分の周りに経路指定されている、請求項２８に記載のイヤピース。
【０２９７】
３３．永久磁石は、第１の永久磁石であり、イヤピースは、第１の永久磁石を囲み、かつ導電コイルを収容するように成形されたチャネルを協働的に形成する、第２の永久磁石を更に備える、請求項２８に記載のイヤピース。
【０２９８】
３４．ヘッドバンドアセンブリと、内部容積を画定するイヤピース筐体であって、ヘッドバンドアセンブリに結合されている、イヤピース筐体と、内部容積内に配置されたスピーカアセンブリであって、ダイヤフラムと、ダイヤフラムの直後に配置された空気の背面容積をダイヤフラムから半径方向外向きに延びる空気の別の容積に接続する、内部を通って延びるチャネルを画定する永久磁石と、ダイヤフラムに結合され、ダイヤフラムの振動を誘発するために永久磁石によって放出された第２の磁界と相互作用する第１の磁界を発生させるように構成された導電コイルと、を含むスピーカアセンブリと、を備える、ポータブルリスニングデバイス。
【０２９９】
３５．空気の他の容積は、イヤピース筐体の後壁の大部分にわたって延びる、請求項３４に記載のポータブルリスニングデバイス。
【０３００】
３６．ダイヤフラムから半径方向外向きに延びる空気の他の容積を画定するスピーカフレーム部材を更に備える、請求項３４に記載のポータブルリスニングデバイス。
【０３０１】
３７．ユーザの耳を収容するように構成された空洞を画定する筐体と、筐体内に配置されたスピーカと、筐体内に配置された第１のバッテリと、筐体内に配置された第２のバッテリと、を備え、空洞は、第１のバッテリと第２のバッテリとの間に配置されている、イヤホン。
【０３０２】
３８．第１及び第２のバッテリは、空洞から離れて斜めに傾斜している、請求項３７に記載のイヤピース。
【０３０３】
３９．筐体内に配置された第３及び第４のバッテリを更に備える、請求項３７に記載のイヤピース。
【０３０４】
４０．第１、第２、第３、及び第４のバッテリはそれぞれ、別個のバッテリアセンブリである、請求項３９に記載のイヤピース。
【０３０５】
４１．搬送ケースは、第２のイヤカップ凹部の周辺部に近接して配置された第２の永久磁石を更に備える、請求項２６に記載のシステム。
【図１Ａ】
2021519014.tif 000003
【図１Ｂ】
2021519014.tif 000004
【図２Ａ】
2021519014.tif 000005
【図２Ｂ】
2021519014.tif 000006
【図２Ｃ】
2021519014.tif 000007
【図２Ｄ】
2021519014.tif 000008
【図２Ｅ】
2021519014.tif 000009
【図２Ｆ】
2021519014.tif 000010
【図２Ｇ】
2021519014.tif 000011
【図２Ｈ】
2021519014.tif 000012
【図２Ｉ】
2021519014.tif 000013
【図３Ａ】
2021519014.tif 000014
【図３Ｂ】
2021519014.tif 000015
【図３Ｃ】
2021519014.tif 000016
【図３Ｄ】
2021519014.tif 000017
【図３Ｅ】
2021519014.tif 000018
【図３Ｆ】
2021519014.tif 000019
【図３Ｇ】
2021519014.tif 000020
【図３Ｈ】
2021519014.tif 000021
【図３Ｉ】
2021519014.tif 000022
【図３Ｊ】
2021519014.tif 000023
【図３Ｋ】
2021519014.tif 000024
【図３Ｌ】
2021519014.tif 000025
【図３Ｍ】
2021519014.tif 000026
【図３Ｎ】
2021519014.tif 000027
【図３Ｏ】
2021519014.tif 000028
【図４Ａ】
2021519014.tif 000029
【図４Ｂ】
2021519014.tif 000030
【図５Ａ】
2021519014.tif 000031
【図５Ｂ】
2021519014.tif 000032
【図６Ａ】
2021519014.tif 000033
【図６Ｂ】
2021519014.tif 000034
【図６Ｃ】
2021519014.tif 000035
【図６Ｄ】
2021519014.tif 000036
【図６Ｅ】
2021519014.tif 000037
【図６Ｆ】
2021519014.tif 000038
【図６Ｇ】
2021519014.tif 000039
【図６Ｈ】
2021519014.tif 000040
【図６Ｉ】
2021519014.tif 000041
【図６Ｊ】
2021519014.tif 000042
【図６Ｋ】
2021519014.tif 000043
【図６Ｌ】
2021519014.tif 000044
【図６Ｍ】
2021519014.tif 000045
【図６Ｎ】
2021519014.tif 000046
【図７Ａ】
2021519014.tif 000047
【図７Ｂ】
2021519014.tif 000048
【図８Ａ】
2021519014.tif 000049
【図８Ｂ】
2021519014.tif 000050
【図８Ｃ】
2021519014.tif 000051
【図８Ｄ】
2021519014.tif 000052
【図８Ｅ】
2021519014.tif 000053
【図８Ｆ】
2021519014.tif 000054
【図８Ｇ】
2021519014.tif 000055
【図８Ｈ】
2021519014.tif 000056
【図９Ａ】
2021519014.tif 000057
【図９Ｂ】
2021519014.tif 000058
【図１０Ａ】
2021519014.tif 000059
【図１０Ｂ】
2021519014.tif 000060
【図１０Ｃ】
2021519014.tif 000061
【図１０Ｄ】
2021519014.tif 000062
【図１０Ｅ】
2021519014.tif 000063
【図１０Ｆ】
2021519014.tif 000064
【図１０Ｇ】
2021519014.tif 000065
【図１１Ａ】
2021519014.tif 000066
【図１１Ｂ】
2021519014.tif 000067
【図１１Ｃ】
2021519014.tif 000068
【図１１Ｄ】
2021519014.tif 000069
【図１１Ｅ】
2021519014.tif 000070
【図１１Ｆ】
2021519014.tif 000071
【図１２Ａ】
2021519014.tif 000072
【図１２Ｂ】
2021519014.tif 000073
【図１２Ｃ】
2021519014.tif 000074
【図１２Ｄ】
2021519014.tif 000075
【図１２Ｅ】
2021519014.tif 000076
【図１３Ａ】
2021519014.tif 000077
【図１３Ｂ】
2021519014.tif 000078
【図１４Ａ】
2021519014.tif 000079
【図１４Ｂ】
2021519014.tif 000080
【図１４Ｃ】
2021519014.tif 000081
【図１５Ａ】
2021519014.tif 000082
【図１５Ｂ】
2021519014.tif 000083
【図１５Ｃ】
2021519014.tif 000084
【図１５Ｄ】
2021519014.tif 000085
【図１５Ｅ】
2021519014.tif 000086
【図１５Ｆ】
2021519014.tif 000087
【図１６Ａ】
2021519014.tif 000088
【図１６Ｂ】
2021519014.tif 000089
【図１７Ａ】
2021519014.tif 000090
【図１７Ｂ】
2021519014.tif 000091
【図１８Ａ】
2021519014.tif 000092
【図１８Ｂ】
2021519014.tif 000093
【図１８Ｃ】
2021519014.tif 000094
【図１９Ａ】
2021519014.tif 000095
【図１９Ｂ】
2021519014.tif 000096
【図１９Ｃ】
2021519014.tif 000097
【図１９Ｄ】
2021519014.tif 000098
【図１９Ｅ】
2021519014.tif 000099
【図１９Ｆ】
2021519014.tif 000100
【図１９Ｇ】
2021519014.tif 000101
【図２０Ａ】
2021519014.tif 000102
【図２０Ｂ】
2021519014.tif 000103
【図２０Ｃ】
2021519014.tif 000104
【図２０Ｄ】
2021519014.tif 000105
【図２０Ｅ】
2021519014.tif 000106
【図２１Ａ】
2021519014.tif 000107
【図２１Ｂ】
2021519014.tif 000108
【図２１Ｃ】
2021519014.tif 000109
【図２１Ｄ】
2021519014.tif 000110
【図２１Ｅ】
2021519014.tif 000111
【図２１Ｆ】
2021519014.tif 000112
【図２１Ｇ】
2021519014.tif 000113
【図２２Ａ】
2021519014.tif 000114
【図２２Ｂ】
2021519014.tif 000115
【図２２Ｃ】
2021519014.tif 000116
【図２２Ｄ】
2021519014.tif 000117
【図２２Ｅ】
2021519014.tif 000118
【図２３Ａ】
2021519014.tif 000119
【図２３Ｂ】
2021519014.tif 000120
【図２３Ｃ】
2021519014.tif 000121
【図２３Ｄ】
2021519014.tif 000122
【図２３Ｅ】
2021519014.tif 000123
【図２３Ｆ】
2021519014.tif 000124
【図２３Ｇ】
2021519014.tif 000125
【図２４Ａ】
2021519014.tif 000126
【図２４Ｂ】
2021519014.tif 000127
【図２４Ｃ】
2021519014.tif 000128
【図２４Ｄ】
2021519014.tif 000129
【図２４Ｅ】
2021519014.tif 000130
【図２４Ｆ】
2021519014.tif 000131
【図２４Ｇ】
2021519014.tif 000132
【図２５Ａ】
2021519014.tif 000133
【図２５Ｂ】
2021519014.tif 000134
【図２５Ｃ】
2021519014.tif 000135
【図２５Ｄ】
2021519014.tif 000136
【図２６Ａ】
2021519014.tif 000137
【図２６Ｂ】
2021519014.tif 000138
【図２６Ｃ】
2021519014.tif 000139
【図２６Ｄ】
2021519014.tif 000140
【図２６Ｅ】
2021519014.tif 000141
【図２６Ｆ】
2021519014.tif 000142
【図２６Ｇ】
2021519014.tif 000143
【図２７Ａ】
2021519014.tif 000144
【図２７Ｂ】
2021519014.tif 000145
【図２７Ｃ】
2021519014.tif 000146
【図２８】
2021519014.tif 000147
【図２９Ａ】
2021519014.tif 000148
【図２９Ｂ】
2021519014.tif 000149
【図２９Ｃ】
2021519014.tif 000150
【図３０Ａ】
2021519014.tif 000151
【図３０Ｂ】
2021519014.tif 000152
【図３０Ｃ】
2021519014.tif 000153
【図３０Ｄ】
2021519014.tif 000154
【図３０Ｅ】
2021519014.tif 000155
【図３１Ａ】
2021519014.tif 000156
【図３１Ｂ】
2021519014.tif 000157
【図３１Ｃ】
2021519014.tif 000158
【図３１Ｄ】
2021519014.tif 000159
【図３１Ｅ】
2021519014.tif 000160
【図３２Ａ】
2021519014.tif 000161
【図３２Ｂ】
2021519014.tif 000162
【図３３Ａ】
2021519014.tif 000163
【図３３Ｂ】
2021519014.tif 000164
【図３３Ｃ】
2021519014.tif 000165
【図３４Ａ】
2021519014.tif 000166
【図３４Ｂ】
2021519014.tif 000167
【図３４Ｃ】
2021519014.tif 000168
【図３４Ｄ】
2021519014.tif 000169
【図３４Ｅ】
2021519014.tif 000170
【図３４Ｆ】
2021519014.tif 000171
【図３４Ｇ】
2021519014.tif 000172
【図３４Ｈ】
2021519014.tif 000173
【図３４Ｉ】
2021519014.tif 000174
【図３４Ｊ】
2021519014.tif 000175
【手続補正書】
【提出日】令和2年9月15日(2020.9.15)
【手続補正１】
【補正対象書類名】特許請求の範囲
【補正対象項目名】全文
【補正方法】変更
【補正の内容】
【特許請求の範囲】
【請求項１】
左イヤピースと、
右イヤピースと、
前記左イヤピースと前記右イヤピースとの間に延びるヘッドバンドアセンブリであって、
中央開口部を画定し、左フレーム端部及び右フレーム端部、並びに前記左フレーム端部と前記右フレーム端部との間の、前記左フレーム端部及び前記右フレーム端部に対して持ち上げられた中央フレーム領域を有する、フレームと、
前記左イヤピースと前記右イヤピースとを電気的に結合し、前記フレームによって画定された内部容積を通って延びる、信号ケーブルと、
前記中央開口部にわたって延びるメッシュと、
を含む、ヘッドバンドアセンブリと、
を備える、ヘッドホン。
【請求項２】
前記メッシュは、前記中央フレーム領域の両側のセグメント間に延び、前記左フレーム端部と前記右フレーム端部との間にも延びる、請求項１に記載のヘッドホン。
【請求項３】
前記フレームは、第１のステム領域と接合されて、Ｙ字形形状を形成する、請求項２に記載のヘッドホン。
【請求項４】
前記メッシュは、メッシュ材料と、前記メッシュ材料の周辺部の周りに延びるロック特徴部とを含み、前記ロック特徴部は、前記フレームによって画定されたチャネル内に係合されている、請求項１乃至３のいずれか一項に記載のヘッドホン。
【請求項５】
前記ロック特徴部は、前記中央開口部との前記メッシュの位置ずれを防止する位置合わせ特徴部を画定する、請求項４に記載のヘッドホン。
【請求項６】
前記メッシュ材料は、ナイロン、ＰＥＴ、単弾性織布、二弾性織布、又はポリエーテル−ポリウレアコポリマーのうちの少なくとも１つを含む、請求項４に記載のヘッドホン。
【請求項７】
前記メッシュ材料の中央領域の第１の密度は、前記メッシュ材料の周辺領域の第２の密度よりも低く、前記メッシュ材料は、前記中央開口部を閉じる、請求項４に記載のヘッドホン。
【請求項８】
前記中央領域と前記周辺領域との間の領域の密度は、前記中央領域よりも高く、前記周辺領域よりも低い、請求項７に記載のヘッドホン。
【請求項９】
前記メッシュの密度は、前記メッシュの中央領域から周辺領域まで漸進的に増加する、請求項１乃至８のいずれか一項に記載のヘッドホン。
【請求項１０】
前記メッシュ材料の密度は、実質的に均一である、請求項４に記載のヘッドホン。
【請求項１１】
前記フレームの両側のセグメント間の距離は、前記フレームの両側のセグメントの断面厚さよりも実質的に大きい、請求項１乃至１０のいずれか一項に記載のヘッドホン。
【請求項１２】
中央開口部、及び前記中央開口部の周辺部の周りに配置されたチャネルを画定する、ヘッドバンドと、
メッシュアセンブリであって、
前記中央開口部を覆う可撓性メッシュ材料と、
前記可撓性メッシュ材料の周辺部の周りに延び、前記チャネル内に係合された、ロック特徴部と、
を含む、メッシュアセンブリと、
を備える、ポータブルリスニングデバイス。
【請求項１３】
前記ヘッドバンドは、前記中央開口部を画定するフレームを含む、請求項１２に記載のポータブルリスニングデバイス。
【請求項１４】
前記フレームの両側のセグメントは、実質的に平行である、請求項１３に記載のポータブルリスニングデバイス。
【請求項１５】
前記中央開口部を画定する前記ヘッドバンドの一部分のセグメントは、円形の断面形状を有する、請求項１２乃至１４のいずれか一項に記載のポータブルリスニングデバイス。
【請求項１６】
前記ロック特徴部は、前記チャネルへの前記ロック特徴部の挿入を容易にするテーパ形状を有する、請求項１２乃至１５のいずれか一項に記載のポータブルリスニングデバイス。
【請求項１７】
前記ヘッドバンドの第１の端部に結合された第１のイヤピースと、
前記第１の端部の反対側の前記ヘッドバンドの第２の端部に結合された第２のイヤピースと、
を更に備える、請求項１２乃至１６のいずれか一項に記載のポータブルリスニングデバイス。
【請求項１８】
左イヤピースと、
右イヤピースと、
前記左イヤピースを前記右イヤピースに結合するヘッドバンドであって、
中央開口部を画定し、左フレーム端部及び右フレーム端部、並びに前記左フレーム端部と前記右フレーム端部との間の中央フレーム領域を有する、フレームと、
前記フレームに結合されたメッシュであって、前記メッシュの中央領域が前記左フレーム端部及び前記右フレーム端部の上に、かつ前記中央フレーム領域の下に持ち上げられるように、曲線状プロファイルを形成する、メッシュと、
含む、ヘッドバンドと、
を備える、ヘッドホン。
【請求項１９】
前記メッシュは、メッシュ材料と、前記メッシュ材料の周辺部の周りに延びるロック特徴部とを含み、前記ロック特徴部は、前記フレームによって画定されたチャネル内に係合されている、請求項１８に記載のヘッドホン。
【請求項２０】
前記メッシュは、前記左フレーム端部及び前記右フレーム端部の取り付け領域に、かつ前記中央フレーム領域の取り付け領域に結合されている、請求項１９に記載のヘッドホン。
【国際調査報告】
2021519014.tif 000176
2021519014.tif 000177
2021519014.tif 000178